(57)【要約】【課題】遊技店の店員が多忙とならずに、遊技店外の商品と交換することが可能なポイント交換装置を提供する。【解決手段】遊技機を遊技することにより獲得される遊技媒体と交換された景品５０が景品投入部３に投入されると、景品読取部１５は、景品投入部３に投入された景品５０を読み取る。そして、ＣＰＵ１１は、景品読取部１５により景品５０が読み取られた場合に、ステップＳ６−１８のポイント交換用二次元コード生成処理や、ステップＳ６−２０の交換用レシート発行処理を行う。そして、遊技者は、携帯端末Ｐを用いて、二次元コードを読み取ることでポイントを獲得する。これにより、遊技店の店員が多忙とならずに、遊技店外の商品と交換することが可能な商品交換システムを提供することができる。【選択図】図３
2019177027.tif 000002
【特許請求の範囲】
【請求項１】
遊技機を遊技することにより獲得される遊技媒体と交換された景品を投入する景品投入部と、
前記景品投入部に投入された前記景品を読み取る景品読取部と、
前記景品読取部により前記景品が読み取られた場合に、前記景品とは異なる商品と交換可能なポイントを発行するための処理を行うポイント発行処理部と、
を備えたことを特徴とするポイント交換装置。
【請求項２】
前記景品読取部は、
前記景品投入部に投入された前記景品の真贋判定を行う真贋判定処理を行い、
前記ポイント発行処理部は、
前記真贋判定処理を行った結果、本物であると判定された場合に、前記ポイントを発行するための処理を行うことを特徴とする請求項１に記載のポイント交換装置。
【発明の詳細な説明】
【技術分野】
【０００１】
本発明は、遊技店で交換された景品と、商品と交換可能なポイントに交換可能なポイント交換装置に関する。
【背景技術】
【０００２】
従来、遊技店は、多数の遊技機を設置しており、遊技者に対して遊技媒体の貸出を行う。そして、遊技者は、遊技店に対して現金を支払うことで遊技媒体を借り入れて、遊技機で遊技を行い、遊技店は、遊技者が獲得した遊技媒体を商品と交換する。これにより、遊技者が所望する商品と交換することができる。
【０００３】
また、遊技により獲得した遊技媒体の数に応じて、カタログに掲載されている商品を選択し、選択された商品と交換する場合もある。また、遊技店では、上述商品とは別に、資産価値を有する景品と交換することも可能である。
【０００４】
しかしながら、遊技者が獲得した遊技媒体を商品と交換する際に、遊技店が取り扱う商品の品揃えによっては、遊技者の所望する商品と交換することができない虞がある。
【０００５】
これに対して、遊技者が獲得した遊技媒体をポイントと交換し、このポイントを口座に積み立てる管理システムが開示されている（例えば、特許文献１）。このような管理システムによれば、遊技店外の商店で遊技者の取引要求に応じて、積み立てられたポイントを引き落として商品と交換することができるので、遊技者は所望する商品と交換することができる。
【先行技術文献】
【特許文献】
【０００６】
【特許文献１】特開２００４−３１８５３５号公報
【発明の概要】
【発明が解決しようとする課題】
【０００７】
しかしながら、上述した管理システムは、遊技店でポイントと交換しないと、遊技店外の商品と交換することができない。ここで、遊技店の店員は、エラー状態となった遊技機を復旧させるための業務や、遊技者が獲得した遊技媒体を計数するための業務、商品と交換するための業務等、様々な業務がある。このため、遊技媒体とポイントを交換する業務が増えてしまうと、遊技店の店員が多忙となってしまうという問題点がある。
【０００８】
また、遊技店でポイントと交換したにもかかわらず、所望する商品が無い虞があり、この場合においては、交換したポイントが無駄になってしまうという問題点があった。
【０００９】
本発明は、このような問題点に鑑み、遊技店の店員が多忙とならずに、遊技店外の商品と交換することが可能な商品交換システムを提供することを目的とする。
【課題を解決するための手段】
【００１０】
このような課題を解決するために、本発明に係るポイント交換装置は、遊技機を遊技することにより獲得される遊技媒体と交換された景品を投入する景品投入部と、前記景品投入部に投入された前記景品を読み取る景品読取部と、前記景品読取部により前記景品が読み取られた場合に、前記景品とは異なる商品と交換可能なポイントを発行するための処理を行うポイント発行処理部と、を備えたことを特徴とする。
【００１１】
また、本発明に係るポイント交換装置において、前記景品読取部は、前記景品投入部に投入された前記景品の真贋判定を行う真贋判定処理を行い、前記ポイント発行処理部は、前記真贋判定処理を行った結果、本物であると判定された場合に、前記ポイントを発行するための処理を行うことを特徴とする。
【発明の効果】
【００１２】
本発明によれば、遊技店の店員が多忙とならずに、遊技店外の商品と交換することが可能なポイント交換装置を提供することができる。
【図面の簡単な説明】
【００１３】
【図１】商品交換システムの概要の一例を示す図である。
【図２】商品交換システムを構成する各システムの一例を示す図である。
【図３】ポイント交換装置の外観斜視図の一例を示す図である。
【図４】ポイント交換装置の背面斜視図の一例を示す図である。
【図５】第１実施形態におけるポイント交換装置のブロック図の一例を示す図である。
【図６】景品の外観図の一例を示す図である。
【図７】会員管理ＤＢによって記憶された会員情報の一例を示す図である。
【図８】購買管理ＤＢによって記憶された購買情報の一例を示す図である。
【図９】商品管理ＤＢによって記憶された商品情報の一例を示す図である。
【図１０】ポイント管理ＤＢによって記憶されたポイント情報の一例を示す図である。
【図１１】ポイント交換装置におけるメイン処理の一例を示す図である。
【図１２】ポイント交換操作時処理の一例を示す図である。
【図１３】ポイント確認操作時処理の一例を示す図である。
【図１４】商品交換操作時処理の一例を示す図である。
【図１５】商品確認操作時処理の一例を示す図である。
【図１６】会員登録操作時処理の一例を示す図である。
【図１７】会員情報更新操作時処理の一例を示す図である。
【図１８】会員管理サーバにおけるメイン処理の一例を示す図である。
【図１９】購買管理サーバにおけるメイン処理の一例を示す図である。
【図２０】商品管理サーバにおけるメイン処理の一例を示す図である。
【図２１】ポイント管理サーバにおけるメイン処理の一例を示す図である。
【図２２】ポイント交換時のアニメーションの一例を示す図である。
【図２３】取消時のアニメーションの一例を示す図である。
【図２４】ポイント確認時のアニメーションの一例を示す図である。
【図２５】商品交換時のアニメーションの一例を示す図である。
【図２６】カテゴリー操作時のアニメーションの一例を示す図である。
【図２７】ソート操作時のアニメーションの一例を示す図である。
【図２８】商品確認時のアニメーションの一例を示す図である。
【図２９】会員登録時のアニメーションの一例を示す図である。
【図３０】会員情報更新時のアニメーションの一例を示す図である。
【図３１】ポイント交換操作時処理、及びポイント確認操作時処理の遷移の一例を示す図である。
【図３２】商品交換操作時処理、及び商品確認操作時処理の遷移の一例を示す図である。
【図３３】会員登録操作時処理、及び会員情報更新操作時処理の遷移の一例を示す図である。
【図３４】第２実施形態における商品交換システムを構成する各システムの一例を示す図である。
【図３５】第２実施形態におけるポイント交換装置におけるメイン処理の一例を示す図である。
【図３６】携帯端末におけるメイン処理の一例を示す図である。
【図３７】第２実施形態におけるポイント確認操作時処理の一例を示す図である。
【図３８】第２実施形態における商品交換操作時処理の一例を示す図である。
【図３９】第２実施形態における商品確認操作時処理の一例を示す図である。
【図４０】第２実施形態における会員登録操作時処理の一例を示す図である。
【図４１】第２実施形態における会員情報更新操作時処理の一例を示す図である。
【図４２】第２実施形態における二次元コード操作時処理の一例を示す図である。
【図４３】第２実施形態におけるポイント加算操作時処理の一例を示す図である。
【図４４】第２実施形態におけるポイント確認時のアニメーションの一例を示す図である。
【図４５】第２実施形態における商品交換時のアニメーションの一例を示す図である。
【図４６】第２実施形態における商品確認時のアニメーションの一例を示す図である。
【図４７】第２実施形態における会員登録時のアニメーションの一例を示す図である。
【図４８】第２実施形態における会員情報更新時のアニメーションの一例を示す図である。
【図４９】第２実施形態における二次元コード表示時のアニメーションの一例を示す図である。
【図５０】第２実施形態におけるポイント加算時のアニメーションの一例を示す図である。
【図５１】第２実施形態におけるポイント交換操作時処理、ポイント加算操作時処理及びポイント確認操作時処理の遷移の一例を示す図である。
【図５２】第２実施形態における商品交換操作時処理、及び商品確認操作時処理の遷移の一例を示す図である。
【図５３】第２実施形態における会員登録操作時処理、会員情報更新操作時処理、及び二次元コード操作時処理の遷移の一例を示す図である。
【図５４】第３実施形態における商品交換システムの概要の一例を示す図である。
【図５５】第３実施形態における商品交換システムの概要の別態様の一例を示す図である。
【図５６】第３実施形態における商品交換システムを構成する各システムの一例を示す図である。
【図５７】第３実施形態における供託金管理ＤＢによって記憶された供託金情報の一例を示す図である。
【図５８】第３実施形態におけるポイント交換操作時処理の一例を示す図である。
【図５９】第３実施形態における供託金サーバにおけるメイン処理の一例を示す図である。
【図６０】第３実施形態におけるポイント交換不可能時のアニメーションの一例を示す図である。
【図６１】第３実施形態におけるポイント交換操作時処理の遷移の一例を示す図である。
【図６２】第４実施形態におけるポイント加算時処理の一例を示す図である。
【図６３】第４実施形態におけるポイント交換時のアニメーションの一例を示す図である。
【図６４】第５実施形態における商品交換システムを構成する各システムの一例を示す図である。
【図６５】第５実施形態における遊技店会員管理ＤＢによって記憶された遊技店会員情報の一例を示す図である。
【図６６】第５実施形態における遊技店会員管理サーバにおけるメイン処理の一例を示す図である。
【図６７】第５実施形態におけるポイント加算操作時処理の遷移の一例を示す図である。
【図６８】第６実施形態における商品交換システムを構成する各システムの一例を示す図である。
【図６９】第６実施形態における問屋用管理ＤＢによって記憶された問屋用管理情報の一例を示す図である。
【図７０】変形例における供託金の残り金額を表示するアニメーションを示す図である。
【図７１】会員登録時のアニメーションの変形例を示す図である。
【図７２】会員情報更新時のアニメーションの変形例を示す図である。
【図７３】変形例における期間限定商品交換時のアニメーションの一例を示す図である。
【図７４】変形例における数量限定商品交換時のアニメーションの一例を示す図である。
【図７５】変形例における商品が残り僅かである表示を行うアニメーションの一例を示す図である。
【図７６】変形例における景品毎にポイント交換を行うアニメーションの一例を示す図である。
【図７７】ポイント交換装置の第１変形例を示す図である。
【図７８】ポイント交換装置の第２変形例を示す図である。
【図７９】ポイント交換装置の第３変形例を示す図である。
【図８０】ポイント交換装置の第４変形例を示す図である。
【図８１】変形例におけるポイント交換時のアニメーションの一例を示す図である。
【図８２】変形例における商品交換システムの概要の一例を示す図である。
【発明を実施するための形態】
【００１４】
以下、本発明について図面を参照しながら具体的に説明する。
【００１５】
（第１実施形態）
まず、図１〜図３３を用いて、第１実施形態の説明を行う。
【００１６】
（商品交換システムの概要）
まず、図１を用いて、第１実施形態における商品交換システムの概要について説明を行う。
【００１７】
まず、図１に示されている遊技店、遊技者、ショップ、問屋、及びポイント協会について説明を行う。
【００１８】
ここで、「遊技店」とは、遊技機（例えば、パチンコや、スロットマシン）を設置している店であって、遊技者に対して遊技媒体（例えば、遊技玉、遊技メダル）を貸し出す店をいう。
【００１９】
また、「遊技者」とは、遊技店で遊技を行う者をいう。
【００２０】
また、「ショップ」とは、後述のポイント交換装置１により、遊技者の所持する景品（具体的には、後で図６を用いて詳述する景品５０）とポイントを交換する店をいう。
【００２１】
また、「問屋」とは、ショップから景品５０を買い取り、遊技店に対して景品５０を卸す業者をいう。
【００２２】
また、「ポイント協会」とは、問屋に対してポイントを発行する業者であって、商品を取り扱う業者をいう。
【００２３】
次に、図１に示されている遊技店、遊技者、ショップ、問屋、及びポイント協会のそれぞれの関係について説明を行う。
【００２４】
（遊技者と遊技店）
遊技者は、遊技店に設置されている遊技機の遊技を行う。具体的には、遊技者は、まず、遊技店に対して現金を支払うことにより、遊技媒体を借りる。そして、遊技者は、この遊技媒体を用いて、遊技店に設置されている遊技機の遊技を行う。一方で、遊技店は、遊技者の遊技媒体を景品５０に交換する。具体的には、遊技店は、遊技者の遊技媒体を遊技媒体計数装置により計数し、当該計数結果に係る情報が記されたレシートを遊技者に対して発行する。そして、遊技店は、遊技者に対して発行したレシートを、当該レシートに対応する景品５０に交換する。
【００２５】
（遊技者とショップ）
ショップは、遊技者が遊技店で交換された景品５０をポイントと交換する。具体的には、遊技者は、遊技店で交換された景品５０をショップに対して渡す。そうすると、ショップは、遊技者から渡された景品５０に相当するポイントを付与する。
【００２６】
（ポイント協会と遊技者）
ポイント協会は、遊技者のポイントを商品と交換する。具体的には、遊技者は、付与されたポイントの範囲内で商品を選択し、選択した商品に対応するポイントをポイント協会に渡す。そうすると、ポイント協会は、遊技者が選択した商品を遊技者に対して渡す。
【００２７】
（ショップと問屋）
問屋は、ショップから景品５０を買い取る。具体的には、ショップは、ポイントと交換した景品５０を問屋に渡す。そうすると、問屋は、ショップから渡された景品５０に相当する現金をショップに対して支払う。
【００２８】
また、問屋は、ショップに対してポイントを売却する。具体的には、ショップは、問屋に対して現金を支払う。そうすると、問屋は、ショップに対して現金に対応するポイントを発行する。
【００２９】
なお、問屋は、ショップの景品５０をポイントに交換することとしてもよい。具体的には、ショップは、ポイントと交換した景品５０を問屋に渡す。そうすると、問屋は、ショップから渡された景品５０に相当するポイントを発行する。
【００３０】
（問屋と遊技店）
問屋は、遊技店に対して景品５０を卸す。具体的には、遊技店は、問屋に対して現金を支払う。そうすると、問屋は、支払われた現金に対応する景品５０を遊技店に渡す。
【００３１】
（問屋とポイント協会）
問屋は、ポイント協会からポイントの買い付けを行う。具体的には、問屋は、ポイント協会に対して現金を支払う。そうすると、ポイント協会は、支払われた現金に対応するポイントを問屋に対して発行する。
【００３２】
（商品交換システムを構成する各システム）
次に、図２を用いて、商品交換システムを構成する各システムについての説明を行う。
【００３３】
第１実施形態における商品交換システムは、ポイント交換装置１と、携帯端末Ｐと、会員管理システム１００と、購買管理システム２００と、商品管理システム３００と、ポイント管理システム４００とにより構成される。このため、以下において、ポイント交換装置１と、携帯端末Ｐと、各システムについての説明を行う。
【００３４】
（ポイント交換装置１）
ポイント交換装置１は、景品５０とポイントを交換するための装置であって、ショップに設置される装置である。また、ポイント交換装置１は、会員管理サーバ１０１、購買管理サーバ２０１、商品管理サーバ３０１、及びポイント管理サーバ４０１と通信可能に設けられている。なお、ポイント交換装置１については、後で図３や、図４を用いて詳述する。
【００３５】
（携帯端末Ｐ）
携帯端末Ｐは、二次元コードを読取可能な機能を有している。また、携帯端末Ｐは、会員管理サーバ１０１、及びポイント管理サーバ４０１と通信可能に設けられている。
【００３６】
（会員管理システム１００）
会員管理システム１００は、会員管理サーバ１０１と、会員管理ＤＢ１０２により構成されており、会員情報を管理するためのシステムである。
【００３７】
（会員管理サーバ１０１）
会員管理サーバ１０１は、ポイント交換装置１や、携帯端末Ｐと通信可能に設けられており、会員管理ＤＢ１０２に会員情報を記憶する処理を行うために設けられている。なお、会員管理サーバ１０１は、ポイント協会により管理される。
【００３８】
（会員管理ＤＢ１０２）
会員管理ＤＢ１０２は、会員情報を記憶するために設けられている。なお、会員管理ＤＢ１０２については、後で図７を用いて詳述する。
【００３９】
（購買管理システム２００）
購買管理システム２００は、購買管理サーバ２０１と、購買管理ＤＢ２０２により構成されており、遊技者が交換した商品に関する情報を管理するためのシステムである。
【００４０】
（購買管理サーバ２０１）
購買管理サーバ２０１は、ポイント交換装置１と通信可能に設けられており、購買管理ＤＢ２０２に購買情報を記憶する処理を行うために設けられている。なお、購買管理サーバ２０１は、ポイント協会により管理される。
【００４１】
（購買管理ＤＢ２０２）
購買管理ＤＢ２０２は、購買情報を記憶するために設けられている。なお、購買管理ＤＢ２０２については、後で図８を用いて詳述する。
【００４２】
（商品管理システム３００）
商品管理システム３００は、商品管理サーバ３０１と、商品管理ＤＢ３０２により構成されており、遊技者が交換可能な商品に関する情報を管理するためのシステムである。
【００４３】
（商品管理サーバ３０１）
商品管理サーバ３０１は、ポイント交換装置１と通信可能に設けられており、商品管理ＤＢ３０２に商品情報を記憶する処理を行うために設けられている。なお、商品管理サーバ３０１は、ポイント協会により管理される。
【００４４】
（商品管理ＤＢ３０２）
商品管理ＤＢ３０２は、商品情報を記憶するために設けられている。なお、商品管理ＤＢ３０２については、後で図９を用いて詳述する。
【００４５】
（ポイント管理システム４００）
ポイント管理システム４００は、ポイント管理サーバ４０１と、ポイント管理ＤＢ４０２により構成されており、ポイントに関する情報を管理するためのシステムである。
【００４６】
（ポイント管理サーバ４０１）
ポイント管理サーバ４０１は、ポイント交換装置１や、携帯端末Ｐと通信可能に設けられており、ポイント管理ＤＢ４０２にポイント情報を記憶する処理を行うために設けられている。なお、ポイント管理サーバ４０１は、ポイント協会により管理される。
【００４７】
（ポイント管理ＤＢ４０２）
ポイント管理ＤＢ４０２は、ポイント情報を記憶するために設けられている。なお、ポイント管理ＤＢ４０２については、後で図１０を用いて詳述する。
【００４８】
（ポイント交換装置１の詳細）
次に、図３、及び図４を用いて、ポイント交換装置１の詳細について説明する。
【００４９】
（液晶表示装置２）
液晶表示装置２は、ポイント交換装置１の中央に設けられており、各種情報を表示するために設けられている。また、液晶表示装置２は、タッチパネルセンサ２ａを備えている。
【００５０】
（景品投入部３）
景品投入部３は、液晶表示装置２の正面視右側に設けられており、景品５０をポイントに交換する際に、景品５０を投入するために設けられている。ここで、景品投入部３は、後述の第１景品５１、後述の第２景品５２、及び後述の第３景品５３が投入可能となっている。
【００５１】
（景品返却部４）
景品返却部４は、景品投入部３の下方に設けられており、景品投入部３に投入された景品５０を返却するために設けられている。ここで、景品返却部４は、景品投入部３に投入された後述の第１景品５１、後述の第２景品５２、及び後述の第３景品５３を返却可能となっている。
【００５２】
（カメラ５）
カメラ５は、液晶表示装置２の上方に設けられており、ポイント交換装置１を利用する遊技者を撮影するために設けられている。ここで、カメラ５は、景品投入部３に投入された景品５０が贋物であると判定された場合に、贋物を投入した者を撮影するために設けられている。
【００５３】
（スピーカ６）
スピーカ６は、ポイント交換装置１を利用する際に、利用方法を音声情報により出力するために設けられている。ここで、スピーカ６は、カメラ５の正面視右側に設けられている右スピーカ６ａと、カメラ５の正面視左側に設けられている左スピーカ６ｂにより構成されている。
【００５４】
（排紙口７）
排紙口７は、ポイント交換装置１に設けられている台座部の手前方向に設けられており、液晶表示装置２に表示された画像を印刷した際に、印刷された紙（レシート）を排紙するために設けられている。
【００５５】
（二次元コード読取部８）
二次元コード読取部８は、液晶表示装置２の下方に設けられている台座部に設けられており、ポイント交換装置１の利用者の二次元コードを読み取るために設けられている。
【００５６】
（景品取出部９）
景品取出部９は、ポイント交換装置１の背面側に設けられており、ポイントに交換された景品５０を取り出すために設けられている。また、景品取出部９は、扉部９ａと、鍵部９ｂにより構成されている。ここで、ポイント交換装置１の内部には、後述の第１景品５１を収容する箱と、後述の第２景品５２を収容する箱と、後述の第３景品５３を収容する箱とが設けられており、後述の第１景品５１と、後述の第２景品５２と、後述の第３景品５３とが分けて収納されることとなる。
【００５７】
なお、後述の第１景品５１を収容する箱と、後述の第２景品５２を収容する箱と、後述の第３景品５３を収容する箱とをポイント交換装置１の外部に設け、ポイントと交換された景品５０をそれぞれの箱に搬入することとしてもよい。
【００５８】
（ポイント交換装置１のブロック図）
次に、図５を用いて、ポイント交換装置１のブロック図の説明を行う。
【００５９】
ポイント交換装置１は、ポイント交換装置１の主たる動作を制御する制御基板１０に対して、液晶表示装置２と、タッチパネルセンサ２ａと、カメラ５と、右スピーカ６ａと、左スピーカ６ｂと、二次元コード読取部８と、景品読取部１５と、印刷部１６と、通信部１７と、電源部１８とが接続されている。
【００６０】
（制御基板１０）
制御基板１０は、ポイント交換装置１の内部に設けられており、ポイント交換装置１の制御を行うために設けられている。また、制御基板１０は、ＣＰＵ１１、ＲＯＭ１２、ＲＡＭ１３を備えている。
【００６１】
（ＣＰＵ１１）
ＣＰＵ１１は、制御基板１０に設けられており、ＲＯＭ１２に記憶されているプログラムを読み込み、所定の演算処理を行うことにより、液晶表示装置２、右スピーカ６ａ、左スピーカ６ｂ、二次元コード読取部８、景品読取部１５、印刷部１６、通信部１７、及び電源部１８に対して所定の信号を送信する。
【００６２】
（ＲＯＭ１２）
ＲＯＭ１２は、制御基板１０に設けられており、ＣＰＵ１１により実行される制御プログラム、データテーブル、各種コマンドを送信するためのデータ等を記憶するために設けられている。例えば、ＲＯＭ１２は、ポイント交換装置１を識別することが可能な交換装置ＩＤを記憶している。
【００６３】
（ＲＡＭ１３）
ＲＡＭ１３は、制御基板１０に設けられている。また、ＲＡＭ１３は、ＣＰＵ１１によるプログラムの実行により決定された各種データを記憶するために設けられている。具体的には、ＲＡＭ１３には、各種カウンタや、各種格納領域が設けられている。
【００６４】
（Ｉ／Ｏポート１４）
Ｉ／Ｏポート１４は、制御基板１０と、周辺装置との間で信号を授受するために設けられている。
【００６５】
（景品読取部１５）
景品読取部１５は、景品投入部３に投入された景品５０を読み取るために設けられている。具体的には、景品読取部１５は、後述の第１景品５１、後述の第２景品５２、後述の第３景品５３を識別する処理や、景品投入部３に投入された景品５０の真贋判定を行うために設けられている。
【００６６】
（印刷部１６）
印刷部１６は、液晶表示装置２に表示されている画像を印刷するために設けられている。具体的には、印刷部１６は、液晶表示装置２に表示されている画像を図示しない紙（レシート）に印刷し、排紙口７から排紙することとなる。
【００６７】
（通信部１７）
通信部１７は、会員管理サーバ１０１、購買管理サーバ２０１、商品管理サーバ３０１、ポイント管理サーバ４０１と通信するために設けられている。
【００６８】
（電源部１８）
電源部１８は、ポイント交換装置１の内部に設けられており、ポイント交換装置１に電力を供給するために設けられている。また、電源部１８は、ポイント交換装置１に電力を供給する制御を行うための電源基板（図示せず）と、ポイント交換装置１に電力を供給する操作を行うための電源ボタン（図示せず）と、電源ボタンの操作を検出するための電源スイッチ（図示せず）により構成されている。
【００６９】
（景品５０の外観図）
次に、図６を用いて、景品５０の外観図についての説明を行う。
【００７０】
景品５０は、第１景品５１と、第２景品５２と、第３景品５３が設けられている。なお、「景品５０」と記載した場合には、第１景品５１、第２景品５２、第３景品５３の総称、または、第１景品５１、第２景品５２、第３景品５３の何れかという意味を持つ。
【００７１】
（第１景品５１）
第１景品５１は、第２景品５２や、第３景品５３よりも高い価値を有する景品である。ここで、第１景品５１には、第１景品チップ５１ａが設けられている。
【００７２】
（第１景品チップ５１ａ）
第１景品チップ５１ａは、第１景品５１に係る情報を記憶するためのチップである。ここで、第１景品チップ５１ａには、第１景品５１の価値に係る価値情報と、第１景品５１を取り扱うショップのショップ情報と、後述のステップＳ６−４の真贋判定処理を行う際に用いられる第１景品セキュリティ情報を記憶している。
【００７３】
（第２景品５２）
第２景品５２は、第３景品５３よりも高い価値を有するとともに、第１景品５１よりも低い価値を有する景品である。ここで、第２景品５２には、第２景品チップ５２ａが設けられている。
【００７４】
（第２景品チップ５２ａ）
第２景品チップ５２ａは、第２景品５２に係る情報を記憶するためのチップである。ここで、第２景品チップ５２ａには、第２景品５２の価値に係る価値情報と、第２景品５２を取り扱うショップのショップ情報と、後述のステップＳ６−４の真贋判定処理を行う際に用いられる第２景品セキュリティ情報を記憶している。
【００７５】
（第３景品５３）
第３景品５３は、第１景品５１や、第２景品５２よりも低い価値を有する景品である。ここで、第３景品５３には、第３景品チップ５３ａが設けられている。
【００７６】
（第３景品チップ５３ａ）
第３景品チップ５３ａは、第３景品５３に係る情報を記憶するためのチップである。ここで、第３景品チップ５３ａには、第３景品５３の価値に係る価値情報と、第３景品５３を取り扱うショップのショップ情報と、後述のステップＳ６−４の真贋判定処理を行う際に用いられる第３景品セキュリティ情報を記憶している。
【００７７】
（会員管理ＤＢ１０２によって記憶された会員情報）
次に、図７を用いて、会員管理ＤＢ１０２によって記憶された会員情報についての説明を行う。
【００７８】
会員管理ＤＢ１０２には、会員ＩＤを記憶するための会員ＩＤ記憶領域１０２ａと、会員の氏名を記憶するための氏名記憶領域１０２ｂと、会員の住所を記憶するための住所記憶領域１０２ｃと、会員の端末識別情報を記憶するための端末識別情報記憶領域１０２ｄと、会員の電話番号を記憶するための電話番号記憶領域１０２ｅと、会員のメールアドレスを記憶するためのメールアドレス記憶領域１０２ｆと、会員のパスワードを記憶するためのパスワード記憶領域１０２ｇと、会員の年齢を記憶するための年齢記憶領域１０２ｈと、会員の性別を記憶するための性別記憶領域１０２ｉが設けられており、それぞれのデータが紐付いている。
【００７９】
例えば、会員ＩＤ記憶領域１０２ａの「０００００００１」と、氏名記憶領域１０２ｂに記憶されている「田中一郎」と、住所記憶領域１０２ｃに記憶されている「東京都××区△△１−２」と、端末識別情報記憶領域１０２ｄに記憶されている「０１２３４５６７８９」と、電話番号記憶領域１０２ｅに記憶されている「０３−ＸＸＸＸ−ＸＸＸＸ」と、メールアドレス記憶領域１０２ｆに記憶されている「ａｂｃ＠ＸＸＸＸ．ｃｏｍ」と、パスワード記憶領域１０２ｇに記憶されている「２５２５」と、年齢記憶領域１０２ｈに記憶されている「３６」と、性別記憶領域１０２ｉに記憶されている「男」というそれぞれのデータが紐付いて記憶されている。
【００８０】
なお、本実施形態において、年齢記憶領域１０２ｈは、会員の年齢を記憶することとしているが、年齢記憶領域１０２ｈには、「１８」歳以上である旨の情報を記憶することとしてもよい。これにより、会員登録時に年齢を入力する手間を省略することができる。
【００８１】
（購買管理ＤＢ２０２によって記憶された購買情報）
次に、図８を用いて、購買管理ＤＢ２０２によって記憶された購買情報についての説明を行う。なお、「購買」とは、ポイントと商品が交換されることをいう。
【００８２】
購買管理ＤＢ２０２には、購買ＩＤを記憶するための購買ＩＤ記憶領域２０２ａと、商品購買日を記憶するための購買日記憶領域２０２ｂと、購買処理が行われたポイント交換装置１のＩＤを記憶するための交換装置ＩＤ記憶領域２０２ｃと、購買した会員の氏名を記憶するための購買者記憶領域２０２ｄと、購買された商品に係る情報を記憶するための購買商品記憶領域２０２ｅと、購買された商品の発送予定日を記憶するための発送予定日記憶領域２０２ｆと、購買された商品の発送先に係る情報を記憶するための発送先記憶領域２０２ｇと、購買した会員の電話番号に係る情報を記憶するための購買会員電話番号記憶領域２０２ｈが設けられており、それぞれのデータが紐付いている。
【００８３】
例えば、購買ＩＤ記憶領域２０２ａの「０００００００１」と、購買日記憶領域２０２ｂに記憶されている「２０１８／０１／０１」と、交換装置ＩＤ記憶領域２０２ｃに記憶されている「０００００００１」と、購買者記憶領域２０２ｄに記憶されている「田中一郎」と、購買商品記憶領域２０２ｅに記憶されている「商品Ａ」と、発送予定日記憶領域２０２ｆに記憶されている「２０１８／０１／０２」と、発送先記憶領域２０２ｇに記憶されている「東京都××区△△１−２」と、購買会員電話番号記憶領域２０２ｈに記憶されている「０３−ＸＸＸＸ−ＸＸＸＸ」というそれぞれのデータが紐付いて記憶されている。
【００８４】
ここで、購買管理サーバ２０１は、ポイント交換装置１をショップに納入する際に、ポイント交換装置１のＩＤと、納入するショップに係る情報を紐付けて記憶する。これにより、交換装置ＩＤ記憶領域２０２ｃに記憶されている購買処理が行われたポイント交換装置１のＩＤに基づいて、ショップを特定することができる。なお、購買管理ＤＢ２０２にショップに係る情報を記憶する購買管理ＤＢ用ショップ記憶領域を設けることとしてもよい。
【００８５】
（商品管理ＤＢ３０２によって記憶された商品情報）
次に、図９を用いて、商品管理ＤＢ３０２によって記憶された商品情報についての説明を行う。
【００８６】
商品管理ＤＢ３０２には、商品ＩＤを記憶するための商品ＩＤ記憶領域３０２ａと、商品の名称を記憶するための商品名記憶領域３０２ｂと、商品説明の情報や、お届け予定日の情報を記憶するための商品説明記憶領域３０２ｃと、カテゴリーに係る情報を記憶するためのカテゴリー記憶領域３０２ｄと、商品の画像データを記憶するための画像データ記憶領域３０２ｅと、商品の在庫数を記憶するための在庫数記憶領域３０２ｆと、商品と交換するために必要なポイントに係る情報を記憶するための必要ポイント記憶領域３０２ｇと、商品の消費期限に係る情報を記憶するための消費期限記憶領域３０２ｈと、商品の仕入値に係る情報を記憶するための仕入値記憶領域３０２ｉと、商品の仕入先を記憶するための仕入先記憶領域３０２ｊが設けられており、それぞれのデータが紐付いている。
【００８７】
例えば、商品ＩＤ記憶領域３０２ａの「０００００００１」と、商品名記憶領域３０２ｂに記憶されている「商品Ａ」と、商品説明記憶領域３０２ｃに記憶されている「・・・・・・・・・・・・」と、カテゴリー記憶領域３０２ｄに記憶されている「食品」と、画像データ記憶領域３０２ｅに記憶されている「Ａ．ｊｐｇ」と、在庫数記憶領域３０２ｆに記憶されている「２５０」と、必要ポイント記憶領域３０２ｇに記憶されている「５００」と、消費期限記憶領域３０２ｈに記憶されている「２０１８／１１／０１」と、仕入値記憶領域３０２ｉに記憶されている「４５０」と、仕入先記憶領域３０２ｊに記憶されている「Ａ食品株式会社」というそれぞれのデータが紐付いて記憶されている。
【００８８】
（ポイント管理ＤＢ４０２によって記憶されたポイント情報）
次に、図１０を用いて、ポイント管理ＤＢ４０２によって記憶されたポイント情報についての説明を行う。
【００８９】
ポイント管理ＤＢ４０２には、ポイントＩＤを記憶するためのポイントＩＤ記憶領域４０２ａと、更新日時に係る情報を記憶するための更新日時記憶領域４０２ｂと、ポイントに係る情報が更新されたショップに係る情報を記憶するためのショップ記憶領域４０２ｃと、ポイントに係る情報が更新されたポイント交換装置１のＩＤを記憶するためのポイント管理ＤＢ用交換装置ＩＤ記憶領域４０２ｄと、会員管理ＤＢ１０２の会員ＩＤ記憶領域１０２ａに記憶されている会員ＩＤに係る情報を記憶するためのポイント管理ＤＢ用会員ＩＤ記憶領域４０２ｅと、ポイントが更新される会員の氏名に係る情報を記憶するための会員氏名記憶領域４０２ｆと、更新されるポイントの値に係る情報を記憶するための更新ポイント記憶領域４０２ｇと、更新により加算されたポイントの有効期限に係る情報を記憶するための有効期限記憶領域４０２ｈと、セキュリティコードに係る情報を記憶するためのセキュリティコード記憶領域４０２ｉが設けられており、それぞれのデータが紐付いている。
【００９０】
ここで、ポイント管理ＤＢ４０２は、ポイント交換装置１により、景品とポイントを交換する処理が行われた場合、携帯端末Ｐによりポイントに交換する処理が行われた場合、及びポイント交換装置１により、ポイントと商品を交換する処理が行われた場合に、記憶されている情報が更新されることとなる。
【００９１】
例えば、ポイント交換装置１により景品５０をポイントに交換する処理が行われると、ポイントＩＤ記憶領域４０２ａの値が「０００００００１」の行のデータが記憶されることとなる。そして、携帯端末Ｐによりポイントに交換する処理が行われると、ポイントＩＤ記憶領域４０２ａの値が「０００００００２」の行のデータが記憶されることとなる。そして、ポイントと商品を交換する処理が行われると、ポイントＩＤ記憶領域４０２ａの値が「０００００２００」の行のデータが記憶されることとなる。
【００９２】
ここで、有効期限となった場合には、ポイント管理ＤＢ４０２のポイントＩＤ「０００００００２」の行の情報が削除されることとなる。なお、この際に、関連するポイントＩＤ「０００００００１」の行の情報を併せて削除することとしてもよい。
【００９３】
また、関連するポイントＩＤ「０００００００１」の行の情報は、関連するポイントＩＤ「０００００００２」の行の情報が記憶されるときに削除することとしてもよい。
【００９４】
（ポイント交換装置１により、景品５０とポイントを交換する処理が行われた場合）
ポイント交換装置１により、景品５０とポイントを交換する処理が行われた場合には、ポイントＩＤ記憶領域４０２ａ、更新日時記憶領域４０２ｂ、ショップ記憶領域４０２ｃ、ポイント管理ＤＢ用交換装置ＩＤ記憶領域４０２ｄ、更新ポイント記憶領域４０２ｇ、セキュリティコード記憶領域４０２ｉに各種情報が記憶されることとなる。
【００９５】
例えば、ポイントＩＤ記憶領域４０２ａの「０００００００１」の行に示すように、更新日時記憶領域４０２ｂの「２０１８／０１／０１／１１：１０」というデータと、ショップ記憶領域４０２ｃの「Ａ店」というデータと、ポイント管理ＤＢ用交換装置ＩＤ記憶領域４０２ｄの「０００００００１」というデータと、更新ポイント記憶領域４０２ｇの「１０，０００」というデータと、セキュリティコード記憶領域４０２ｉの「＊＊＊＊＊＊＊＊」というデータがそれぞれ紐付いて記憶されることとなる。
【００９６】
なお、ポイント交換装置１により、景品５０とポイントを交換する処理が行われた場合には、ポイント管理ＤＢ用会員ＩＤ記憶領域４０２ｅ、会員氏名記憶領域４０２ｆ、及び有効期限記憶領域４０２ｈに情報が記憶されることはない。
【００９７】
（携帯端末Ｐにより、ポイントに交換する処理が行われた場合）
携帯端末Ｐにより、ポイントに交換する処理が行われた場合には、ポイントＩＤ記憶領域４０２ａ、更新日時記憶領域４０２ｂ、ショップ記憶領域４０２ｃ、ポイント管理ＤＢ用交換装置ＩＤ記憶領域４０２ｄ、ポイント管理ＤＢ用会員ＩＤ記憶領域４０２ｅ、会員氏名記憶領域４０２ｆ、更新ポイント記憶領域４０２ｇ、及び有効期限記憶領域４０２ｈに各種情報が記憶されることとなる。
【００９８】
例えば、ポイントＩＤ記憶領域４０２ａの「０００００００２」の行に示すように、更新日時記憶領域４０２ｂの「２０１８／０１／０１／１１：１１」というデータと、ショップ記憶領域４０２ｃの「Ａ店」というデータと、ポイント管理ＤＢ用交換装置ＩＤ記憶領域４０２ｄの「０００００００１」というデータと、ポイント管理ＤＢ用会員ＩＤ記憶領域４０２ｅの「０００００００１」というデータと、会員氏名記憶領域４０２ｆの「田中一郎」というデータと、更新ポイント記憶領域４０２ｇの「１０，０００」というデータと、有効期限記憶領域４０２ｈの「２０１８／０３／３１」というデータがそれぞれ紐付いて記憶されることとなる。
【００９９】
なお、携帯端末Ｐにより、景品とポイントが交換する処理が行われた場合には、セキュリティコード記憶領域４０２ｉに情報が記憶されることはない。
【０１００】
（ポイント交換装置１により、ポイントと商品を交換する処理が行われた場合）
ポイント交換装置１により、ポイントと商品を交換する処理が行われた場合には、ポイントＩＤ記憶領域４０２ａ、更新日時記憶領域４０２ｂ、ショップ記憶領域４０２ｃ、ポイント管理ＤＢ用交換装置ＩＤ記憶領域４０２ｄ、ポイント管理ＤＢ用会員ＩＤ記憶領域４０２ｅ、会員氏名記憶領域４０２ｆ、更新ポイント記憶領域４０２ｇに各種情報が記憶されることとなる。
【０１０１】
例えば、ポイントＩＤ記憶領域４０２ａの「０００００２００」の行に示すように、更新日時記憶領域４０２ｂの「２０１８／０２／０１／２０：４７」というデータと、ショップ記憶領域４０２ｃの「Ａ店」というデータと、ポイント管理ＤＢ用交換装置ＩＤ記憶領域４０２ｄの「０００００００１」というデータと、ポイント管理ＤＢ用会員ＩＤ記憶領域４０２ｅの「０００００００１」というデータと、会員氏名記憶領域４０２ｆの「田中一郎」というデータと、更新ポイント記憶領域４０２ｇの「−５，０００」というデータがそれぞれ紐付いて記憶されることとなる。
【０１０２】
なお、ポイント交換装置１により、ポイントと商品を交換する処理が行われた場合には、有効期限記憶領域４０２ｈや、セキュリティコード記憶領域４０２ｉに情報が記憶されることはない。
【０１０３】
（ポイント交換装置１におけるメイン処理）
次に、図１１を用いて、ポイント交換装置１におけるメイン処理について説明を行う。
【０１０４】
（ステップＳ１）
ステップＳ１において、ＣＰＵ１１は、電源投入時であるか否かを判定する処理を行う。具体的には、ＣＰＵ１１は、電源部１８により電源が投入されたか否かを判定する処理を行う。そして、電源投入時であると判定された場合には（ステップＳ１＝ＹＥＳ）、ステップＳ２に処理を移行する。一方で、電源投入時ではないと判定された場合には（ステップＳ１＝ＮＯ）、ステップＳ３に処理を移行する。
【０１０５】
（ステップＳ２）
ステップＳ２において、ＣＰＵ１１は、トップメニュー表示処理を行う。具体的には、ＣＰＵ１１は、トップメニュー画像を液晶表示装置２に表示する処理を行う。そして、ステップＳ２の処理が終了すると、ステップＳ１９に処理を移行する。
【０１０６】
（ステップＳ３）
ステップＳ３において、ＣＰＵ１１は、起動中であるか否かを判定する処理を行う。具体的には、ＣＰＵ１１は、電源部１８により電源が投入されているか否かを判定する処理を行う。そして、起動中であると判定された場合には（ステップＳ３＝ＹＥＳ）、ステップＳ４に処理を移行する。一方で、起動中ではないと判定された場合には（ステップＳ３＝ＮＯ）、ステップＳ１９に処理を移行する。
【０１０７】
（ステップＳ４）
ステップＳ４において、ＣＰＵ１１は、トップメニュー表示処理を行う。具体的には、ＣＰＵ１１は、ステップＳ２と同様に、トップメニュー画像を液晶表示装置２に表示する処理を行う。そして、ステップＳ４の処理が終了すると、ステップＳ５に処理を移行する。
【０１０８】
（ステップＳ５）
ステップＳ５において、ＣＰＵ１１は、「ポイント交換」の操作が行われたか否かを判定する処理を行う。ここで、タッチパネルセンサ２ａは、液晶表示装置２に表示されているトップメニュー画像のうち、「ポイント交換」に対応する領域が操作された場合に、「ポイント交換」に対応する領域が操作された旨の信号を制御基板１０に対して送信する。即ち、ＣＰＵ１１は、タッチパネルセンサ２ａにより、「ポイント交換」に対応する領域が操作された旨の信号を受信したか否かを判定する処理を行う。そして、「ポイント交換」の操作が行われたと判定された場合には（ステップＳ５＝ＹＥＳ）、ステップＳ６に処理を移行する。一方で、「ポイント交換」の操作が行われていないと判定された場合には（ステップＳ５＝ＮＯ）、ステップＳ７に処理を移行する。
【０１０９】
（ステップＳ６）
ステップＳ６において、ＣＰＵ１１は、後で図１２を用いて詳述するポイント交換操作時処理を行う。当該処理において、ＣＰＵ１１は、景品５０をポイントに交換するための処理を行う。そして、ステップＳ４の処理が終了すると、ステップＳ１９に処理を移行する。
【０１１０】
（ステップＳ７）
ステップＳ７において、ＣＰＵ１１は、「ポイント確認」の操作が行われたか否かを判定する処理を行う。ここで、タッチパネルセンサ２ａは、液晶表示装置２に表示されているトップメニュー画像のうち、「ポイント確認」に対応する領域が操作された場合に、「ポイント確認」に対応する領域が操作された旨の信号を制御基板１０に対して送信する。即ち、ＣＰＵ１１は、タッチパネルセンサ２ａにより、「ポイント確認」に対応する領域が操作された旨の信号を受信したか否かを判定する処理を行う。そして、「ポイント確認」の操作が行われたと判定された場合には（ステップＳ７＝ＹＥＳ）、ステップＳ８に処理を移行する。一方で、「ポイント確認」の操作が行われていないと判定された場合には（ステップＳ７＝ＮＯ）、ステップＳ９に処理を移行する。
【０１１１】
（ステップＳ８）
ステップＳ８において、ＣＰＵ１１は、後で図１３を用いて詳述するポイント確認操作時処理を行う。当該処理において、ＣＰＵ１１は、現在所持しているポイントを液晶表示装置２に表示するための処理を行う。そして、ステップＳ８の処理が終了すると、ステップＳ１９に処理を移行する。
【０１１２】
（ステップＳ９）
ステップＳ９において、ＣＰＵ１１は、「商品交換」の操作が行われたか否かを判定する処理を行う。ここで、タッチパネルセンサ２ａは、液晶表示装置２に表示されているトップメニュー画像のうち、「商品交換」に対応する領域が操作された場合に、「商品交換」に対応する領域が操作された旨の信号を制御基板１０に対して送信する。即ち、ＣＰＵ１１は、タッチパネルセンサ２ａにより、「商品交換」に対応する領域が操作された旨の信号を受信したか否かを判定する処理を行う。そして、「商品交換」の操作が行われたと判定された場合には（ステップＳ９＝ＹＥＳ）、ステップＳ１０に処理を移行する。一方で、「商品交換」の操作が行われていないと判定された場合には（ステップＳ９＝ＮＯ）、ステップＳ１１に処理を移行する。
【０１１３】
（ステップＳ１０）
ステップＳ１０において、ＣＰＵ１１は、後で図１４を用いて詳述する商品交換操作時処理を行う。当該処理において、ＣＰＵ１１は、ポイントと商品を交換するための処理を行う。そして、ステップＳ１０の処理が終了すると、ステップＳ１９に処理を移行する。
【０１１４】
（ステップＳ１１）
ステップＳ１１において、ＣＰＵ１１は、「商品確認」の操作が行われたか否かを判定する処理を行う。ここで、タッチパネルセンサ２ａは、液晶表示装置２に表示されているトップメニュー画像のうち、「商品確認」に対応する領域が操作された場合に、「商品確認」に対応する領域が操作された旨の信号を制御基板１０に対して送信する。即ち、ＣＰＵ１１は、タッチパネルセンサ２ａにより、「商品確認」に対応する領域が操作された旨の信号を受信したか否かを判定する処理を行う。そして、「商品確認」の操作が行われたと判定された場合には（ステップＳ１１＝ＹＥＳ）、ステップＳ１２に処理を移行する。一方で、「商品確認」の操作が行われていないと判定された場合には（ステップＳ１１＝ＮＯ）、ステップＳ１３に処理を移行する。
【０１１５】
（ステップＳ１２）
ステップＳ１２において、ＣＰＵ１１は、後で図１５を用いて詳述する商品確認操作時処理を行う。当該処理において、ＣＰＵ１１は、ポイントと交換可能な商品を表示するための処理を行う。そして、ステップＳ１２の処理が終了すると、ステップＳ１９に処理を移行する。
【０１１６】
（ステップＳ１３）
ステップＳ１３において、ＣＰＵ１１は、「会員登録」の操作が行われたか否かを判定する処理を行う。ここで、タッチパネルセンサ２ａは、液晶表示装置２に表示されているトップメニュー画像のうち、「会員登録」に対応する領域が操作された場合に、「会員登録」に対応する領域が操作された旨の信号を制御基板１０に対して送信する。即ち、ＣＰＵ１１は、タッチパネルセンサ２ａにより、「会員登録」に対応する領域が操作された旨の信号を受信したか否かを判定する処理を行う。そして、「会員登録」の操作が行われたと判定された場合には（ステップＳ１３＝ＹＥＳ）、ステップＳ１４に処理を移行する。一方で、「会員登録」の操作が行われていないと判定された場合には（ステップＳ１３＝ＮＯ）、ステップＳ１５に処理を移行する。
【０１１７】
（ステップＳ１４）
ステップＳ１４において、ＣＰＵ１１は、後で図１６を用いて詳述する会員登録操作時処理を行う。当該処理において、ＣＰＵ１１は、会員登録に必要な処理を行う。そして、ステップＳ１４の処理が終了すると、ステップＳ１９に処理を移行する。
【０１１８】
（ステップＳ１５）
ステップＳ１５において、ＣＰＵ１１は、「会員情報更新」の操作が行われたか否かを判定する処理を行う。ここで、タッチパネルセンサ２ａは、液晶表示装置２に表示されているトップメニュー画像のうち、「会員情報更新」に対応する領域が操作された場合に、「会員情報更新」に対応する領域が操作された旨の信号を制御基板１０に対して送信する。即ち、ＣＰＵ１１は、タッチパネルセンサ２ａにより、「会員情報更新」に対応する領域が操作された旨の信号を受信したか否かを判定する処理を行う。そして、「会員情報更新」の操作が行われたと判定された場合には（ステップＳ１５＝ＹＥＳ）、ステップＳ１６に処理を移行する。一方で、「会員情報更新」の操作が行われていないと判定された場合には（ステップＳ１５＝ＮＯ）、ステップＳ１７に処理を移行する。
【０１１９】
（ステップＳ１６）
ステップＳ１６において、ＣＰＵ１１は、後で図１７を用いて詳述する会員情報更新操作時処理を行う。当該処理において、ＣＰＵ１１は、登録されている会員情報を更新する処理を行う。そして、ステップＳ１６の処理が終了すると、ステップＳ１９に処理を移行する。
【０１２０】
（ステップＳ１７）
ステップＳ１７において、ＣＰＵ１１は、「言語」の操作が行われたか否かを判定する処理を行う。ここで、タッチパネルセンサ２ａは、液晶表示装置２に表示されているトップメニュー画像のうち、「言語」に対応する領域が操作された場合に、「言語」に対応する領域が操作された旨の信号を制御基板１０に対して送信する。即ち、ＣＰＵ１１は、タッチパネルセンサ２ａにより、「言語」に対応する領域が操作された旨の信号を受信したか否かを判定する処理を行う。そして、「言語」の操作が行われたと判定された場合には（ステップＳ１７＝ＹＥＳ）、ステップＳ１８に処理を移行する。一方で、「言語」の操作が行われていないと判定された場合には（ステップＳ１７＝ＮＯ）、ステップＳ１９に処理を移行する。
【０１２１】
（ステップＳ１８）
ステップＳ１８において、ＣＰＵ１１は、言語切替処理を行う。具体的には、ＣＰＵ１１は、液晶表示装置２に表示されている言語を切り替える処理を行う。そして、ステップＳ１８の処理が終了すると、ステップＳ１９に処理を移行する。
【０１２２】
なお、ポイント交換装置１は、図２２（Ａ）に示す通り、日本語、英語、中国語、及び韓国語の言語をそれぞれ切替可能となっているが、これに限定されることはなく、他の言語と切替可能であってもよい。
【０１２３】
（ステップＳ１９）
ステップＳ１９において、ＣＰＵ１１は、防犯処理を行う。具体的には、ＣＰＵ１１は、景品読取部１５により読み取った景品が贋物である場合や、扉部９ａが開放された場合に、カメラ５により撮影する処理を行う。そして、ステップＳ１９の処理が終了すると、ポイント交換装置１におけるメイン処理を終了し、再びステップＳ１から処理を実行する。
【０１２４】
（ポイント交換操作時処理）
次に、図１２に基づいて、ポイント交換装置１におけるメイン処理のステップＳ６により行われるポイント交換操作時処理について説明を行う。
【０１２５】
（ステップＳ６−１）
ステップＳ６−１において、ＣＰＵ１１は、景品投入画像表示処理を行う。具体的には、ＣＰＵ１１は、景品投入部３に景品５０の投入を促す画像（図２２（Ｂ）参照）を液晶表示装置２に表示する処理を行う。そして、ステップＳ６−１の処理が終了すると、ステップＳ６−２に処理を移行する。
【０１２６】
（ステップＳ６−２）
ステップＳ６−２において、ＣＰＵ１１は、「取消」の操作が行われたか否かを判定する処理を行う。ここで、タッチパネルセンサ２ａは、液晶表示装置２に表示されている景品投入画像のうち、「取消」に対応する領域が操作された場合に、「取消」に対応する領域が操作された旨の信号を制御基板１０に対して送信する。即ち、ＣＰＵ１１は、タッチパネルセンサ２ａにより、「取消」に対応する領域が操作された旨の信号が送信され、当該信号を受信したか否かを判定する処理を行う。そして、「取消」の操作が行われたと判定された場合には（ステップＳ６−２＝ＹＥＳ）、ポイント交換操作時処理のサブルーチンを終了し、ポイント交換装置１におけるメイン処理のステップＳ１９に処理を移行する。一方で、「取消」の操作が行われていないと判定された場合には（ステップＳ６−２＝ＮＯ）、ステップＳ６−３に処理を移行する。
【０１２７】
（ステップＳ６−３）
ステップＳ６−３において、ＣＰＵ１１は、景品５０が読み取られたか否かを判定する処理を行う。ここで、景品読取部１５は、景品投入部３に投入された景品５０を読み取った場合に、景品５０を読み取った旨の信号を制御基板１０に対して送信する。即ち、ＣＰＵ１１は、景品読取部１５から景品５０を読み取った旨の信号を受信したか否かを判定する処理を行う。そして、景品５０が読み取られたと判定された場合には（ステップＳ６−３＝ＹＥＳ）、ステップＳ６−４に処理を移行する。一方で、景品５０が読み取られていないと判定された場合には（ステップＳ６−３＝ＮＯ）、ステップＳ６−２に処理を移行する。
【０１２８】
（ステップＳ６−４）
ステップＳ６−４において、ＣＰＵ１１は、真贋判定処理を行う。具体的には、景品読取部１５により、第１景品チップ５１ａに記憶されている第１景品セキュリティ情報、第２景品チップ５２ａに記憶されている第２景品セキュリティ情報、及び第３景品チップ５３ａに記憶されている第３景品セキュリティ情報を制御基板１０に対して送信する。そして、ＣＰＵ１１は、景品読取部１５から受信した各セキュリティ情報に基づいて、景品５０が贋物であるか否かを判定する処理を行う。そして、ステップＳ６−４の処理が終了すると、ステップＳ６−５に処理を移行する。
【０１２９】
（ステップＳ６−５）
ステップＳ６−５において、ＣＰＵ１１は、贋物が検出されたか否かを判定する処理を行う。具体的には、ＣＰＵ１１は、ステップＳ６−４の真贋判定処理を行った結果、贋物が検出されたか否かを判定する処理を行う。そして、贋物が検出されたと判定された場合には（ステップＳ６−５＝ＹＥＳ）、ステップＳ６−６に処理を移行する。一方で、贋物が検出されていないと判定された場合には（ステップＳ６−５＝ＮＯ）、ステップＳ６−７に処理を移行する。
【０１３０】
（ステップＳ６−６）
ステップＳ６−６において、ＣＰＵ１１は、贋物景品返却処理を行う。具体的には、ＣＰＵ１１は、贋物であると判定された景品５０を景品返却部４に返却する処理を行う。また、ＣＰＵ１１は、液晶表示装置２に景品５０を返却した旨の画像を表示する処理を行う。そして、ステップＳ６−６の処理が終了すると、ポイント交換操作時処理のサブルーチンを終了し、ポイント交換装置１におけるメイン処理のステップＳ１９に処理を移行する。
【０１３１】
ここで、贋物の景品５０が検出された場合には、ステップＳ１９の防犯処理により、景品投入部３に贋物の景品５０を投入した者を撮影する処理が行われることとなる。これにより、不正に贋物の景品５０をポイントに交換しようとした者の姿を記憶しておくことができる。
【０１３２】
なお、贋物の景品５０が検出された場合には、贋物の景品５０が検出された旨を報知する画像を液晶表示装置２に表示することとしてもよい。また、この際に、贋物の景品５０が検出された旨を報知する音声をスピーカ６により出力することとしてもよい。これにより、不正に贋物の景品５０をポイントに交換することを防止することができる。
【０１３３】
（ステップＳ６−７）
ステップＳ６−７において、ＣＰＵ１１は、景品投入画像更新処理を行う。具体的には、ＣＰＵ１１は、液晶表示装置２に表示されている景品投入部３に景品５０の投入を促す画像（図２２（Ｂ）参照）を更新する処理を行う。そして、ステップＳ６−７の処理が終了すると、ステップＳ６−８に処理を移行する。
【０１３４】
（ステップＳ６−８）
ステップＳ６−８において、ＣＰＵ１１は、景品５０が読み取られたか否かを判定する処理を行う。ここで、景品読取部１５は、景品投入部３に投入された景品５０を読み取った場合に、景品５０を読み取った旨の信号を送信する。即ち、ＣＰＵ１１は、景品読取部１５から景品５０を読み取った旨の信号を受信したか否かを判定する処理を行う。そして、景品５０が読み取られたと判定された場合には（ステップＳ６−８＝ＹＥＳ）、ステップＳ６−４に処理を移行する。一方で、景品５０が読み取られていないと判定された場合には（ステップＳ６−８＝ＮＯ）、ステップＳ６−９に処理を移行する。
【０１３５】
（ステップＳ６−９）
ステップＳ６−９において、ＣＰＵ１１は、「交換」の操作が行われたか否かを判定する処理を行う。ここで、タッチパネルセンサ２ａは、液晶表示装置２に表示されている景品投入画像のうち、「交換」に対応する領域が操作された場合に、「交換」に対応する領域が操作された旨の信号を制御基板１０に対して送信する。即ち、ＣＰＵ１１は、タッチパネルセンサ２ａにより、「交換」に対応する領域が操作された旨の信号が送信され、当該信号を受信したか否かを判定する処理を行う。そして、「交換」の操作が行われたと判定された場合には（ステップＳ６−９＝ＹＥＳ）、ステップＳ６−１２に処理を移行する。一方で、「交換」の操作が行われていないと判定された場合には（ステップＳ６−９＝ＮＯ）、ステップＳ６−１０に処理を移行する。
【０１３６】
（ステップＳ６−１０）
ステップＳ６−１０において、ＣＰＵ１１は、「取消」の操作が行われたか否かを判定する処理を行う。ここで、タッチパネルセンサ２ａは、液晶表示装置２に表示されている景品投入画像のうち、「取消」に対応する領域が操作された場合に、「取消」に対応する領域が操作された旨の信号を制御基板１０に対して送信する。即ち、ＣＰＵ１１は、タッチパネルセンサ２ａにより、「取消」に対応する領域が操作された旨の信号が送信され、当該信号を受信したか否かを判定する処理を行う。そして、「取消」の操作が行われたと判定された場合には（ステップＳ６−１０＝ＹＥＳ）、ステップＳ６−１１に処理を移行する。一方で、「取消」の操作が行われていないと判定された場合には（ステップＳ６−１０＝ＮＯ）、ステップＳ６−８に処理を移行する。
【０１３７】
（ステップＳ６−１１）
ステップＳ６−１１において、ＣＰＵ１１は、景品返却処理を行う。具体的には、ＣＰＵ１１は、景品５０を景品返却部４に返却する処理を行う。また、ＣＰＵ１１は、液晶表示装置２に景品５０を返却した旨の画像（図２３（Ｅ）参照）を表示する処理を行う。そして、ステップＳ６−１１の処理が終了すると、ポイント交換操作時処理のサブルーチンを終了し、ポイント交換装置１におけるメイン処理のステップＳ１９に処理を移行する。
【０１３８】
（ステップＳ６−１２）
ステップＳ６−１２において、ＣＰＵ１１は、確認画像表示処理を行う。具体的には、ＣＰＵ１１は、景品５０とポイントを交換することに対して確認を促す画像（図２２（Ｄ）参照）を液晶表示装置２に表示する処理を行う。そして、ステップＳ６−１２の処理が終了すると、ステップＳ６−１３に処理を移行する。
【０１３９】
（ステップＳ６−１３）
ステップＳ６−１３において、ＣＰＵ１１は、「取消」の操作が行われたか否かを判定する処理を行う。ここで、タッチパネルセンサ２ａは、液晶表示装置２に表示されている確認画像のうち、「取消」に対応する領域が操作された場合に、「取消」に対応する領域が操作された旨の信号を制御基板１０に対して送信する。即ち、ＣＰＵ１１は、タッチパネルセンサ２ａにより、「取消」に対応する領域が操作された旨の信号が送信され、当該信号を受信したか否かを判定する処理を行う。そして、「取消」の操作が行われたと判定された場合には（ステップＳ６−１３＝ＹＥＳ）、ステップＳ６−１４に処理を移行する。一方で、「取消」の操作が行われていないと判定された場合には（ステップＳ６−１３＝ＮＯ）、ステップＳ６−１５に処理を移行する。
【０１４０】
（ステップＳ６−１４）
ステップＳ６−１４において、ＣＰＵ１１は、景品返却処理を行う。具体的には、ＣＰＵ１１は、景品５０を景品返却部４に返却する処理を行う。また、ＣＰＵ１１は、液晶表示装置２に景品５０を返却した旨の画像（図２３（Ｅ）参照）を表示する処理を行う。そして、ステップＳ６−１４の処理が終了すると、ポイント交換操作時処理のサブルーチンを終了し、ポイント交換装置１におけるメイン処理のステップＳ１９に処理を移行する。
【０１４１】
（ステップＳ６−１５）
ステップＳ６−１５において、ＣＰＵ１１は、「交換」の操作が行われたか否かを判定する処理を行う。ここで、タッチパネルセンサ２ａは、液晶表示装置２に表示されている確認画像のうち、「交換」に対応する領域が操作された場合に、「交換」に対応する領域が操作された旨の信号を制御基板１０に対して送信する。即ち、ＣＰＵ１１は、タッチパネルセンサ２ａにより、「交換」に対応する領域が操作された旨の信号が送信され、当該信号を受信したか否かを判定する処理を行う。そして、「交換」の操作が行われたと判定された場合には（ステップＳ６−１５＝ＹＥＳ）、ステップＳ６−１６に処理を移行する。一方で、「交換」の操作が行われていないと判定された場合には（ステップＳ６−１５＝ＮＯ）、ステップＳ６−１３に処理を移行する。
【０１４２】
（ステップＳ６−１６）
ステップＳ６−１６において、ＣＰＵ１１は、ポイント交換情報送信処理を行う。具体的には、ＣＰＵ１１は、ポイント管理サーバ４０１に対して、ポイント交換情報を送信する処理を行う。ここで、「ポイント交換情報」とは、少なくとも、ポイント交換装置１のＩＤと、交換されるポイント数に係る情報が含まれる。そして、ステップＳ６−１６の処理が終了すると、ステップＳ６−１７に処理を移行する。
【０１４３】
（ステップＳ６−１７）
ステップＳ６−１７において、ＣＰＵ１１は、セキュリティコード受信処理を行う。具体的には、ＣＰＵ１１は、ポイント管理サーバ４０１からセキュリティコードを受信する処理を行う。そして、ステップＳ６−１７の処理が終了すると、ステップＳ６−１８に処理を移行する。
【０１４４】
（ステップＳ６−１８）
ステップＳ６−１８において、ＣＰＵ１１は、ポイント交換用二次元コード生成処理を行う。具体的には、ＣＰＵ１１は、ポイント管理サーバ４０１にアクセスするためのＵＲＬに係る情報、より具体的には、ポイントに交換する手続を行うためのＵＲＬに係る情報と、交換することとなるポイント数に係る情報と、セキュリティコードに係る情報を有する二次元コードを生成する処理を行う。そして、ステップＳ６−１８の処理が終了すると、ステップＳ６−１９に処理を移行する。
【０１４５】
（ステップＳ６−１９）
ステップＳ６−１９において、ＣＰＵ１１は、交換用レシート発行画像表示処理を行う。具体的には、ＣＰＵ１１は、景品５０をポイントに交換するための紙（レシート）が発行されることを報知する交換用レシート発行画像（図２２（Ｅ）参照）を液晶表示装置２に表示する処理を行う。そして、ステップＳ６−１９の処理が終了すると、ステップＳ６−２０に処理を移行する。
【０１４６】
（ステップＳ６−２０）
ステップＳ６−２０において、ＣＰＵ１１は、交換用レシート発行処理を行う。具体的には、ＣＰＵ１１は、印刷部１６により、ステップＳ６−１８のポイント交換用二次元コード生成処理により生成された二次元コードを紙（レシート）に印刷し、当該印刷された紙（レシート）を排紙口７により排紙する処理を行う。そして、ステップＳ６−２０の処理が終了すると、ポイント交換操作時処理のサブルーチンを終了し、ポイント交換装置１におけるメイン処理のステップＳ１９に処理を移行する。
【０１４７】
（ポイント確認操作時処理）
次に、図１３に基づいて、ポイント交換装置１におけるメイン処理のステップＳ８により行われるポイント確認操作時処理について説明を行う。
【０１４８】
（ステップＳ８−１）
ステップＳ８−１において、ＣＰＵ１１は、二次元コード読取画像表示処理を行う。具体的には、ＣＰＵ１１は、二次元コード読取画像（図２４（Ｂ）参照）を液晶表示装置２に表示する処理を行う。そして、ステップＳ８−１の処理が終了すると、ステップＳ８−２に処理を移行する。
【０１４９】
（ステップＳ８−２）
ステップＳ８−２において、ＣＰＵ１１は、「取消」の操作が行われたか否かを判定する処理を行う。ここで、タッチパネルセンサ２ａは、液晶表示装置２に表示されている二次元コード読取画像のうち、「取消」に対応する領域が操作された場合に、「取消」に対応する領域が操作された旨の信号を制御基板１０に対して送信する。即ち、ＣＰＵ１１は、タッチパネルセンサ２ａにより、「取消」に対応する領域が操作された旨の信号が送信され、当該信号を受信したか否かを判定する処理を行う。そして、「取消」の操作が行われたと判定された場合には（ステップＳ８−２＝ＹＥＳ）、ポイント確認操作時処理のサブルーチンを終了し、ポイント交換装置１におけるメイン処理のステップＳ１９に処理を移行する。一方で、「取消」の操作が行われていないと判定された場合には（ステップＳ８−２＝ＮＯ）、ステップＳ８−３に処理を移行する。
【０１５０】
（ステップＳ８−３）
ステップＳ８−３において、ＣＰＵ１１は、二次元コード読取処理を行う。ここで、二次元コード読取部８は、二次元コードを読み取った際に、読み取った二次元コードに係る信号を制御基板１０に対して送信する。即ち、ＣＰＵ１１は、二次元コード読取部８により、読み取った二次元コードに係る信号が送信され、当該信号を受信する処理を行う。そして、ステップＳ８−３の処理が終了すると、ステップＳ８−４に処理を移行する。
【０１５１】
なお、ステップＳ８−３の二次元コード読取処理においては、会員に係る情報を特定可能な二次元コードを読み取ることとなる。
【０１５２】
（ステップＳ８−４）
ステップＳ８−４において、ＣＰＵ１１は、読取が完了したか否かを判定する処理を行う。具体的には、ＣＰＵ１１は、ステップＳ８−３の二次元コード読取処理により、二次元コードの読取が完了したか否かを判定する処理を行う。そして、読取が完了したと判定された場合には（ステップＳ８−４＝ＹＥＳ）、ステップＳ８−５に処理を移行する。一方で、読取が完了していないと判定された場合には（ステップＳ８−４＝ＮＯ）、ステップＳ８−２に処理を移行する。
【０１５３】
（ステップＳ８−５）
ステップＳ８−５において、ＣＰＵ１１は、会員情報受信処理を行う。具体的には、ＣＰＵ１１は、ステップＳ８−３の二次元コード読取処理により読み取られた会員に係る情報を特定可能な二次元コードに基づいて、会員管理サーバ１０１に対して、会員管理ＤＢ１０２に記憶されている会員情報を送信要求する処理を行い、会員管理サーバ１０１から、会員情報を受信する処理を行う。そして、ステップＳ８−５の処理が終了すると、ステップＳ８−６に処理を移行する。
【０１５４】
ここで、「会員情報」とは、会員ＩＤ記憶領域１０２ａに記憶されている情報と、氏名記憶領域１０２ｂに記憶されている情報と、住所記憶領域１０２ｃに記憶されている情報と、端末識別情報記憶領域１０２ｄに記憶されている情報と、電話番号記憶領域１０２ｅに記憶されている情報と、メールアドレス記憶領域１０２ｆに記憶されている情報と、パスワード記憶領域１０２ｇに記憶されている情報と、年齢記憶領域１０２ｈに記憶されている情報と、性別記憶領域１０２ｉに記憶されている情報をいう。
【０１５５】
（ステップＳ８−６）
ステップＳ８−６において、ＣＰＵ１１は、ポイント情報受信処理を行う。具体的には、ＣＰＵ１１は、ステップＳ８−５の会員情報受信処理により受信した会員情報に基づいて、ポイント管理サーバ４０１に対して、ポイント管理ＤＢ４０２に記憶されているポイント情報を送信要求する処理を行い、ポイント管理サーバ４０１から、会員情報に対応するポイント情報を受信する処理を行う。そして、ステップＳ８−６の処理が終了すると、ステップＳ８−７に処理を移行する。
【０１５６】
ここで、「ポイント情報」とは、ポイントＩＤ記憶領域４０２ａに記憶されている情報と、更新日時記憶領域４０２ｂに記憶されている情報と、ショップ記憶領域４０２ｃに記憶されている情報と、ポイント管理ＤＢ用交換装置ＩＤ記憶領域４０２ｄに記憶されている情報と、ポイント管理ＤＢ用会員ＩＤ記憶領域４０２ｅに記憶されている情報と、会員氏名記憶領域４０２ｆに記憶されている情報と、更新ポイント記憶領域４０２ｇに記憶されている情報と、有効期限記憶領域４０２ｈに記憶されている情報をいう。
【０１５７】
（ステップＳ８−７）
ステップＳ８−７において、ＣＰＵ１１は、ポイント確認画像表示処理を行う。具体的には、ＣＰＵ１１は、ステップＳ８−６のポイント情報受信処理により受信した会員情報に対応するポイント情報に基づいて、ポイント確認画像（図２４（Ｃ）参照）を液晶表示装置２に表示する処理を行う。そして、ステップＳ８−７の処理が終了すると、ステップＳ８−８に処理を移行する。
【０１５８】
（ステップＳ８−８）
ステップＳ８−８において、ＣＰＵ１１は、「印刷」の操作が行われたか否かを判定する処理を行う。ここで、タッチパネルセンサ２ａは、液晶表示装置２に表示されているポイント確認画像のうち、「印刷」に対応する領域が操作された場合に、「印刷」に対応する領域が操作された旨の信号を制御基板１０に対して送信する。即ち、ＣＰＵ１１は、タッチパネルセンサ２ａにより、「印刷」に対応する領域が操作された旨の信号が送信され、当該信号を受信したか否かを判定する処理を行う。そして、「印刷」の操作が行われたと判定された場合には（ステップＳ８−８＝ＹＥＳ）、ステップＳ８−９に処理を移行する。一方で、「印刷」の操作が行われていないと判定された場合には（ステップＳ８−８＝ＮＯ）、ステップＳ８−１０に処理を移行する。
【０１５９】
（ステップＳ８−９）
ステップＳ８−９において、ＣＰＵ１１は、ポイント確認画像印刷処理を行う。具体的には、ＣＰＵ１１は、印刷部１６により、ステップＳ８−７のポイント確認画像表示処理により表示されたポイント確認画像を紙（レシート）に印刷し、当該印刷された紙（レシート）を排紙口７により排紙する処理を行う。そして、ステップＳ８−９の処理が終了すると、ポイント確認操作時処理のサブルーチンを終了し、ポイント交換装置１におけるメイン処理のステップＳ１９に処理を移行する。
【０１６０】
（ステップＳ８−１０）
ステップＳ８−１０において、ＣＰＵ１１は、「終了」の操作が行われたか否かを判定する処理を行う。ここで、タッチパネルセンサ２ａは、液晶表示装置２に表示されているポイント確認画像のうち、「終了」に対応する領域が操作された場合に、「終了」に対応する領域が操作された旨の信号を制御基板１０に対して送信する。即ち、ＣＰＵ１１は、タッチパネルセンサ２ａにより、「終了」に対応する領域が操作された旨の信号が送信され、当該信号を受信したか否かを判定する処理を行う。そして、「終了」の操作が行われたと判定された場合には（ステップＳ８−１０＝ＹＥＳ）、ポイント確認操作時処理のサブルーチンを終了し、ポイント交換装置１におけるメイン処理のステップＳ１９に処理を移行する。一方で、「終了」の操作が行われていないと判定された場合には（ステップＳ８−１０＝ＮＯ）、ステップＳ８−１１に処理を移行する。
【０１６１】
（ステップＳ８−１１）
ステップＳ８−１１において、ＣＰＵ１１は、「詳細」の操作が行われたか否かを判定する処理を行う。ここで、タッチパネルセンサ２ａは、液晶表示装置２に表示されているポイント確認画像のうち、「詳細」に対応する領域が操作された場合に、「詳細」に対応する領域が操作された旨の信号を制御基板１０に対して送信する。即ち、ＣＰＵ１１は、タッチパネルセンサ２ａにより、「詳細」に対応する領域が操作された旨の信号が送信され、当該信号を受信したか否かを判定する処理を行う。そして、「詳細」の操作が行われたと判定された場合には（ステップＳ８−１１＝ＹＥＳ）、ステップＳ８−１２に処理を移行する。一方で、「詳細」の操作が行われていないと判定された場合には（ステップＳ８−１１＝ＮＯ）、ステップＳ８−８に処理を移行する。
【０１６２】
（ステップＳ８−１２）
ステップＳ８−１２において、ＣＰＵ１１は、詳細画像表示処理を行う。具体的には、ＣＰＵ１１は、詳細画像（図２４（Ｄ）参照）を液晶表示装置２に表示する処理を行う。そして、ステップＳ８−１２の処理が終了すると、ステップＳ８−１３に処理を移行する。
【０１６３】
（ステップＳ８−１３）
ステップＳ８−１３において、ＣＰＵ１１は、「カーソル」の操作が行われたか否かを判定する処理を行う。ここで、タッチパネルセンサ２ａは、液晶表示装置２に表示されている詳細画像のうち、「カーソル」に対応する領域が操作された場合に、「カーソル」に対応する領域が操作された旨の信号を制御基板１０に対して送信する。即ち、ＣＰＵ１１は、タッチパネルセンサ２ａにより、「カーソル」に対応する領域が操作された旨の信号が送信され、当該信号を受信したか否かを判定する処理を行う。そして、「カーソル」の操作が行われたと判定された場合には（ステップＳ８−１３＝ＹＥＳ）、ステップＳ８−１４に処理を移行する。一方で、「カーソル」の操作が行われていないと判定された場合には（ステップＳ８−１３＝ＮＯ）、ステップＳ８−１５に処理を移行する。
【０１６４】
なお、詳しくは後述するが、「カーソル」は、「上カーソル」と、「下カーソル」をいう。
【０１６５】
（ステップＳ８−１４）
ステップＳ８−１４において、ＣＰＵ１１は、詳細画像表示更新処理を行う。具体的には、ＣＰＵ１１は、「上カーソル」に対応する領域が操作された場合には、液晶表示装置２に表示されている詳細画像を「上カーソル」に対応する領域が操作された場合に対応して液晶表示装置２の表示を更新する処理を行い、「下カーソル」に対応する領域が操作された場合には、液晶表示装置２に表示されている詳細画像を「下カーソル」が操作された場合に対応して液晶表示装置２の表示を更新する処理を行う。そして、ステップＳ８−１４の処理が終了すると、ステップＳ８−１３に処理を移行する。
【０１６６】
（ステップＳ８−１５）
ステップＳ８−１５において、ＣＰＵ１１は、「印刷」の操作が行われたか否かを判定する処理を行う。ここで、タッチパネルセンサ２ａは、液晶表示装置２に表示されている詳細画像のうち、「印刷」に対応する領域が操作された場合に、「印刷」に対応する領域が操作された旨の信号を制御基板１０に対して送信する。即ち、ＣＰＵ１１は、タッチパネルセンサ２ａにより、「印刷」に対応する領域が操作された旨の信号が送信され、当該信号を受信したか否かを判定する処理を行う。そして、「印刷」の操作が行われたと判定された場合には（ステップＳ８−１５＝ＹＥＳ）、ステップＳ８−１６に処理を移行する。一方で、「印刷」の操作が行われていないと判定された場合には（ステップＳ８−１５＝ＮＯ）、ステップＳ８−１７に処理を移行する。
【０１６７】
（ステップＳ８−１６）
ステップＳ８−１６において、ＣＰＵ１１は、詳細画像印刷処理を行う。具体的には、ＣＰＵ１１は、印刷部１６により、ステップＳ８−１２の詳細画像表示処理により表示された詳細画像や、ステップＳ８−１４の詳細画像表示更新処理により更新された詳細画像を紙（レシート）に印刷し、当該印刷された紙（レシート）を排紙口７により排紙する処理を行う。そして、ステップＳ８−１６の処理が終了すると、ポイント確認操作時処理のサブルーチンを終了し、ポイント交換装置１におけるメイン処理のステップＳ１９に処理を移行する。
【０１６８】
（ステップＳ８−１７）
ステップＳ８−１７において、ＣＰＵ１１は、「終了」の操作が行われたか否かを判定する処理を行う。ここで、タッチパネルセンサ２ａは、液晶表示装置２に表示されている詳細画像のうち、「終了」に対応する領域が操作された場合に、「終了」に対応する領域が操作された旨の信号を制御基板１０に対して送信する。即ち、ＣＰＵ１１は、タッチパネルセンサ２ａにより、「終了」に対応する領域が操作された旨の信号が送信され、当該信号を受信したか否かを判定する処理を行う。そして、「終了」の操作が行われたと判定された場合には（ステップＳ８−１７＝ＹＥＳ）、ポイント確認操作時処理のサブルーチンを終了し、ポイント交換装置１におけるメイン処理のステップＳ１９に処理を移行する。一方で、「終了」の操作が行われていないと判定された場合には（ステップＳ８−１７＝ＮＯ）、ステップＳ８−１３に処理を移行する。
【０１６９】
（商品交換操作時処理）
次に、図１４に基づいて、ポイント交換装置１におけるメイン処理のステップＳ１０により行われる商品交換操作時処理について説明を行う。
【０１７０】
（ステップＳ１０−１）
ステップＳ１０−１において、ＣＰＵ１１は、二次元コード読取画像表示処理を行う。具体的には、ＣＰＵ１１は、二次元コード読取画像（図２５（Ｂ）参照）を液晶表示装置２に表示する処理を行う。そして、ステップＳ１０−１の処理が終了すると、ステップＳ１０−２に処理を移行する。
【０１７１】
（ステップＳ１０−２）
ステップＳ１０−２において、ＣＰＵ１１は、「取消」の操作が行われたか否かを判定する処理を行う。ここで、タッチパネルセンサ２ａは、液晶表示装置２に表示されている二次元コード読取画像のうち、「取消」に対応する領域が操作された場合に、「取消」に対応する領域が操作された旨の信号を制御基板１０に対して送信する。即ち、ＣＰＵ１１は、タッチパネルセンサ２ａにより、「取消」に対応する領域が操作された旨の信号が送信され、当該信号を受信したか否かを判定する処理を行う。そして、「取消」の操作が行われたと判定された場合には（ステップＳ１０−２＝ＹＥＳ）、商品交換操作時処理のサブルーチンを終了し、ポイント交換装置１におけるメイン処理のステップＳ１９に処理を移行する。一方で、「取消」の操作が行われていないと判定された場合には（ステップＳ１０−２＝ＮＯ）、ステップＳ１０−３に処理を移行する。
【０１７２】
（ステップＳ１０−３）
ステップＳ１０−３において、ＣＰＵ１１は、二次元コード読取処理を行う。ここで、二次元コード読取部８は、二次元コードを読み取った際に、読み取った二次元コードに係る信号を制御基板１０に対して送信する。即ち、ＣＰＵ１１は、二次元コード読取部８により、読み取った二次元コードに係る信号が送信され、当該信号を受信する処理を行う。そして、ステップＳ１０−３の処理が終了すると、ステップＳ１０−４に処理を移行する。
【０１７３】
なお、ステップＳ１０−３の二次元コード読取処理においては、会員に係る情報を特定可能な二次元コードを読み取ることとなる。ここで、会員に係る情報を特定可能な二次元コードは、携帯端末Ｐを用いて会員管理サーバ１０１に接続し、所定の手続を行うことにより、携帯端末Ｐの液晶表示装置に表示されることとなる。
【０１７４】
（ステップＳ１０−４）
ステップＳ１０−４において、ＣＰＵ１１は、読取が完了したか否かを判定する処理を行う。具体的には、ＣＰＵ１１は、ステップＳ１０−３の二次元コード読取処理により、二次元コードの読取が完了したか否かを判定する処理を行う。そして、読取が完了したと判定された場合には（ステップＳ１０−４＝ＹＥＳ）、ステップＳ１０−５に処理を移行する。一方で、読取が完了していないと判定された場合には（ステップＳ１０−４＝ＮＯ）、ステップＳ１０−２に処理を移行する。
【０１７５】
（ステップＳ１０−５）
ステップＳ１０−５において、ＣＰＵ１１は、会員情報受信処理を行う。具体的には、ＣＰＵ１１は、ステップＳ１０−３の二次元コード読取処理により読み取られた会員に係る情報を特定可能な二次元コードに基づいて、会員管理サーバ１０１に対して、会員管理ＤＢ１０２に記憶されている会員情報を送信要求する処理を行い、会員管理サーバ１０１から、会員情報を受信する処理を行う。そして、ステップＳ１０−５の処理が終了すると、ステップＳ１０−６に処理を移行する。
【０１７６】
（ステップＳ１０−６）
ステップＳ１０−６において、ＣＰＵ１１は、ポイント情報受信処理を行う。具体的には、ＣＰＵ１１は、ステップＳ１０−５の会員情報受信処理により受信した会員情報に基づいて、ポイント管理サーバ４０１に対して、ポイント管理ＤＢ４０２に記憶されているポイント情報を送信要求する処理を行い、ポイント管理サーバ４０１から、会員情報に対応するポイント情報を受信する処理を行う。そして、ステップＳ１０−６の処理が終了すると、ステップＳ１０−７に処理を移行する。
【０１７７】
（ステップＳ１０−７）
ステップＳ１０−７において、ＣＰＵ１１は、商品情報受信処理を行う。具体的には、ＣＰＵ１１は、商品管理サーバ３０１に対して、商品管理ＤＢ３０２に記憶されている商品情報を送信要求する処理を行い、商品管理サーバ３０１から、商品情報を受信する処理を行う。そして、ステップＳ１０−７の処理が終了すると、ステップＳ１０−８に処理を移行する。
【０１７８】
ここで、「商品情報」とは、商品ＩＤ記憶領域３０２ａに記憶されている情報と、商品名記憶領域３０２ｂに記憶されている情報と、商品説明記憶領域３０２ｃに記憶されている情報と、カテゴリー記憶領域３０２ｄに記憶されている情報と、画像データ記憶領域３０２ｅに記憶されている情報と、在庫数記憶領域３０２ｆに記憶されている情報と、必要ポイント記憶領域３０２ｇに記憶されている情報と、消費期限記憶領域３０２ｈに記憶されている情報をいう。
【０１７９】
（ステップＳ１０−８）
ステップＳ１０−８において、ＣＰＵ１１は、カテゴリー選択画像表示処理を行う。具体的には、ＣＰＵ１１は、ステップＳ１０−７の商品情報受信処理により受信した商品情報に基づいて、カテゴリー選択画像（図２５（Ｃ）参照）を液晶表示装置２に表示する処理を行う。そして、ステップＳ１０−８の処理が終了すると、ステップＳ１０−９に処理を移行する。
【０１８０】
（ステップＳ１０−９）
ステップＳ１０−９において、ＣＰＵ１１は、「カテゴリー」の操作が行われたか否かを判定する処理を行う。ここで、タッチパネルセンサ２ａは、液晶表示装置２に表示されているカテゴリー選択画像のうち、「カテゴリー」に対応する領域が操作された場合に、「カテゴリー」に対応する領域が操作された旨の信号を制御基板１０に対して送信する。即ち、ＣＰＵ１１は、タッチパネルセンサ２ａにより、「カテゴリー」に対応する領域が操作された旨の信号が送信され、当該信号を受信したか否かを判定する処理を行う。そして、「カテゴリー」の操作が行われたと判定された場合には（ステップＳ１０−９＝ＹＥＳ）、ステップＳ１０−１０に処理を移行する。一方で、「カテゴリー」の操作が行われていないと判定された場合には（ステップＳ１０−９＝ＮＯ）、「カテゴリー」の操作が行われるまで、ステップＳ１０−９の処理を繰り返し行う。
【０１８１】
なお、具体的には後述するが、「カテゴリー」は、「書籍」、「雑貨」、「食料品」、「ゲームポイント」、「ＣＤ・ＤＶＤ」、「家電製品」、「金券」、「全て」がある。
【０１８２】
（ステップＳ１０−１０）
ステップＳ１０−１０において、ＣＰＵ１１は、商品交換画像表示処理を行う。具体的には、ＣＰＵ１１は、ステップＳ１０−５の会員情報受信処理により受信した会員情報と、ステップＳ１０−６のポイント情報受信処理により受信したポイント情報と、ステップＳ１０−７の商品情報受信処理により受信した商品情報と、ステップＳ１０−９の処理により操作された「カテゴリー」に基づいて、商品交換画像（図２５（Ｄ）参照）を液晶表示装置２に表示する処理を行う。そして、ステップＳ１０−１０の処理が終了すると、ステップＳ１０−１１に処理を移行する。
【０１８３】
（ステップＳ１０−１１）
ステップＳ１０−１１において、ＣＰＵ１１は、「ソート」の操作が行われたか否かを判定する処理を行う。ここで、タッチパネルセンサ２ａは、液晶表示装置２に表示されている商品交換画像のうち、「ソート」に対応する領域が操作された場合に、「ソート」に対応する領域が操作された旨の信号を制御基板１０に対して送信する。即ち、ＣＰＵ１１は、タッチパネルセンサ２ａにより、「ソート」に対応する領域が操作された旨の信号が送信され、当該信号を受信したか否かを判定する処理を行う。そして、「ソート」の操作が行われたと判定された場合には（ステップＳ１０−１１＝ＹＥＳ）、ステップＳ１０−１２に処理を移行する。一方で、「ソート」の操作が行われていないと判定された場合には（ステップＳ１０−１１＝ＮＯ）、ステップＳ１０−１３に処理を移行する。
【０１８４】
（ステップＳ１０−１２）
ステップＳ１０−１２において、ＣＰＵ１１は、ソート操作時処理を行う。具体的には、ＣＰＵ１１は、まず、複数のソート条件が表示されるソート画像（図２７（Ｅ）参照）を液晶表示装置２に表示する処理を行う。次に、ＣＰＵ１１は、液晶表示装置２に表示されているソート画像のうち、「ソート条件」が操作されたか否かを判定する処理を行い、「ソート条件」が操作された場合に、操作された「ソート条件」に基づいて、商品交換画像に表示される商品画像をソートする処理を行う。そして、ステップＳ１０−１２の処理が終了すると、ステップＳ１０−１１に処理を移行する。
【０１８５】
（ステップＳ１０−１３）
ステップＳ１０−１３において、ＣＰＵ１１は、「カーソル」の操作が行われたか否かを判定する処理を行う。ここで、タッチパネルセンサ２ａは、液晶表示装置２に表示されている商品交換画像のうち、「カーソル」に対応する領域が操作された場合に、「カーソル」に対応する領域が操作された旨の信号を制御基板１０に対して送信する。即ち、ＣＰＵ１１は、タッチパネルセンサ２ａにより、「カーソル」に対応する領域が操作された旨の信号が送信され、当該信号を受信したか否かを判定する処理を行う。そして、「カーソル」の操作が行われたと判定された場合には（ステップＳ１０−１３＝ＹＥＳ）、ステップＳ１０−１４に処理を移行する。一方で、「カーソル」の操作が行われていないと判定された場合には（ステップＳ１０−１３＝ＮＯ）、ステップＳ１０−１５に処理を移行する。
【０１８６】
（ステップＳ１０−１４）
ステップＳ１０−１４において、ＣＰＵ１１は、商品交換画像更新処理を行う。具体的には、ＣＰＵ１１は、「上カーソル」に対応する領域が操作された場合には、液晶表示装置２に表示されている商品交換画像を「上カーソル」が操作された場合に対応して液晶表示装置２の表示を更新する処理を行い、「下カーソル」に対応する領域が操作された場合には、液晶表示装置２に表示されている商品交換画像を「下カーソル」が操作された場合に対応して液晶表示装置２の表示を更新する処理を行う。そして、ステップＳ１０−１４の処理が終了すると、ステップＳ１０−１１に処理を移行する。
【０１８７】
（ステップＳ１０−１５）
ステップＳ１０−１５において、ＣＰＵ１１は、「終了」の操作が行われたか否かを判定する処理を行う。ここで、タッチパネルセンサ２ａは、液晶表示装置２に表示されている商品交換画像のうち、「終了」に対応する領域が操作された場合に、「終了」に対応する領域が操作された旨の信号を制御基板１０に対して送信する。即ち、ＣＰＵ１１は、タッチパネルセンサ２ａにより、「終了」に対応する領域が操作された旨の信号が送信され、当該信号を受信したか否かを判定する処理を行う。そして、「終了」の操作が行われたと判定された場合には（ステップＳ１０−１５＝ＹＥＳ）、商品交換操作時処理のサブルーチンを終了し、ポイント交換装置１におけるメイン処理のステップＳ１９に処理を移行する。一方で、「終了」の操作が行われていないと判定された場合には（ステップＳ１０−１５＝ＮＯ）、ステップＳ１０−１６に処理を移行する。
【０１８８】
（ステップＳ１０−１６）
ステップＳ１０−１６において、ＣＰＵ１１は、「商品」の操作が行われたか否かを判定する処理を行う。ここで、タッチパネルセンサ２ａは、液晶表示装置２に表示されている商品交換画像のうち、「商品」に対応する領域が操作された場合に、「商品」に対応する領域が操作された旨の信号を制御基板１０に対して送信する。即ち、ＣＰＵ１１は、タッチパネルセンサ２ａにより、「商品」に対応する領域が操作された旨の信号が送信され、当該信号を受信したか否かを判定する処理を行う。そして、「商品」の操作が行われたと判定された場合には（ステップＳ１０−１６＝ＹＥＳ）、ステップＳ１０−１７に処理を移行する。一方で、「商品」の操作が行われていないと判定された場合には（ステップＳ１０−１６＝ＮＯ）、ステップＳ１０−１１に処理を移行する。
【０１８９】
（ステップＳ１０−１７）
ステップＳ１０−１７において、ＣＰＵ１１は、商品詳細画像表示処理を行う。具体的には、ＣＰＵ１１は、ステップＳ１０−１６の処理により操作された「商品」に対応する商品詳細画像（図２５（Ｆ）参照）を液晶表示装置２に表示する処理を行う。そして、ステップＳ１０−１７の処理が終了すると、ステップＳ１０−１８に処理を移行する。
【０１９０】
（ステップＳ１０−１８）
ステップＳ１０−１８において、ＣＰＵ１１は、「取消」の操作が行われたか否かを判定する処理を行う。ここで、タッチパネルセンサ２ａは、液晶表示装置２に表示されている商品詳細画像のうち、「取消」に対応する領域が操作された場合に、「取消」に対応する領域が操作された旨の信号を制御基板１０に対して送信する。即ち、ＣＰＵ１１は、タッチパネルセンサ２ａにより、「取消」に対応する領域が操作された旨の信号が送信され、当該信号を受信したか否かを判定する処理を行う。そして、「取消」の操作が行われたと判定された場合には（ステップＳ１０−１８＝ＹＥＳ）、商品交換操作時処理のサブルーチンを終了し、ポイント交換装置１におけるメイン処理のステップＳ１９に処理を移行する。一方で、「取消」の操作が行われていないと判定された場合には（ステップＳ１０−１８＝ＮＯ）、ステップＳ１０−１９に処理を移行する。
【０１９１】
（ステップＳ１０−１９）
ステップＳ１０−１９において、ＣＰＵ１１は、「交換」の操作が行われたか否かを判定する処理を行う。ここで、タッチパネルセンサ２ａは、液晶表示装置２に表示されている商品詳細画像のうち、「交換」に対応する領域が操作された場合に、「交換」に対応する領域が操作された旨の信号を制御基板１０に対して送信する。即ち、ＣＰＵ１１は、タッチパネルセンサ２ａにより、「交換」に対応する領域が操作された旨の信号が送信され、当該信号を受信したか否かを判定する処理を行う。そして、「交換」の操作が行われたと判定された場合には（ステップＳ１０−１９＝ＹＥＳ）、ステップＳ１０−２０に処理を移行する。一方で、「交換」の操作が行われていないと判定された場合には（ステップＳ１０−１９＝ＮＯ）、ステップＳ１０−１８に処理を移行する。
【０１９２】
（ステップＳ１０−２０）
ステップＳ１０−２０において、ＣＰＵ１１は、商品交換確認画像表示処理を行う。具体的には、ＣＰＵ１１は、ステップＳ１０−１９の処理により操作された「交換」に対応する商品確認画像（図２５（Ｇ）参照）を液晶表示装置２に表示する処理を行う。そして、ステップＳ１０−２０の処理が終了すると、ステップＳ１０−２１に処理を移行する。
【０１９３】
（ステップＳ１０−２１）
ステップＳ１０−２１において、ＣＰＵ１１は、「取消」の操作が行われたか否かを判定する処理を行う。ここで、タッチパネルセンサ２ａは、液晶表示装置２に表示されている商品交換確認画像のうち、「取消」に対応する領域が操作された場合に、「取消」に対応する領域が操作された旨の信号を制御基板１０に対して送信する。即ち、ＣＰＵ１１は、タッチパネルセンサ２ａにより、「取消」に対応する領域が操作された旨の信号が送信され、当該信号を受信したか否かを判定する処理を行う。そして、「取消」の操作が行われたと判定された場合には（ステップＳ１０−２１＝ＹＥＳ）、商品交換操作時処理のサブルーチンを終了し、ポイント交換装置１におけるメイン処理のステップＳ１９に処理を移行する。一方で、「取消」の操作が行われていないと判定された場合には（ステップＳ１０−２１＝ＮＯ）、ステップＳ１０−２２に処理を移行する。
【０１９４】
（ステップＳ１０−２２）
ステップＳ１０−２２において、ＣＰＵ１１は、「交換」の操作が行われたか否かを判定する処理を行う。ここで、タッチパネルセンサ２ａは、液晶表示装置２に表示されている商品交換確認画像のうち、「交換」に対応する領域が操作された場合に、「交換」に対応する領域が操作された旨の信号を制御基板１０に対して送信する。即ち、ＣＰＵ１１は、タッチパネルセンサ２ａにより、「交換」に対応する領域が操作された旨の信号が送信され、当該信号を受信したか否かを判定する処理を行う。そして、「交換」の操作が行われたと判定された場合には（ステップＳ１０−２２＝ＹＥＳ）、ステップＳ１０−２３に処理を移行する。一方で、「交換」の操作が行われていないと判定された場合には（ステップＳ１０−２２＝ＮＯ）、ステップＳ１０−２１に処理を移行する。
【０１９５】
（ステップＳ１０−２３）
ステップＳ１０−２３において、ＣＰＵ１１は、商品交換情報送信処理を行う。具体的には、ＣＰＵ１１は、購買管理サーバ２０１に対して、商品交換情報を送信する処理を行う。そして、ステップＳ１０−２３の処理が終了すると、ステップＳ１０−２４に処理を移行する。
【０１９６】
ここで、「商品交換情報」とは、ポイント交換装置１の交換装置ＩＤに係る情報と、会員氏名に係る情報と、交換することとなる商品に係る情報と、住所に係る情報と、電話番号に係る情報をいう。
【０１９７】
（ステップＳ１０−２４）
ステップＳ１０−２４において、ＣＰＵ１１は、ポイント減算情報送信処理を行う。具体的には、ＣＰＵ１１は、ポイント管理サーバ４０１に対して、ポイント減算情報を送信する処理を行う。そして、ステップＳ１０−２４の処理が終了すると、ステップＳ１０−２５に処理を移行する。
【０１９８】
ここで、「ポイント減算情報」とは、ポイント交換装置１の交換装置ＩＤと、会員ＩＤに係る情報と、会員氏名に係る情報と、交換することとなる商品に対応するポイントに係る情報をいう。
【０１９９】
（ステップＳ１０−２５）
ステップＳ１０−２５において、ＣＰＵ１１は、商品交換完了画像表示処理を行う。具体的には、ＣＰＵ１１は、商品交換が完了したことを報知するための商品交換完了画像（図２５（Ｈ）参照）を液晶表示装置２に表示する処理を行う。そして、ステップＳ１０−２５の処理が終了すると、商品交換操作時処理のサブルーチンを終了し、ポイント交換装置１におけるメイン処理のステップＳ１９に処理を移行する。
【０２００】
（商品確認操作時処理）
次に、図１５に基づいて、ポイント交換装置１におけるメイン処理のステップＳ１２により行われる商品確認操作時処理について説明を行う。
【０２０１】
（ステップＳ１２−１）
ステップＳ１２−１において、ＣＰＵ１１は、商品情報受信処理を行う。具体的には、ＣＰＵ１１は、商品管理サーバ３０１に対して、商品管理ＤＢ３０２に記憶されている商品情報を送信要求する処理を行い、商品管理サーバ３０１から、商品情報を受信する処理を行う。そして、ステップＳ１２−１の処理が終了すると、ステップＳ１２−２に処理を移行する。
【０２０２】
（ステップＳ１２−２）
ステップＳ１２−２において、ＣＰＵ１１は、カテゴリー選択画像表示処理を行う。具体的には、ＣＰＵ１１は、ステップＳ１２−１の商品情報受信処理により受信した商品情報に基づいて、カテゴリー選択画像（図２８（Ｂ）参照）を液晶表示装置２に表示する処理を行う。そして、ステップＳ１２−２の処理が終了すると、ステップＳ１２−３に処理を移行する。
【０２０３】
（ステップＳ１２−３）
ステップＳ１２−３において、ＣＰＵ１１は、「カテゴリー」の操作が行われたか否かを判定する処理を行う。ここで、タッチパネルセンサ２ａは、液晶表示装置２に表示されているカテゴリー選択画像のうち、「カテゴリー」に対応する領域が操作された場合に、「カテゴリー」に対応する領域が操作された旨の信号を制御基板１０に対して送信する。即ち、ＣＰＵ１１は、タッチパネルセンサ２ａにより、「カテゴリー」に対応する領域が操作された旨の信号が送信され、当該信号を受信したか否かを判定する処理を行う。そして、「カテゴリー」の操作が行われたと判定された場合には（ステップＳ１２−３＝ＹＥＳ）、ステップＳ１２−４に処理を移行する。一方で、「カテゴリー」の操作が行われていないと判定された場合には（ステップＳ１２−３＝ＮＯ）、「カテゴリー」の操作が行われるまで、ステップＳ１２−３の処理を繰り返し行う。
【０２０４】
（ステップＳ１２−４）
ステップＳ１２−４において、ＣＰＵ１１は、商品一覧画像表示処理を行う。具体的には、ＣＰＵ１１は、ステップＳ１２−３の処理により操作された「カテゴリー」に基づいて、商品一覧画像（図２８（Ｃ）参照）を液晶表示装置２に表示する処理を行う。そして、ステップＳ１２−４の処理が終了すると、ステップＳ１２−５に処理を移行する。
【０２０５】
（ステップＳ１２−５）
ステップＳ１２−５において、ＣＰＵ１１は、「ソート」の操作が行われたか否かを判定する処理を行う。ここで、タッチパネルセンサ２ａは、液晶表示装置２に表示されている商品一覧画像のうち、「ソート」に対応する領域が操作された場合に、「ソート」に対応する領域が操作された旨の信号を制御基板１０に対して送信する。即ち、ＣＰＵ１１は、タッチパネルセンサ２ａにより、「ソート」に対応する領域が操作された旨の信号が送信され、当該信号を受信したか否かを判定する処理を行う。そして、「ソート」の操作が行われたと判定された場合には（ステップＳ１２−５＝ＹＥＳ）、ステップＳ１２−６に処理を移行する。一方で、「ソート」の操作が行われていないと判定された場合には（ステップＳ１２−５＝ＮＯ）、ステップＳ１２−７に処理を移行する。
【０２０６】
（ステップＳ１２−６）
ステップＳ１２−６において、ＣＰＵ１１は、ソート操作時処理を行う。具体的には、ＣＰＵ１１は、まず、複数のソート条件が表示されるソート画像（図２７（Ｅ）参照）を液晶表示装置２に表示する処理を行う。次に、ＣＰＵ１１は、液晶表示装置２に表示されているソート画像のうち、「ソート条件」が操作されたか否かを判定する処理を行い、「ソート条件」が操作された場合に、操作された「ソート条件」に基づいて、商品一覧画像に表示される商品画像をソートする処理を行う。そして、ステップＳ１２−６の処理が終了すると、ステップＳ１２−５に処理を移行する。
【０２０７】
（ステップＳ１２−７）
ステップＳ１２−７において、ＣＰＵ１１は、「カーソル」の操作が行われたか否かを判定する処理を行う。ここで、タッチパネルセンサ２ａは、液晶表示装置２に表示されている商品一覧画像のうち、「カーソル」に対応する領域が操作された場合に、「カーソル」に対応する領域が操作された旨の信号を制御基板１０に対して送信する。即ち、ＣＰＵ１１は、タッチパネルセンサ２ａにより、「カーソル」に対応する領域が操作された旨の信号が送信され、当該信号を受信したか否かを判定する処理を行う。そして、「カーソル」の操作が行われたと判定された場合には（ステップＳ１２−７＝ＹＥＳ）、ステップＳ１２−８に処理を移行する。一方で、「カーソル」の操作が行われていないと判定された場合には（ステップＳ１２−７＝ＮＯ）、ステップＳ１２−９に処理を移行する。
【０２０８】
（ステップＳ１２−８）
ステップＳ１２−８において、ＣＰＵ１１は、商品一覧画像更新処理を行う。具体的には、ＣＰＵ１１は、「上カーソル」に対応する領域が操作された場合には、液晶表示装置２に表示されている商品一覧画像を「上カーソル」に対応する領域が操作された場合に対応して液晶表示装置２の表示を更新する処理を行い、「下カーソル」に対応する領域が操作された場合には、液晶表示装置２に表示されている商品一覧画像を「下カーソル」が操作された場合に対応して液晶表示装置２の表示を更新する処理を行う。そして、ステップＳ１２−８の処理が終了すると、ステップＳ１２−５に処理を移行する。
【０２０９】
（ステップＳ１２−９）
ステップＳ１２−９において、ＣＰＵ１１は、「終了」の操作が行われたか否かを判定する処理を行う。ここで、タッチパネルセンサ２ａは、液晶表示装置２に表示されている商品交換画像のうち、「終了」に対応する領域が操作された場合に、「終了」に対応する領域が操作された旨の信号を制御基板１０に対して送信する。即ち、ＣＰＵ１１は、タッチパネルセンサ２ａにより、「終了」に対応する領域が操作された旨の信号が送信され、当該信号を受信したか否かを判定する処理を行う。そして、「終了」の操作が行われたと判定された場合には（ステップＳ１２−９＝ＹＥＳ）、商品確認操作時処理のサブルーチンを終了し、ポイント交換装置１におけるメイン処理のステップＳ１９に処理を移行する。一方で、「終了」の操作が行われていないと判定された場合には（ステップＳ１２−９＝ＮＯ）、ステップＳ１２−１０に処理を移行する。
【０２１０】
（ステップＳ１２−１０）
ステップＳ１２−１０において、ＣＰＵ１１は、「商品」の操作が行われたか否かを判定する処理を行う。ここで、タッチパネルセンサ２ａは、液晶表示装置２に表示されている商品一覧画像のうち、「商品」に対応する領域が操作された場合に、「商品」に対応する領域が操作された旨の信号を制御基板１０に対して送信する。即ち、ＣＰＵ１１は、タッチパネルセンサ２ａにより、「商品」に対応する領域が操作された旨の信号が送信され、当該信号を受信したか否かを判定する処理を行う。そして、「商品」の操作が行われたと判定された場合には（ステップＳ１２−１０＝ＹＥＳ）、ステップＳ１２−１１に処理を移行する。一方で、「商品」の操作が行われていないと判定された場合には（ステップＳ１２−１０＝ＮＯ）、ステップＳ１２−５に処理を移行する。
【０２１１】
（ステップＳ１２−１１）
ステップＳ１２−１１において、ＣＰＵ１１は、商品紹介画像表示処理を行う。具体的には、ＣＰＵ１１は、ステップＳ１２−１１の処理により操作された「商品」に対応する商品紹介画像（図２８（Ｄ）参照）を液晶表示装置２に表示する処理を行う。そして、ステップＳ１２−１１の処理が終了すると、ステップＳ１２−１２に処理を移行する。
【０２１２】
（ステップＳ１２−１２）
ステップＳ１２−１２において、ＣＰＵ１１は、「終了」の操作が行われたか否かを判定する処理を行う。ここで、タッチパネルセンサ２ａは、液晶表示装置２に表示されている商品紹介画像のうち、「終了」に対応する領域が操作された場合に、「終了」に対応する領域が操作された旨の信号を制御基板１０に対して送信する。即ち、ＣＰＵ１１は、タッチパネルセンサ２ａにより、「終了」に対応する領域が操作された旨の信号が送信され、当該信号を受信したか否かを判定する処理を行う。そして、「終了」の操作が行われたと判定された場合には（ステップＳ１２−１２＝ＹＥＳ）、商品確認操作時処理のサブルーチンを終了し、ポイント交換装置１におけるメイン処理のステップＳ１９に処理を移行する。一方で、「終了」の操作が行われていないと判定された場合には（ステップＳ１２−１２＝ＮＯ）、「終了」の操作が行われるまで、ステップＳ１２−１２の処理を繰り返し行う。
【０２１３】
（会員登録操作時処理）
次に、図１６に基づいて、ポイント交換装置１におけるメイン処理のステップＳ１４により行われる会員登録操作時処理について説明を行う。
【０２１４】
（ステップＳ１４−１）
ステップＳ１４−１において、ＣＰＵ１１は、会員登録操作時用画像表示処理を行う。具体的には、ＣＰＵ１１は、会員登録に必要な二次元コードが印刷された紙（レシート）を受け取る旨を報知する会員登録操作時用画像（図２９（Ｂ）参照）を液晶表示装置２に表示する処理を行う。そして、ステップＳ１４−１の処理が終了すると、ステップＳ１４−２に処理を移行する。
【０２１５】
（ステップＳ１４−２）
ステップＳ１４−２において、ＣＰＵ１１は、会員登録用二次元コード生成処理を行う。具体的には、ＣＰＵ１１は、会員管理サーバ１０１にアクセスするためのＵＲＬに係る情報、より具体的には、会員登録手続を行うためのＵＲＬに係る情報を有する二次元コードを生成する処理を行う。そして、ステップＳ１４−２の処理が終了すると、ステップＳ１４−３に処理を移行する。
【０２１６】
（ステップＳ１４−３）
ステップＳ１４−３において、ＣＰＵ１１は、会員登録用二次元コード印刷処理を行う。具体的には、ＣＰＵ１１は、印刷部１６により、ステップＳ１４−２の会員登録用二次元コード生成処理により生成された二次元コードを紙（レシート）に印刷し、当該印刷された紙（レシート）を排紙口７により排紙する処理を行う。そして、ステップＳ１４−３の処理が終了すると、会員登録操作時処理のサブルーチンを終了し、ポイント交換装置１におけるメイン処理のステップＳ１９に処理を移行する。
【０２１７】
（会員情報更新操作時処理）
次に、図１７に基づいて、ポイント交換装置１におけるメイン処理のステップＳ１６により行われる会員情報更新操作時処理について説明を行う。
【０２１８】
（ステップＳ１６−１）
ステップＳ１６−１において、ＣＰＵ１１は、会員情報更新操作時用画像表示処理を行う。具体的には、ＣＰＵ１１は、会員情報の更新に必要な二次元コードが印刷された紙（レシート）を受け取る旨を報知する会員情報更新操作時用画像（図３０（Ｂ）参照）を液晶表示装置２に表示する処理を行う。そして、ステップＳ１６−１の処理が終了すると、ステップＳ１６−２に処理を移行する。
【０２１９】
（ステップＳ１６−２）
ステップＳ１６−２において、ＣＰＵ１１は、会員情報更新用二次元コード生成処理を行う。具体的には、ＣＰＵ１１は、会員管理サーバ１０１にアクセスするためのＵＲＬに係る情報、より具体的には、会員情報の更新手続を行うためのＵＲＬに係る情報を有する二次元コードを生成する処理を行う。そして、ステップＳ１６−２の処理が終了すると、ステップＳ１６−３に処理を移行する。
【０２２０】
（ステップＳ１６−３）
ステップＳ１６−３において、ＣＰＵ１１は、会員情報更新用二次元コード印刷処理を行う。具体的には、ＣＰＵ１１は、印刷部１６により、ステップＳ１６−２の会員情報更新用二次元コード生成処理により生成された二次元コードを紙（レシート）に印刷し、当該印刷された紙（レシート）を排紙口７により排紙する処理を行う。そして、ステップＳ１６−３の処理が終了すると、会員情報更新操作時処理のサブルーチンを終了し、ポイント交換装置１におけるメイン処理のステップＳ１９に処理を移行する。
【０２２１】
（会員管理サーバ１０１におけるメイン処理）
次に、図１８に基づいて、会員管理サーバ１０１におけるメイン処理について説明を行う。
【０２２２】
（ステップＳ１０１）
ステップＳ１０１において、会員管理サーバ１０１は、会員登録情報を受信したか否かを判定する処理を行う。具体的には、会員管理サーバ１０１は、携帯端末Ｐからインターネットを介して会員登録情報を受信したか否かを判定する処理を行う。そして、会員登録情報を受信したと判定された場合には（ステップＳ１０１＝ＹＥＳ）、ステップＳ１０２に処理を移行する。一方で、会員登録情報を受信していないと判定された場合には（ステップＳ１０１＝ＮＯ）、ステップＳ１０３に処理を移行する。
【０２２３】
（ステップＳ１０２）
ステップＳ１０２において、会員管理サーバ１０１は、会員登録情報受信時処理を行う。具体的には、会員管理サーバ１０１は、受信した会員登録情報を会員管理ＤＢ１０２に登録する処理を行う。そして、ステップＳ１０２の処理が終了すると、会員管理サーバ１０１におけるメイン処理を終了し、再びステップＳ１０１から処理を実行する。
【０２２４】
（ステップＳ１０３）
ステップＳ１０３において、会員管理サーバ１０１は、会員更新情報を受信したか否かを判定する処理を行う。具体的には、会員管理サーバ１０１は、携帯端末Ｐからインターネットを介して会員更新情報を受信したか否かを判定する処理を行う。そして、会員更新情報を受信したと判定された場合には（ステップＳ１０３＝ＹＥＳ）、ステップＳ１０４に処理を移行する。一方で、会員更新情報を受信していないと判定された場合には（ステップＳ１０３＝ＮＯ）、ステップＳ１０５に処理を移行する。
【０２２５】
（ステップＳ１０４）
ステップＳ１０４において、会員管理サーバ１０１は、会員更新情報受信時処理を行う。具体的には、会員管理サーバ１０１は、会員管理ＤＢ１０２に登録されている会員登録情報を、新たに受信した会員更新情報に更新して登録する処理を行う。そして、ステップＳ１０４の処理が終了すると、会員管理サーバ１０１におけるメイン処理を終了し、再びステップＳ１０１から処理を実行する。
【０２２６】
（ステップＳ１０５）
ステップＳ１０５において、会員管理サーバ１０１は、氏名・パスワード情報を受信したか否かを判定する処理を行う。具体的には、会員管理サーバ１０１は、ポイント管理サーバ４０１から氏名・パスワード情報を受信したか否かを判定する処理を行う。そして、氏名・パスワード情報を受信したと判定された場合には（ステップＳ１０５＝ＹＥＳ）、ステップＳ１０６に処理を移行する。一方で、氏名・パスワード情報を受信していないと判定された場合には（ステップＳ１０５＝ＮＯ）、ステップＳ１０８に処理を移行する。
【０２２７】
（ステップＳ１０６）
ステップＳ１０６において、会員管理サーバ１０１は、会員認証処理を行う。具体的には、会員管理サーバ１０１は、会員管理ＤＢ１０２の氏名記憶領域１０２ｂに登録されている会員の氏名に係る情報と、受信した氏名・パスワード情報の氏名に係る情報とが一致するか否かを判定し、一致する場合には、パスワード記憶領域１０２ｇに記憶されている情報と、受信した氏名・パスワード情報のパスワードに係る情報とが一致するか否かを判定する処理を行う。ここで、会員管理サーバ１０１は、会員管理ＤＢ１０２の氏名記憶領域１０２ｂに登録されている会員の氏名に係る情報と、受信した氏名・パスワード情報の氏名に係る情報とが一致し、パスワード記憶領域１０２ｇに記憶されている情報と、受信した氏名・パスワード情報のパスワードに係る情報とが一致する場合に、会員として認証したと判定することとなる。そして、ステップＳ１０６の処理が終了すると、ステップＳ１０７に処理を移行する。
【０２２８】
（ステップＳ１０７）
ステップＳ１０７において、会員管理サーバ１０１は、会員認証結果情報送信処理を行う。具体的には、会員管理サーバ１０１は、会員認証結果情報をポイント管理サーバ４０１に対して送信する処理を行う。そして、ステップＳ１０７の処理が終了すると、会員管理サーバ１０１におけるメイン処理を終了し、再びステップＳ１０１から処理を実行する。
【０２２９】
ここで、「会員認証結果情報」とは、ステップＳ１０６の会員認証処理を行った結果に係る情報をいう。すなわち、会員として認証した旨の情報、または会員として認証できなかった旨の情報をいう。
【０２３０】
（ステップＳ１０８）
ステップＳ１０８において、会員管理サーバ１０１は、会員情報送信要求があったか否かを判定する処理を行う。具体的には、会員管理サーバ１０１は、ポイント交換装置１や、ポイント管理サーバ４０１から会員情報の送信要求があったか否かを判定する処理を行う。そして、会員情報送信要求があったと判定された場合には（ステップＳ１０８＝ＹＥＳ）、ステップＳ１０９に処理を移行する。一方で、会員情報送信要求がないと判定された場合には（ステップＳ１０８＝ＮＯ）、会員管理サーバ１０１におけるメイン処理を終了し、再びステップＳ１０１から処理を実行する。
【０２３１】
（ステップＳ１０９）
ステップＳ１０９において、会員管理サーバ１０１は、会員情報送信処理を行う。具体的には、会員管理サーバ１０１は、送信要求先に対して、会員情報を送信する処理を行う。そして、ステップＳ１０９の処理が終了すると、会員管理サーバ１０１におけるメイン処理を終了し、再びステップＳ１０１から処理を実行する。
【０２３２】
（購買管理サーバ２０１におけるメイン処理）
次に、図１９に基づいて、購買管理サーバ２０１におけるメイン処理について説明を行う。
【０２３３】
（ステップＳ２０１）
ステップＳ２０１において、購買管理サーバ２０１は、商品交換情報を受信したか否かを判定する処理を行う。具体的には、購買管理サーバ２０１は、ステップＳ１０−２３の商品交換情報送信処理により、ポイント交換装置１から商品交換情報が送信され、当該送信された商品交換情報を受信したか否かを判定する処理を行う。そして、商品交換情報を受信したと判定された場合には（ステップＳ２０１＝ＹＥＳ）、ステップＳ２０２に処理を移行する。一方で、商品交換情報を受信していないと判定された場合には（ステップＳ２０１＝ＮＯ）、購買管理サーバ２０１におけるメイン処理を終了し、再びステップＳ２０１から処理を実行する。
【０２３４】
（ステップＳ２０２）
ステップＳ２０２において、購買管理サーバ２０１は、商品交換情報登録処理を行う。具体的には、購買管理サーバ２０１は、ステップＳ１０−２３の商品交換情報送信処理により、ポイント交換装置１から送信された商品交換情報を、購買管理ＤＢ２０２に登録する処理を行う。そして、ステップＳ２０２の処理が終了すると、ステップＳ２０３に処理を移行する。
【０２３５】
（ステップＳ２０３）
ステップＳ２０３において、購買管理サーバ２０１は、商品交換完了情報送信処理を行う。具体的には、購買管理サーバ２０１は、商品管理サーバ３０１に対して、商品交換完了情報を送信する処理を行う。そして、ステップＳ２０３の処理が終了すると、購買管理サーバ２０１におけるメイン処理を終了し、再びステップＳ２０１から処理を実行する。
【０２３６】
ここで、「商品交換完了情報」とは、少なくとも購買管理ＤＢ２０２の購買商品記憶領域２０２ｅに登録された商品に係る情報を有する。
【０２３７】
（商品管理サーバ３０１におけるメイン処理）
次に、図２０に基づいて、商品管理サーバ３０１におけるメイン処理について説明を行う。
【０２３８】
（ステップＳ３０１）
ステップＳ３０１において、商品管理サーバ３０１は、商品交換完了情報を受信したか否かを判定する処理を行う。具体的には、商品管理サーバ３０１は、購買管理サーバ２０１から商品交換完了情報を受信したか否かを判定する処理を行う。そして、商品交換完了情報を受信したと判定された場合には（ステップＳ３０１＝ＹＥＳ）、ステップＳ３０２に処理を移行する。一方で、商品交換完了情報を受信していないと判定された場合には（ステップＳ３０１＝ＮＯ）、ステップＳ３０３に処理を移行する。
【０２３９】
（ステップＳ３０２）
ステップＳ３０２において、商品管理サーバ３０１は、在庫数減算処理を行う。具体的には、商品管理サーバ３０１は、受信した商品交換完了情報に基づいて、商品管理ＤＢ３０２の在庫数記憶領域３０２ｆに記憶されている在庫数に係る値から「１」減算する処理を行う。そして、ステップＳ３０２の処理が終了すると、商品管理サーバ３０１におけるメイン処理を終了し、再びステップＳ３０１から処理を実行する。
【０２４０】
なお、ポイントを商品と交換する際に、一回の処理で複数個の商品と交換可能としてもよい。この場合において、ステップＳ３０２の在庫数減算処理においては、在庫数記憶領域３０２ｆに記憶されている在庫数に係る値から交換される商品の個数分だけ減算する処理が行われることとなる。
【０２４１】
（ステップＳ３０３）
ステップＳ３０３において、商品管理サーバ３０１は、在庫数を更新する操作が行われたか否かを判定する処理を行う。具体的には、商品管理サーバ３０１の管理者は、例えば、商品管理ＤＢ３０２に登録されている商品を新たに入荷した場合や、消費期限となった商品を処分する場合に在庫数を更新する操作を行うこととなる。したがって、商品管理サーバ３０１は、管理者によって、在庫数を加算、または減算する操作が行われたか否かを判定する処理を行う。そして、在庫数を更新する操作が行われたと判定された場合には（ステップＳ３０３＝ＹＥＳ）、ステップＳ３０４に処理を移行する。一方で、在庫数を更新する操作が行われていないと判定された場合には（ステップＳ３０３＝ＮＯ）、ステップＳ３０５に処理を移行する。
【０２４２】
（ステップＳ３０４）
ステップＳ３０４において、商品管理サーバ３０１は、在庫数更新処理を行う。具体的には、商品管理サーバ３０１は、商品管理ＤＢ３０２に登録されている商品を新たに入荷した場合には、在庫数記憶領域３０２ｆに記憶されている値に入荷した商品の数を加算する処理を行い、消費期限となった商品を処分する場合には、在庫数記憶領域３０２ｆに記憶されている値から処分することとなる商品の数を減算する処理を行う。そして、ステップＳ３０４の処理が終了すると、商品管理サーバ３０１におけるメイン処理を終了し、再びステップＳ３０１から処理を実行する。
【０２４３】
（ステップＳ３０５）
ステップＳ３０５において、商品管理サーバ３０１は、新商品を登録する操作が行われたか否かを判定する処理を行う。具体的には、商品管理サーバ３０１の管理者は、例えば、新商品を入荷した場合に、新商品に係る情報を商品管理ＤＢ３０２に登録する操作を行うこととなる。したがって、商品管理サーバ３０１は、管理者によって、新商品を登録する操作が行われたか否かを判定する処理を行う。そして、新商品を登録する操作が行われたと判定された場合には（ステップＳ３０５＝ＹＥＳ）、ステップＳ３０６に処理を移行する。一方で、新商品を登録する操作が行われていないと判定された場合には（ステップＳ３０５＝ＮＯ）、ステップＳ３０７に処理を移行する。
【０２４４】
（ステップＳ３０６）
ステップＳ３０６において、商品管理サーバ３０１は、新商品情報登録処理を行う。具体的には、商品管理サーバ３０１は、新商品に係る情報を商品管理ＤＢ３０２に登録する処理を行う。ここで、新商品情報登録処理を行う際には、商品名記憶領域３０２ｂに記憶される商品の名称、商品説明記憶領域３０２ｃに記憶される商品説明の情報、カテゴリー記憶領域３０２ｄに記憶されるカテゴリーに係る情報、画像データ記憶領域３０２ｅに記憶される商品の画像データ、在庫数記憶領域３０２ｆに記憶される商品の在庫数、必要ポイント記憶領域３０２ｇに記憶される商品と交換するために必要なポイントに係る情報、消費期限記憶領域３０２ｈに記憶される商品の消費期限（消費期限を入力する必要なカテゴリー（例えば、食品）に属する商品に限る）、仕入値記憶領域３０２ｉに記憶される商品の仕入値、及び仕入先記憶領域３０２ｊに記憶される商品の仕入先が登録されることとなり、これらが登録されると、商品ＩＤ記憶領域３０２ａの商品ＩＤが自動的に付与されることとなる。そして、ステップＳ３０６の処理が終了すると、商品管理サーバ３０１におけるメイン処理を終了し、再びステップＳ３０１から処理を実行する。
【０２４５】
（ステップＳ３０７）
ステップＳ３０７において、商品管理サーバ３０１は、商品情報送信要求があったか否かを判定する処理を行う。具体的には、商品管理サーバ３０１は、ポイント交換装置１から商品情報の送信要求があったか否かを判定する処理を行う。そして、商品情報送信要求があったと判定された場合には（ステップＳ３０７＝ＹＥＳ）、ステップＳ３０８に処理を移行する。一方で、商品情報送信要求がないと判定された場合には（ステップＳ３０７＝ＮＯ）、商品管理サーバ３０１におけるメイン処理を終了し、再びステップＳ３０１から処理を実行する。
【０２４６】
（ステップＳ３０８）
ステップＳ３０８において、商品管理サーバ３０１は、商品情報送信処理を行う。具体的には、商品管理サーバ３０１は、送信要求先に対して、商品情報を送信する処理を行う。そして、ステップＳ３０８の処理が終了すると、商品管理サーバ３０１におけるメイン処理を終了し、再びステップＳ３０１から処理を実行する。
【０２４７】
（ポイント管理サーバ４０１におけるメイン処理）
次に、図２１に基づいて、ポイント管理サーバ４０１におけるメイン処理について説明を行う。
【０２４８】
（ステップＳ４０１）
ステップＳ４０１において、ポイント管理サーバ４０１は、ポイント有効期限更新時刻であるか否かを判定する処理を行う。具体的には、ポイント管理サーバ４０１は、現在の時刻がポイント有効期限更新時刻である「００時００分００秒」となったか否かを判定する処理を行う。そして、ポイント有効期限更新時刻であると判定された場合には（ステップＳ４０１＝ＹＥＳ）、ステップＳ４０２に処理を移行する。一方で、ポイント有効期限更新時刻ではないと判定された場合には（ステップＳ４０１＝ＮＯ）ステップＳ４０４に処理を移行する。
【０２４９】
なお、「ポイント有効期限更新時刻」は、「００時００分００秒」ではなくてもよく、適宜設定可能である。
【０２５０】
（ステップＳ４０２）
ステップＳ４０２において、ポイント管理サーバ４０１は、有効期限対象ポイント更新禁止処理を行う。具体的には、ポイント管理サーバ４０１は、ポイント管理ＤＢ４０２の有効期限記憶領域４０２ｈに記憶されているポイントの有効期限に係る情報に基づいて、有効期限日となったポイントを特定し、当該特定されたポイントに係る情報の更新を禁止する処理を行う。そして、ステップＳ４０２の処理が終了すると、ステップＳ４０３に処理を移行する。
【０２５１】
（ステップＳ４０３）
ステップＳ４０３において、ポイント管理サーバ４０１は、有効期限対象ポイント削除処理を行う。具体的には、ポイント管理サーバ４０１は、ステップＳ４０２の有効期限対象ポイント更新禁止処理により特定された有効期限日となったポイントに係る情報を削除する処理を行う。そして、ステップＳ４０３の処理が終了すると、ステップＳ４０４に処理を移行する。
【０２５２】
より具体的には、例えば、「００時００分００秒」となったときに、有効期限記憶領域４０２ｈに記憶されている有効期限に係る情報を特定することで、削除対象となるポイントを特定する。そして、削除対象となるポイントを特定した後、紐付いて記憶されているポイントＩＤ記憶領域４０２ａ、更新日時記憶領域４０２ｂ、ショップ記憶領域４０２ｃ、ポイント管理ＤＢ用交換装置ＩＤ記憶領域４０２ｄ、ポイント管理ＤＢ用会員ＩＤ記憶領域４０２ｅ、会員氏名記憶領域４０２ｆ、更新ポイント記憶領域４０２ｇ、有効期限記憶領域４０２ｈ、及びセキュリティコード記憶領域４０２ｉを削除することとなる。
【０２５３】
（ステップＳ４０４）
ステップＳ４０４において、ポイント管理サーバ４０１は、ポイント交換情報を受信したか否かを判定する処理を行う。具体的には、ポイント管理サーバ４０１は、ポイント交換装置１からポイント交換情報を受信したか否かを判定する処理を行う。そして、ポイント交換情報を受信したと判定された場合には（ステップＳ４０４＝ＹＥＳ）、ステップＳ４０５に処理を移行する。一方で、ポイント交換情報を受信していないと判定された場合には（ステップＳ４０４＝ＮＯ）、ステップＳ４０６に処理を移行する。
【０２５４】
（ステップＳ４０５）
ステップＳ４０５において、ポイント管理サーバ４０１は、ポイント交換情報記憶処理を行う。具体的には、ポイント管理サーバ４０１は、ポイント交換装置１により受信したポイント交換情報をポイント管理ＤＢ４０２に記憶する処理を行う。より具体的には、まず、ポイント管理ＤＢ４０２のポイントＩＤ記憶領域４０２ａとして新たなＩＤを付与し、この新たなＩＤに紐付けて、ポイント交換情報に含まれているポイント交換装置１が設置されているショップに係る情報をショップ記憶領域４０２ｃに記憶し、ポイント交換装置１のＩＤをポイント管理ＤＢ用交換装置ＩＤ記憶領域４０２ｄに記憶し、交換されるポイント数を更新ポイント記憶領域４０２ｇに記憶する処理を行う。そして、ポイント交換情報を記憶した日時を更新日時記憶領域４０２ｂに記憶する処理を行うとともに、セキュリティコードを生成し、生成されたセキュリティコードに係る情報をセキュリティコード記憶領域４０２ｉに記憶する処理を行う。そして、ステップＳ４０５の処理が終了すると、ポイント管理サーバ４０１におけるメイン処理を終了し、再びステップＳ４０１から処理を実行する。
【０２５５】
（ステップＳ４０６）
ステップＳ４０６において、ポイント管理サーバ４０１は、セキュリティコード送信要求があったか否かを判定する処理を行う。具体的には、ポイント管理サーバ４０１は、ポイント交換装置１からセキュリティコードの送信要求があったか否かを判定する処理を行う。そして、セキュリティコード送信要求があったと判定された場合には（ステップＳ４０６＝ＹＥＳ）、ステップＳ４０７に処理を移行する。一方で、セキュリティコード送信要求がないと判定された場合には（ステップＳ４０６＝ＮＯ）、ステップＳ４０８に処理を移行する。
【０２５６】
（ステップＳ４０７）
ステップＳ４０７において、ポイント管理サーバ４０１は、セキュリティコード送信処理を行う。具体的には、ポイント管理サーバ４０１は、ポイント交換装置１に対して、ステップＳ４０５のポイント交換情報記憶処理により生成されたセキュリティコードを送信する処理を行う。そして、ステップＳ４０７の処理が終了すると、ポイント管理サーバ４０１におけるメイン処理を終了し、再びステップＳ４０１から処理を実行する。
【０２５７】
（ステップＳ４０８）
ステップＳ４０８において、ポイント管理サーバ４０１は、氏名・パスワード情報を受信したか否かを判定する処理を行う。具体的には、ポイント管理サーバ４０１は、インターネットを介して、携帯端末Ｐから氏名、及びパスワードに係る情報を受信したか否かを判定する処理を行う。そして、氏名・パスワード情報を受信したと判定された場合には（ステップＳ４０８＝ＹＥＳ）、ステップＳ４０９に処理を移行する。一方で、氏名・パスワード情報を受信していないと判定された場合には（ステップＳ４０８＝ＮＯ）、ステップＳ４１４に処理を移行する。
【０２５８】
なお、具体的には後述するが、携帯端末Ｐは、氏名、及びパスワードに係る情報を送信する際に、セキュリティコードに係る情報を送信することとなる。
【０２５９】
（ステップＳ４０９）
ステップＳ４０９において、ポイント管理サーバ４０１は、ポイント付与認証処理を行う。具体的には、ポイント管理サーバ４０１は、携帯端末Ｐから受信したセキュリティコードに係る情報と、ポイント管理ＤＢ４０２のセキュリティコード記憶領域４０２ｉに記憶されているセキュリティコードに係る情報が一致するか否かを判定する処理を行う。また、ポイント管理サーバ４０１は、会員管理サーバ１０１に対して、氏名・パスワード情報を送信し、会員認証結果情報を受信する処理を行う。そして、ステップＳ４０９の処理が終了すると、ステップＳ４１０に処理を移行する。
【０２６０】
（ステップＳ４１０）
ステップＳ４１０において、ポイント管理サーバ４０１は、認証したか否かを判定する処理を行う。具体的には、ポイント管理サーバ４０１は、ステップＳ４０９のポイント付与認証処理を行った結果、携帯端末Ｐから受信したセキュリティコードに係る情報と、ポイント管理ＤＢ４０２のセキュリティコード記憶領域４０２ｉに記憶されているセキュリティコードに係る情報が一致し、会員管理サーバ１０１から受信した会員認証結果情報が会員として認証した旨の情報を有するか否かを判定する処理を行う。ここで、ポイント管理サーバ４０１は、ステップＳ４０９のポイント付与認証処理を行った結果、携帯端末Ｐから受信したセキュリティコードに係る情報と、ポイント管理ＤＢ４０２のセキュリティコード記憶領域４０２ｉに記憶されているセキュリティコードに係る情報が一致し、かつ、会員管理サーバ１０１から受信した会員認証結果情報が会員として認証した旨の情報を有すると判定した場合認証したと判定する。そして、認証したと判定された場合には（ステップＳ４１０＝ＹＥＳ）、ステップＳ４１１に処理を移行する。一方で、認証していないと判定された場合には（ステップＳ４１０＝ＮＯ）、ポイント管理サーバ４０１におけるメイン処理を終了し、再びステップＳ４０１から処理を実行する。
【０２６１】
（ステップＳ４１１）
ステップＳ４１１において、ポイント管理サーバ４０１は、ポイント加算時処理を行う。具体的には、ポイント管理サーバ４０１は、携帯端末Ｐから受信した氏名、及びパスワードに係る情報と、ポイント管理ＤＢ４０２に記憶されているセキュリティコード記憶領域４０２ｉに記憶されているセキュリティコードに係る情報に紐付いている各記憶領域に記憶されている情報に基づいて、ポイント管理ＤＢ４０２にポイントを付与する旨の情報を記憶する処理を行う。また、ポイント管理サーバ４０１は、ポイント管理ＤＢ４０２に記憶されている情報に基づいて、今回のポイント加算時処理により加算される前のポイントと、今回のポイント加算時処理により加算されるポイントと、これらの合計ポイントを算出し、携帯端末Ｐに対して送信することとなる。この結果、今回のポイント加算時処理により加算される前のポイントと、今回のポイント加算時処理により加算されるポイントと、これらの合計ポイントが携帯端末Ｐの液晶表示装置に報知されることとなる。そして、ステップＳ４１１の処理が終了すると、ステップＳ４１２に処理を移行する。
【０２６２】
（ステップＳ４１２）
ステップＳ４１２において、ポイント管理サーバ４０１は、メール送信対象会員情報受信処理を行う。具体的には、ポイント管理サーバ４０１は、会員管理サーバ１０１に対して、メール送信対象会員情報の送信要求を行うとともに、会員管理サーバ１０１からメール送信対象会員情報を受信する処理を行う。そして、ステップＳ４１２の処理が終了すると、ステップＳ４１３に処理を移行する。
【０２６３】
（ステップＳ４１３）
ステップＳ４１３において、ポイント管理サーバ４０１は、ポイント加算メール送信処理を行う。具体的には、ポイント管理サーバ４０１は、ステップＳ４１２のメール送信対象会員情報受信処理により受信したメール送信対象会員情報に基づいて、ポイント加算メールを送信する処理を行う。そして、ステップＳ４１３の処理が終了すると、ポイント管理サーバ４０１におけるメイン処理を終了し、再びステップＳ４０１から処理を実行する。
【０２６４】
ここで、「ポイント加算メール」は、少なくとも、会員氏名に係る情報、及び付与されたポイントに係る情報を有している。なお、他の情報を有していてもよく、例えば、有効期限に係る情報を有していてもよい。
【０２６５】
なお、この際に、ポイント管理サーバ４０１は、インターネットを介して携帯端末Ｐの液晶表示装置にポイント交換完了画像を表示するために必要な情報、より具体的には、氏名に係る情報と、「ポイント交換が完了しました。」という文字画像と、ポイントが加算される前の合計ポイントと、加算されるポイントと、これらの合計ポイントを表示するために必要な情報を携帯端末Ｐに送信する。
【０２６６】
（ステップＳ４１４）
ステップＳ４１４において、ポイント管理サーバ４０１は、ポイント減算情報を受信したか否かを判定する処理を行う。具体的には、ポイント管理サーバ４０１は、ポイント交換装置１からポイント減算情報を受信したか否かを判定する処理を行う。そして、ポイント減算情報を受信したと判定された場合には（ステップＳ４１４＝ＹＥＳ）、ステップＳ４１５に処理を移行する。一方で、ポイント減算情報を受信していないと判定された場合には（ステップＳ４１４＝ＮＯ）、ステップＳ４１６に処理を移行する。
【０２６７】
（ステップＳ４１５）
ステップＳ４１５において、ポイント管理サーバ４０１は、ポイント減算情報受信時処理を行う。具体的には、ポイント管理サーバ４０１は、受信したポイント減算情報を、ポイント管理ＤＢ４０２に記憶する処理を行う。そして、ステップＳ４１５の処理が終了すると、ポイント管理サーバ４０１におけるメイン処理を終了し、再びステップＳ４０１から処理を実行する。
【０２６８】
（ステップＳ４１６）
ステップＳ４１６において、ポイント管理サーバ４０１は、ポイント情報送信要求があったか否かを判定する処理を行う。具体的には、ポイント管理サーバ４０１は、ポイント交換装置１からポイント情報の送信要求があったか否かを判定する処理を行う。そして、ポイント情報送信要求があったと判定された場合には（ステップＳ４１６＝ＹＥＳ）、ステップＳ４１７に処理を移行する。一方で、ポイント情報送信要求がないと判定された場合には（ステップＳ４１６＝ＮＯ）、ポイント管理サーバ４０１におけるメイン処理を終了し、再びステップＳ４０１から処理を実行する。
【０２６９】
（ステップＳ４１７）
ステップＳ４１７において、ポイント管理サーバ４０１は、ポイント情報送信処理を行う。具体的には、ポイント管理サーバ４０１は、送信要求先に対して、ポイント情報を送信する処理を行う。そして、ステップＳ４１７の処理が終了すると、ポイント管理サーバ４０１におけるメイン処理を終了し、再びステップＳ４０１から処理を実行する。
【０２７０】
（ポイント交換時のアニメーション）
次に、図２２を用いて、ポイント交換時のアニメーションについて説明を行う。
【０２７１】
まず、図２２（Ａ）に示す通り、ポイント交換装置１の液晶表示装置２には、トップメニュー画像が表示されている。ここで、トップメニュー画像が携帯端末Ｐの液晶表示装置に表示されているときは、「ポイント交換」に対応する領域と、「ポイント確認」に対応する領域と、「商品交換」に対応する領域と、「商品確認」に対応する領域と、「会員登録」に対応する領域と、「会員情報更新」に対応する領域とが操作可能となっている。
【０２７２】
また、図２２（Ａ）においては、「ポイント交換」に対応する領域と、「ポイント確認」に対応する領域と、「商品交換」に対応する領域と、「商品確認」に対応する領域と、「会員登録」に対応する領域と、「会員情報更新」に対応する領域とを同じ色で表示することで、「ポイント交換」に対応する領域と、「ポイント確認」に対応する領域と、「商品交換」に対応する領域と、「商品確認」に対応する領域と、「会員登録」に対応する領域と、「会員情報更新」に対応する領域とが操作可能であることを報知している。
【０２７３】
また、図２２（Ａ）においては、「言語」に対応する領域が操作可能となっている。具体的には、「英語」に対応する領域と、「中国語」に対応する領域と、「韓国語」に対応する領域とが操作可能となっている。なお、「英語」に対応する領域が操作された場合には、液晶表示装置２に表示されている文字を英語に切り替えて表示する処理が行われ、「中国語」に対応する領域が操作された場合には、液晶表示装置２に表示されている文字を中国語に切り替えて表示する処理が行われ、「韓国語」に対応する領域が操作された場合には、液晶表示装置２に表示されている文字を韓国語に切り替えて表示する処理が行われることとなる。
【０２７４】
次に、図２２（Ｂ）に示す通り、図２２（Ａ）において、「ポイント交換」に対応する領域が操作された場合に、景品投入部３に景品５０の投入を促す画像が液晶表示装置２に表示されることとなる。ここで、図２２（Ｂ）においては、第１景品５１が投入された数と、第２景品５２が投入された数と、第３景品５３が投入された数が液晶表示装置２に表示されることとなる。なお、図２２（Ｂ）においては、まだ景品５０が投入されていないため、第１景品５１が投入された数と、第２景品５２が投入された数と、第３景品５３が何れも「０」となっている。
【０２７５】
また、図２２（Ｂ）においては、「取消」に対応する領域が操作可能である一方で、景品５０が投入されていないので、「交換」に対応する領域は操作不可能となっている。なお、図２２（Ｂ）においては、操作可能な「取消」に対応する領域を白色で表示するとともに、操作不可能な「交換」に対応する領域を灰色で表示している。即ち、操作可能な「取消」に対応する領域と、操作不可能な「交換」に対応する領域とを異なる色で表示することで、「取消」に対応する領域が操作可能であることと、「交換」に対応する領域が操作不可能であることを報知している。
【０２７６】
次に、図２２（Ｃ）に示す通り、図２２（Ｂ）において、「１」枚の第１景品５１が景品投入部３に投入され、景品読取部１５により、投入された第１景品５１が贋物ではないと判定された場合に、液晶表示装置２に表示されている景品投入部３に景品５０の投入を促す画像が更新されることとなる。具体的には、液晶表示装置２に表示されている第１景品５１が投入された数を報知する領域が更新されることとなる。
【０２７７】
また、図２２（Ｃ）においては、「取消」に対応する領域、及び「交換」に対応する領域が操作可能となっている。なお、図２２（Ｃ）においては、操作可能な「取消」に対応する領域と、「交換」に対応する領域とを白色で表示することで、「取消」に対応する領域、及び「交換」に対応する領域が操作可能であることを報知している。
【０２７８】
次に、図２２（Ｄ）に示す通り、図２２（Ｃ）において、「交換」に対応する領域が操作されると、景品５０とポイントを交換することに対して確認を促す画像が液晶表示装置２に表示されることとなる。具体的には、景品投入部３に投入され、景品読取部１５により、投入された景品５０が贋物ではないと判定された景品５０の数と、交換することとなるポイントの値と、有効期限が交換から「３」月である旨が報知される。
【０２７９】
また、図２２（Ｄ）においては、「取消」に対応する領域、及び「交換」に対応する領域が操作可能となっている。なお、図２２（Ｄ）においては、操作可能な「取消」に対応する領域と、操作不可能な「交換」に対応する領域とを白色で表示することで、「取消」に対応する領域、及び「交換」に対応する領域が操作可能であることを報知している。
【０２８０】
次に、図２２（Ｅ）に示す通り、図２２（Ｄ）において、「交換」に対応する領域が操作されると、景品５０をポイントに交換するための紙（レシート）が排紙されることを報知する交換用レシート発行画像が液晶表示装置２に表示されることとなる。ここで、「交換用レシート発行画像」は、排紙口７から紙（レシート）が排紙されるアニメーション画像と、「レシートをお取り下さい。」という文字画像が含まれている。
【０２８１】
次に、図２２（Ｆ）に示す通り、図２２（Ｅ）において、所定時間が経過すると、トップメニュー画像が液晶表示装置２に表示されることとなる。
【０２８２】
次に、図２２（Ｇ）に示す通り、携帯端末Ｐは、排紙口７から排紙された景品５０をポイントに交換するための紙（レシート）に印刷された二次元コードを読み取ると、インターネットを介してポイント管理サーバ４０１に接続することとなる。この際に、ポイント加算画像が携帯端末Ｐの液晶表示装置に表示されることとなる。
【０２８３】
ここで、「ポイント加算画像」とは、図２２（Ｇ）に示す通り、氏名に係る情報を入力するための領域と、パスワードに係る情報を入力するための領域と、これらの入力がされた後に操作可能となる「完了」に対応する領域とが含まれている。なお、「完了」に対応する領域は、氏名に係る情報と、パスワードに係る情報が入力された場合に操作可能となる。ここで、「完了」に対応する領域は、操作可能となった場合には、白色で表示される一方で、操作不可能である場合には、灰色で表示されることとなる。
【０２８４】
次に、図２２（Ｈ）に示す通り、図２２（Ｇ）において、氏名に係る情報と、パスワードに係る情報とが入力された後、「完了」に対応する領域が操作された場合に、ポイント交換完了画像が携帯端末Ｐの液晶表示装置に表示されることとなる。ここで、「ポイント交換完了画像」は、氏名に係る情報と、「ポイント交換が完了しました。」という文字画像と、ポイントが加算される前の合計ポイントと、加算されるポイントと、これらの合計ポイントが含まれている。
【０２８５】
（取消時のアニメーション）
次に、図２３を用いて、取消時のアニメーションについて説明を行う。
【０２８６】
まず、図２３（Ａ）〜図２３（Ｃ）を用いて、景品５０が景品投入部３に投入される前に「取消」に対応する領域が操作された場合について説明を行う。
【０２８７】
まず、図２３（Ａ）に示す通り、ポイント交換装置１の液晶表示装置２には、トップメニュー画像が表示されている。
【０２８８】
次に、図２３（Ｂ）に示す通り、図２２（Ａ）において、「ポイント交換」に対応する領域が操作された場合に、景品投入部３に景品５０の投入を促す画像が液晶表示装置２に表示されることとなる。
【０２８９】
次に、図２３（Ｃ）に示す通り、図２３（Ｂ）において、「取消」に対応する領域が操作された場合には、トップメニュー画像が液晶表示装置２に表示されることとなる。
【０２９０】
このように、景品５０が景品投入部３に投入される前に「取消」に対応する領域が操作された場合には、トップメニュー画像が液晶表示装置２に表示されることとなる。なお、景品５０が景品投入部３に投入される前に「取消」が操作された場合に、ポイント交換が取り消された旨を液晶表示装置２に表示してからトップメニュー画像を液晶表示装置２に表示することとしてもよい。
【０２９１】
次に、図２３（Ｄ）〜図２３（Ｅ）を用いて、景品５０が景品投入部３に投入された後に「取消」に対応する領域が操作された場合について説明を行う。
【０２９２】
まず、図２３（Ｄ）に示す通り、図２３（Ｂ）において、「１」枚の第１景品５１が景品投入部３に投入され、景品読取部１５により、投入された第１景品５１が贋物ではないと判定された場合に、液晶表示装置２に表示されている景品投入部３に景品５０の投入を促す画像が更新されることとなる。具体的には、液晶表示装置２に表示されている第１景品５１が投入された数を報知する領域が更新されることとなる。
【０２９３】
次に、図２３（Ｅ）に示す通り、図２３（Ｄ）において、「取消」に対応する領域が操作された場合には、景品５０を返却した旨の画像が液晶表示装置２に表示されることとなる。具体的には、「ポイント交換を取り消しました。」という文字画像と、「景品の取り忘れにご注意下さい。」という文字画像とが液晶表示装置２に表示されることとなる。この際に、景品５０を返却したことを報知する音声がスピーカ６に出力されることとなる。
【０２９４】
なお、図２３（Ｄ）において、「交換」に対応する領域が操作された後、「取消」に対応する領域が操作された場合であっても、景品５０を返却した旨の画像が液晶表示装置２に表示されることとなる。
【０２９５】
次に、図２３（Ｆ）に示す通り、図２３（Ｅ）において、所定時間が経過すると、トップメニュー画像が液晶表示装置２に表示されることとなる。
【０２９６】
このように、景品５０が景品投入部３に投入された後に「取消」に対応する領域が操作された場合には、景品５０を返却した旨の画像が液晶表示装置２に表示されてから、トップメニュー画像が液晶表示装置２に表示されることとなる。これにより、景品５０の取り忘れを防止することができる。
【０２９７】
（ポイント確認時のアニメーション）
次に、図２４を用いて、ポイント確認時のアニメーションについて説明を行う。
【０２９８】
まず、図２４（Ａ）に示す通り、ポイント交換装置１の液晶表示装置２には、トップメニュー画像が表示されている。
【０２９９】
次に、図２４（Ｂ）に示す通り、図２４（Ａ）において、「ポイント確認」に対応する領域が操作された場合に、二次元コード読取画像が液晶表示装置２に表示されることとなる。ここで、「二次元コード読取画像」とは、「二次元コードを翳して下さい。」という文字画像と、二次元コード読取部８に二次元コードを翳すことを促すアニメーション画像と、「取消」に対応する領域が含まれている。
【０３００】
次に、図２４（Ｃ）に示す通り、図２４（Ｂ）において、二次元コード読取部８が二次元コードを読み取った場合に、ポイント確認画像が液晶表示装置２に表示されることとなる。ここで、「ポイント確認画像」とは、氏名に係る情報と、現在所持しているポイントに係る情報と、「印刷」に対応する領域と、「詳細」に対応する領域と、「終了」に対応する領域とが含まれている。
【０３０１】
次に、図２４（Ｄ）に示す通り、図２４（Ｃ）において、「詳細」に対応する領域が操作された場合に、詳細画像が液晶表示装置２に表示されることとなる。ここで、「詳細画像」は、氏名に係る情報と、更新日に係る情報と、ショップに係る情報と、ポイントに係る情報と、有効期限に係る情報と、「印刷」に対応する領域と、「上カーソル」に対応する領域と、「下カーソル」に対応する領域と、「終了」に対応する領域とが含まれている。なお、図２４（Ｄ）では、「上カーソル」に対応する領域が操作不可能となっているとともに、「下カーソル」に対応する領域が操作可能となっている。
【０３０２】
次に、図２４（Ｅ）に示す通り、図２４（Ｄ）において、「下カーソル」に対応する領域が操作された場合に、液晶表示装置２に表示されている詳細画像が更新表示されることとなる。
【０３０３】
次に、図２４（Ｆ）に示す通り、図２４（Ｅ）において、「終了」に対応する領域が操作された場合に、トップメニュー画像が液晶表示装置２に表示されることとなる。
【０３０４】
（商品交換時のアニメーション）
次に、図２５を用いて、商品交換時のアニメーションについて説明を行う。
【０３０５】
まず、図２５（Ａ）に示す通り、ポイント交換装置１の液晶表示装置２には、トップメニュー画像が表示されている。
【０３０６】
次に、図２５（Ｂ）に示す通り、図２５（Ａ）において、「商品交換」に対応する領域が操作された場合に、二次元コード読取画像が液晶表示装置２に表示されることとなる。
【０３０７】
次に、図２５（Ｃ）に示す通り、図２５（Ｂ）において、二次元コード読取部８により二次元コードが読み取られた場合に、カテゴリー選択画像が液晶表示装置２に表示されることとなる。ここで、「カテゴリー選択画像」は、各カテゴリーに対応する領域が含まれている。
【０３０８】
なお、図２５（Ｃ）では、「書籍」に対応する領域と、「食料品」に対応する領域と、「ＣＤ・ＤＶＤ」に対応する領域と、「金券」に対応する領域と、「雑貨」に対応する領域と、「ゲームポイント」に対応する領域と、「家電製品」に対応する領域と、「全て」に対応する領域とが表示されているが、これら以外のカテゴリーに対応する領域が表示されることとしてもよい。
【０３０９】
次に、図２５（Ｄ）に示す通り、図２５（Ｃ）において、「全て」に対応する領域が操作された場合に、商品交換画像が液晶表示装置２に表示されることとなる。ここで、「商品交換画像」は、氏名に係る情報と、現在所持しているポイントに係る情報と、選択されたカテゴリーに対応する商品に係る領域と、「ソート」に対応する領域と、「上カーソル」に対応する領域と、「下カーソル」に対応する領域と、「終了」に対応する領域とが含まれている。
【０３１０】
なお、図２５（Ｄ）では、「上カーソル」に対応する領域が操作不可能となっており、選択されたカテゴリーに対応する商品に対応する領域と、「ソート」に対応する領域と、「下カーソル」に対応する領域と、「終了」に対応する領域とが操作可能となっている。
【０３１１】
ここで、図２５（Ｄ）では、選択されたカテゴリーに対応する商品に対応する領域として、商品Ａに対応する領域と、商品Ｂに対応する領域と、商品Ｃに対応する領域とが液晶表示装置２に表示されている。
【０３１２】
次に、図２５（Ｅ）に示す通り、図２５（Ｄ）において、「下カーソル」に対応する領域が操作された場合に、液晶表示装置２に表示されている商品交換画像が更新表示されることとなる。
【０３１３】
なお、図２５（Ｅ）では、「下カーソル」に対応する領域と、選択されたカテゴリーに対応する商品に係る領域の一部（商品Ｙに係る情報、及び商品Ｚに係る情報）が操作不可能となっており、選択されたカテゴリーに対応する商品に係る領域の一部（商品Ｘに対応する領域）と、「ソート」に対応する領域と、「上カーソル」に対応する領域と、「終了」に対応する領域とが操作可能となっている。
【０３１４】
ここで、商品Ｙに対応する領域、及び商品Ｚに対応する領域が操作不可能となっているのは、現在所持しているポイントが、商品と交換するのに必要なポイント未満であるためである。
【０３１５】
次に、図２５（Ｆ）に示す通り、図２５（Ｅ）において、「商品Ｘ」に対応する領域が操作された場合に、商品詳細画像が液晶表示装置２に表示されることとなる。ここで、「商品詳細画像」は、氏名に係る情報と、現在所持しているポイントに係る情報と、商品画像に係る情報と、商品説明に係る情報と、選択された商品と交換するのに必要なポイント数に係る情報と、「交換」に対応する領域と、「取消」に対応する領域とが含まれている。
【０３１６】
次に、図２５（Ｇ）に示す通り、図２５（Ｆ）において、「交換」に対応する領域が操作された場合に、商品確認画像が液晶表示装置２に表示されることとなる。ここで、「商品確認画像」は、「商品とポイントを交換します。よろしいですか？」という文字画像と、交換する商品に係る情報と、商品と交換した後に所持することとなるポイントに係る情報と、「交換」に対応する領域と、「取消」に対応する領域とが含まれている。
【０３１７】
次に、図２５（Ｈ）に示す通り、図２５（Ｇ）において、「交換」に対応する領域が操作された場合に、商品交換完了画像が液晶表示装置２に表示されることとなる。ここで、「商品交換完了画像」は、商品交換が完了したことを報知するための画像であって、例えば、図２５（Ｈ）に示すように、「商品交換が完了しました」という文字画像をいう。
【０３１８】
次に、図２５（Ｉ）に示す通り、図２５（Ｈ）において、所定時間が経過すると、トップメニュー画像が液晶表示装置２に表示されることとなる。
【０３１９】
（カテゴリー操作時のアニメーション）
次に、図２６を用いて、カテゴリー操作時のアニメーションについて説明を行う。
【０３２０】
まず、図２６（Ａ）に示す通り、ポイント交換装置１の液晶表示装置２には、トップメニュー画像が表示されている。
【０３２１】
次に、図２６（Ｂ）に示す通り、図２６（Ａ）において、「商品交換」に対応する領域が操作された場合に、二次元コード読取画像が液晶表示装置２に表示されることとなる。
【０３２２】
次に、図２６（Ｃ）に示す通り、図２６（Ｂ）において、二次元コード読取部８により二次元コードが読み取られた場合に、カテゴリー選択画像が液晶表示装置２に表示されることとなる。
【０３２３】
次に、図２６（Ｄ）に示す通り、図２６（Ｃ）において、「食料品」に対応する領域が操作された場合に、カテゴリーが「食料品」である商品交換画像が液晶表示装置２に表示されることとなる。
【０３２４】
（ソート操作時のアニメーション）
次に、図２７に基づいて、ソート操作時のアニメーションについて説明を行う。
【０３２５】
まず、図２７（Ａ）に示す通り、ポイント交換装置１の液晶表示装置２には、トップメニュー画像が表示されている。
【０３２６】
次に、図２７（Ｂ）に示す通り、図２７（Ａ）において、「商品交換」に対応する領域が操作された場合に、二次元コード読取画像が液晶表示装置２に表示されることとなる。
【０３２７】
次に、図２７（Ｃ）に示す通り、図２７（Ｂ）において、二次元コード読取部８により二次元コードが読み取られた場合に、カテゴリー選択画像が液晶表示装置２に表示されることとなる。
【０３２８】
次に、図２７（Ｄ）に示す通り、図２７（Ｃ）において、「全て」に対応する領域が操作された場合に、商品交換画像が液晶表示装置２に表示されることとなる。
【０３２９】
次に、図２７（Ｅ）に示す通り、図２７（Ｄ）において、「ソート」に対応する領域が操作された場合に、ソート画像が液晶表示装置２に表示されることとなる。ここで、「ソート画像」は、氏名に係る情報と、現在所持しているポイントに係る情報と、商品と交換するのに必要なポイントが低い順である「ポイント（低）順」に対応する領域と、商品と交換するのに必要なポイントが高い順である「ポイント（高）順」に対応する領域と、交換された数が多い順である「人気順」に対応する領域と、市場で新商品として販売された順である「発売日順」に対応する領域と、商品管理ＤＢ３０２に新しく登録された順である「登録日（新）順」に対応する領域と、商品管理ＤＢ３０２に登録された順である「登録日（旧）順」に対応する領域が含まれている。
【０３３０】
次に、図２７（Ｆ）に示す通り、図２７（Ｅ）において、「ポイント（高）順」に対応する領域が操作された場合に、液晶表示装置２に表示されている商品交換画像が、商品と交換するのに必要なポイントが高い順にソートして表示されることとなる。
【０３３１】
（商品確認時のアニメーション）
次に、図２８に基づいて、商品確認時のアニメーションについて説明を行う。
【０３３２】
まず、図２８（Ａ）に示す通り、ポイント交換装置１の液晶表示装置２には、トップメニュー画像が表示されている。
【０３３３】
次に、図２８（Ｂ）に示す通り、図２８（Ａ）において、「商品確認」に対応する領域が操作された場合に、カテゴリー選択画像が液晶表示装置２に表示されることとなる。
【０３３４】
次に、図２８（Ｃ）に示す通り、図２８（Ｂ）において、「金券」に対応する領域が操作された場合に、商品一覧画像が液晶表示装置２に表示されることとなる。ここで、「商品一覧画像」は、選択されたカテゴリーに対応する商品に係る領域と、「ソート」に対応する領域と、「上カーソル」に対応する領域と、「下カーソル」に対応する領域と、「終了」に対応する領域とが含まれている。
【０３３５】
次に、図２８（Ｄ）に示す通り、図２８（Ｃ）において、「商品Ｘ」に対応する商品紹介画像が液晶表示装置２に表示されることとなる。ここで、「商品紹介画像」は、商品画像に係る情報と、商品説明に係る情報と、「終了」に対応する領域とが含まれている。
【０３３６】
次に、図２８（Ｅ）に示す通り、図２８（Ｄ）において、「終了」に対応する領域が操作された場合に、トップメニュー画像が液晶表示装置２に表示されることとなる。
【０３３７】
（会員登録時のアニメーション）
次に、図２９に基づいて、会員登録時のアニメーションについて説明を行う。
【０３３８】
まず、図２９（Ａ）に示す通り、ポイント交換装置１の液晶表示装置２には、トップメニュー画像が表示されている。
【０３３９】
次に、図２９（Ｂ）に示す通り、図２９（Ａ）において、「会員登録」に対応する領域が操作された場合に、会員登録操作時用画像が液晶表示装置２に表示されることとなる。ここで、「会員登録操作時用画像」は、排紙口７から紙（レシート）が排紙されるアニメーション画像と、「レシートをお取り下さい。」という文字画像が含まれている。
【０３４０】
次に、図２９（Ｃ）に示す通り、図２９（Ｂ）において、所定時間が経過すると、トップメニュー画像が液晶表示装置２に表示されることとなる。
【０３４１】
次に、図２９（Ｄ）に示す通り、携帯端末Ｐは、排紙口７から排紙された会員登録するための紙（レシート）に印刷された二次元コードを読み取ると、インターネットを介して会員管理サーバ１０１に接続することとなる。この際に、会員登録画像が携帯端末Ｐの液晶表示装置に表示されることとなる。
【０３４２】
ここで、「会員登録画像」とは、図２９（Ｄ）に示す通り、氏名に係る情報を入力するための領域と、住所に係る情報を入力するための領域と、電話番号に係る情報を入力するための領域と、メールアドレスに係る情報を入力するための領域と、年齢に係る情報を入力するための領域と、性別に係る情報を入力するための領域と、パスワードに係る情報を入力するための領域と、これらの入力がされた後に操作可能となる「完了」に対応する領域と、「取消」に対応する領域とが含まれている。なお、「完了」に対応する領域が操作可能である場合には白色で表示され、操作不可能である場合には灰色で表示されることとなる。
【０３４３】
次に、図２９（Ｅ）に示す通り、図２９（Ｄ）において、氏名に係る情報と、住所に係る情報と、電話番号に係る情報と、メールアドレスに係る情報と、年齢に係る情報と、性別に係る情報と、パスワードに係る情報が入力されると、「完了」に対応する領域が操作可能となる。
【０３４４】
なお、図２９（Ｄ）において、入力された情報が所定の条件を充足せずに、「完了」に対応する領域が操作された場合には、エラー画像が携帯端末Ｐの液晶表示装置に表示されることとなる。例えば、電話番号に係る情報を入力するための領域に数字以外の情報が入力されると、図２９（Ｇ）に示すエラー画像が携帯端末Ｐの液晶表示装置に表示されることとなる。
【０３４５】
次に、図２９（Ｆ）に示す通り、図２９（Ｅ）において、「完了」に対応する領域が操作された場合に、会員登録完了画像が携帯端末Ｐの液晶表示装置に表示されることとなる。ここで、「会員登録完了画像」は、会員登録が完了した旨を報知する画像であって、例えば、図２９（Ｆ）に示すように、「ご登録ありがとうございました。」という文字画像をいう。
【０３４６】
なお、図２９（Ｄ）や、図２９（Ｅ）において、「取消」に対応する領域が操作された場合に、取消画像が携帯端末Ｐの液晶表示装置に表示されることとなる。ここで、「取消画像」は、会員登録が取り消されたことを報知するための画像であって、例えば、図２９（Ｈ）に示すように、「会員登録を取り消しました。」という文字画像をいう。
【０３４７】
（会員情報更新時のアニメーション）
次に、図３０に基づいて、会員情報更新時のアニメーションについて説明を行う。
【０３４８】
まず、図３０（Ａ）に示す通り、ポイント交換装置１の液晶表示装置２には、トップメニュー画像が表示されている。
【０３４９】
次に、図３０（Ｂ）に示す通り、図３０（Ａ）において、「会員情報更新」に対応する領域が操作された場合に、会員情報更新操作時用画像が液晶表示装置２に表示されることとなる。ここで、「会員情報更新操作時用画像」は、排紙口７から紙（レシート）が排紙されるアニメーション画像と、「レシートをお取り下さい。」という文字画像が含まれている。
【０３５０】
次に、図３０（Ｃ）に示す通り、図３０（Ｂ）において、所定時間が経過すると、トップメニュー画像が液晶表示装置２に表示されることとなる。
【０３５１】
次に、図３０（Ｄ）に示す通り、携帯端末Ｐは、排紙口７から排紙された紙（レシート）に印刷された会員情報を更新するための二次元コードを読み取ると、インターネットを介して会員管理サーバ１０１に接続することとなる。この際に、会員情報更新画像が携帯端末Ｐの液晶表示装置に表示されることとなる。
【０３５２】
ここで、「会員情報更新画像」とは、図３０（Ｄ）に示す通り、氏名に係る情報を入力するための領域と、住所に係る情報を入力するための領域と、電話番号に係る情報を入力するための領域と、メールアドレスに係る情報を入力するための領域と、年齢に係る情報を入力するための領域と、性別に係る情報を入力するための領域と、パスワードに係る情報を入力するための領域と、これらの入力がされた後に操作可能となる「完了」に対応する領域と、「取消」に対応する領域とが含まれている。なお、「完了」に対応する領域は、操作可能である場合には白色で表示され、操作不可能である場合には灰色で表示されることとなる。
【０３５３】
また、図３０（Ｄ）に示す通り、携帯端末Ｐの端末識別情報に基づいて、会員管理ＤＢ１０２に記憶されている情報がデフォルトで表示されることとなる。そして、氏名に係る情報と、住所に係る情報と、電話番号に係る情報と、メールアドレスに係る情報と、年齢に係る情報と、性別に係る情報と、パスワードに係る情報のうち、何れかの情報が更新されると、「完了」に対応する領域が操作可能となる。
【０３５４】
次に、図３０（Ｅ）に示す通り、図３０（Ｄ）において、氏名に係る情報、住所に係る情報、電話番号に係る情報、メールアドレスに係る情報、年齢に係る情報、性別に係る情報、パスワードに係る情報の少なくとも一部が更新されると、「完了」に対応する領域が操作可能となる。
【０３５５】
なお、図３０（Ｄ）において、更新された情報が所定の条件を充足せずに、「完了」に対応する領域が操作された場合には、エラー画像が携帯端末Ｐの液晶表示装置に表示されることとなる。例えば、電話番号に係る情報を入力するための領域に数字以外の情報が入力されると、図３０（Ｇ）に示すエラー画像が携帯端末Ｐの液晶表示装置に表示されることとなる。
【０３５６】
次に、図３０（Ｆ）に示す通り、図３０（Ｅ）において、「完了」に対応する領域が操作された場合に、会員情報更新完了画像が携帯端末Ｐの液晶表示装置に表示されることとなる。ここで、「会員情報更新完了画像」は、会員情報の更新が完了した旨を報知する画像であって、例えば、図３０（Ｆ）に示すように、「会員情報が更新されました。」という文字画像をいう。
【０３５７】
なお、図３０（Ｄ）や、図３０（Ｅ）において、「取消」に対応する領域が操作された場合に、更新取消画像が携帯端末Ｐの液晶表示装置に表示されることとなる。ここで、「更新取消画像」は、会員情報の更新が取り消されたことを報知するための画像であって、例えば、図３０（Ｈ）に示すように、「会員情報の更新を取り消しました。」という文字画像をいう。
【０３５８】
（ポイント交換操作時処理、及びポイント確認操作時処理の遷移）
次に、図３１に基づいて、ポイント交換操作時処理、及びポイント確認操作時処理の遷移について説明を行う。
【０３５９】
（ポイント交換操作時処理の遷移）
まず、ポイント交換操作時処理の遷移について説明を行う。
【０３６０】
まず、ポイント交換装置１は、ステップＳ６−１６のポイント交換情報送信処理を行う。これにより、ポイント交換装置１からポイント管理サーバ４０１に対して、ポイント交換情報が送信される。
【０３６１】
そして、ポイント交換装置１からポイント交換情報を受信すると、ポイント管理サーバ４０１は、ステップＳ４０５のポイント交換情報記憶処理により、ポイント交換装置１から受信したポイント交換情報を記憶する処理を行う。これにより、ポイントＩＤ記憶領域４０２ａ、更新日時記憶領域４０２ｂ、ショップ記憶領域４０２ｃ、ポイント管理ＤＢ用交換装置ＩＤ記憶領域４０２ｄ、更新ポイント記憶領域４０２ｇ、セキュリティコード記憶領域４０２ｉに各情報が記憶されることとなる。
【０３６２】
そして、ポイント交換装置１は、ステップＳ６−１７のセキュリティコード受信処理を行う。これにより、ポイント交換装置１からポイント管理サーバ４０１に対して、セキュリティコードの送信要求が行われる。
【０３６３】
そして、ポイント交換装置１からセキュリティコードの送信要求が行われると、ポイント管理サーバ４０１は、ステップＳ４０７のセキュリティコード送信処理により、セキュリティコード記憶領域４０２ｉに記憶されたセキュリティコードに係る情報をポイント交換装置１に対して送信する。
【０３６４】
そして、ポイント管理サーバ４０１からセキュリティコードに係る情報を受信すると、ポイント交換装置１は、ステップＳ６−１８のポイント交換用二次元コード生成処理を行う。これにより、ポイント管理サーバ４０１にアクセスするためのＵＲＬに係る情報、より具体的には、ポイントに交換する手続を行うためのＵＲＬに係る情報と、交換することとなるポイント数に係る情報と、ステップＳ６−１７のセキュリティコード受信処理により受信したセキュリティコードに係る情報を有する二次元コードを生成する処理が行われることとなる。
【０３６５】
そして、ステップＳ６−１８のポイント交換用二次元コード生成処理が行われた後、ポイント交換装置１は、景品５０をポイントに交換するための紙（レシート）が発行されることを報知する交換用レシート発行画像（図２２（Ｅ）参照）を液晶表示装置２に表示する処理を行う。
【０３６６】
そして、ポイント交換装置１は、ステップＳ６−２０の交換用レシート発行処理により、ステップＳ６−１８のポイント交換用二次元コード生成処理により生成された二次元コードを紙（レシート）に印刷し、当該印刷された紙（レシート）を排紙口７により排紙する処理を行う。
【０３６７】
その後、携帯端末Ｐは、排紙された紙（レシート）に印刷されている二次元コードを読み取ることにより、インターネットを介してポイント管理サーバ４０１に接続する。そうすると、ポイント加算画像（図２２（Ｇ）参照）が携帯端末Ｐの液晶表示装置に表示される。
【０３６８】
そして、携帯端末Ｐは、ポイント加算画像が携帯端末Ｐの液晶表示装置に表示されている場合において、氏名に係る情報と、パスワードに係る情報とが入力された後、「完了」に対応する領域が操作された場合に、ポイント管理サーバ４０１に氏名・パスワード情報を送信する。
【０３６９】
ここで、「氏名・パスワード情報」には、入力された氏名に係る情報と、パスワードに係る情報と、セキュリティコードに係る情報が含まれている。
【０３７０】
そして、ポイント管理サーバ４０１は、携帯端末Ｐから氏名・パスワード情報を受信した場合に、ステップＳ４０９のポイント付与認証処理を行う。これにより、会員管理サーバ１０１に対して、氏名・パスワード情報が送信される。
【０３７１】
そして、会員管理サーバ１０１は、携帯端末Ｐから氏名に係る情報と、パスワードに係る情報を受信した場合に、ステップＳ１０６の会員認証処理を行う。これにより、ポイント管理サーバ４０１が携帯端末Ｐから受信した氏名・パスワード情報が、会員登録されている情報と一致するか否かを判定する。
【０３７２】
そして、会員管理サーバ１０１は、ステップＳ１０６の会員認証処理を行った後、ステップＳ１０７の会員認証結果情報送信処理を行う。これにより、ポイント管理サーバ４０１に対して、会員認証結果情報が送信される。
【０３７３】
そして、ポイント管理サーバ４０１は、会員管理サーバ１０１から会員として認証した旨の情報を受信し、認証が完了すると（ステップＳ４１０＝ＹＥＳ）、ステップＳ４１１のポイント加算処理を行う。これにより、ポイント管理ＤＢ４０２のポイントＩＤ記憶領域４０２ａ、更新日時記憶領域４０２ｂ、ショップ記憶領域４０２ｃ、ポイント管理ＤＢ用交換装置ＩＤ記憶領域４０２ｄ、ポイント管理ＤＢ用会員ＩＤ記憶領域４０２ｅ、会員氏名記憶領域４０２ｆ、更新ポイント記憶領域４０２ｇ、及び有効期限記憶領域４０２ｈに各情報が記憶される。
【０３７４】
そして、ポイント管理サーバ４０１は、ステップＳ４１１のポイント加算処理が行われた後、ステップＳ４１２のメール送信対象会員情報受信処理を行う。これにより、ポイント管理サーバ４０１は、会員管理サーバ１０１に対してメール送信対象会員情報送信要求を行う。
【０３７５】
ここで、「メール送信対象会員情報」は、少なくとも、メールアドレス記憶領域１０２ｆに記憶されている会員のメールアドレスに係る情報を有している。
【０３７６】
そして、会員管理サーバ１０１は、ポイント管理サーバ４０１からメール送信対象送信要求があると、ステップＳ１０９の会員情報送信処理を行う。これにより、会員管理サーバ１０１は、ポイント管理サーバ４０１に対してメール送信対象会員情報を送信することとなる。
【０３７７】
そして、ポイント管理サーバ４０１は、会員管理サーバ１０１からメール送信対象会員情報を受信した場合に、ステップＳ４１３のポイント加算メール送信処理を行う。これにより、会員に対してポイント加算メールを送信する。
【０３７８】
ここで、ポイント管理サーバ４０１は、ポイント交換完了画像を携帯端末Ｐの液晶表示装置に表示するために必要な情報を携帯端末Ｐに送信する。
【０３７９】
なお、この際に、問屋がポイント協会から購入したポイントが売り切れ間近である場合に、問屋や、ショップに対してポイントが売り切れ間近である旨の情報を有するメールを送信することとしてもよい。
【０３８０】
（ポイント確認操作時処理の遷移）
次に、ポイント確認操作時処理の遷移について説明を行う。
【０３８１】
まず、ポイント交換装置１は、ステップＳ８−５の会員情報受信処理を行う。これにより、ポイント交換装置１は、会員管理サーバ１０１に対して会員情報送信要求を行う。
【０３８２】
そして、会員管理サーバ１０１は、ポイント交換装置１から会員情報送信要求があった場合に、ステップＳ１０９の会員情報送信処理を行う。これにより、会員管理サーバ１０１は、ポイント交換装置１に対して、会員情報を送信する。
【０３８３】
そして、ポイント交換装置１は、会員管理サーバ１０１から会員情報を受信した後、ステップＳ８−６のポイント情報受信処理を行う。これにより、ポイント交換装置１は、ポイント管理サーバ４０１に対してポイント情報送信要求を行う。
【０３８４】
そして、ポイント管理サーバ４０１は、ポイント交換装置１からポイント情報送信要求があった場合に、ステップＳ４１７のポイント情報送信処理を行う。これにより、ポイント管理サーバ４０１は、ポイント交換装置１に対して、ポイント情報を送信する。
【０３８５】
そして、ポイント交換装置１は、ポイント管理サーバ４０１からポイント情報を受信した後、ステップＳ８−７のポイント確認画像表示処理を行う。これにより、ステップＳ８−５の会員情報受信処理により受信した会員情報と、ステップＳ８−６のポイント情報受信処理により受信した会員情報に基づいて、ポイント確認画像（図２４（Ｃ）参照）を液晶表示装置２に表示する。
【０３８６】
そして、ポイント交換装置１は、ステップＳ８−１２の詳細画像表示処理を行う。これにより、ステップＳ８−５の会員情報受信処理により受信した会員情報と、ステップＳ８−６のポイント情報受信処理により受信した会員情報に基づいて、詳細画像（図２４（Ｄ）参照）を液晶表示装置２に表示する。
【０３８７】
（商品交換操作時処理、及び商品確認操作時処理の遷移）
次に、図３２に基づいて、商品交換操作時処理、及び商品確認操作時処理の遷移について説明を行う。
【０３８８】
（商品交換操作時処理の遷移）
まず、商品交換操作時処理の遷移について説明を行う。
【０３８９】
ポイント交換装置１は、ステップＳ１０−５の会員情報受信処理を行う。これにより、ポイント交換装置１は、会員管理サーバ１０１に対して会員情報送信要求を行う。
【０３９０】
そして、会員管理サーバ１０１は、ポイント交換装置１から会員情報送信要求があった場合に、ステップＳ１０９の会員情報送信処理を行う。これにより、会員管理サーバ１０１は、ポイント交換装置１に対して会員情報を送信する。
【０３９１】
そして、ポイント交換装置１は、会員管理サーバ１０１から会員情報を受信した後、ステップＳ１０−６のポイント情報受信処理を行う。これにより、ポイント交換装置１は、ポイント管理サーバ４０１に対してポイント情報送信要求を行う。
【０３９２】
そして、ポイント管理サーバ４０１は、ポイント交換装置１からポイント情報送信要求があった場合に、ステップＳ４１７のポイント情報送信処理を行う。これにより、ポイント管理サーバ４０１は、ポイント交換装置１に対してポイント情報を送信する。
【０３９３】
そして、ポイント交換装置１は、ポイント管理サーバ４０１からポイント情報を受信した後、ステップＳ１０−７の商品情報受信処理を行う。これにより、ポイント交換装置１は、商品管理サーバ３０１に対して商品情報送信要求を行う。
【０３９４】
そして、商品管理サーバ３０１は、ポイント交換装置１から商品情報送信要求があった場合に、ステップＳ３０８の商品情報送信処理を行う。これにより、商品管理サーバ３０１は、ポイント交換装置１に対して商品情報を送信する。
【０３９５】
そして、ポイント交換装置１は、商品管理サーバ３０１から商品情報を受信した後、ステップＳ１０−８のカテゴリー選択画像表示処理を行う。これにより、ステップＳ１０−５の会員情報受信処理により受信した会員情報と、ステップＳ１０−６のポイント情報受信処理により受信した会員情報と、ステップＳ１０−７の商品情報受信処理により受信した商品情報に基づいて、カテゴリー選択画像（図２５（Ｃ）参照）を液晶表示装置２に表示する。
【０３９６】
その後、ポイント交換装置１は、ステップＳ１０−２３の商品交換情報送信処理を行う。これにより、ポイント交換装置１は、購買管理サーバ２０１に対して商品交換情報を送信する。
【０３９７】
そして、購買管理サーバ２０１は、ポイント交換装置１から商品交換情報を受信した場合に、ステップＳ２０２の商品交換情報登録処理を行う。これにより、購買管理ＤＢ２０２の購買ＩＤ記憶領域２０２ａと、購買日記憶領域２０２ｂと、交換装置ＩＤ記憶領域２０２ｃと、購買者記憶領域２０２ｄと、購買商品記憶領域２０２ｅと、発送予定日記憶領域２０２ｆと、発送先記憶領域２０２ｇと、購買会員電話番号記憶領域２０２ｈに各情報が記憶されることとなる。
【０３９８】
そして、購買管理サーバ２０１は、ステップＳ２０２の商品交換情報登録処理が行われた後、ステップＳ２０３の商品交換完了情報送信処理を行う。これにより、購買管理サーバ２０１は、商品管理サーバ３０１に対して商品交換完了情報を送信する。
【０３９９】
そして、商品管理サーバ３０１は、購買管理サーバ２０１から商品交換完了情報を受信した場合に、ステップＳ３０２の在庫数減算処理を行う。これにより、購買管理ＤＢ２０２の在庫数記憶領域３０２ｆに記憶されている値から「１」減算される。
【０４００】
その後、ポイント交換装置１は、ステップＳ１０−２４のポイント減算情報送信処理を行う。これにより、ポイント交換装置１は、ポイント管理サーバ４０１に対して、ポイント減算情報を送信する。
【０４０１】
そして、ポイント管理サーバ４０１は、ポイント交換装置１からポイント減算情報を受信した場合に、ステップＳ４１５のポイント減算情報受信時処理を行う。これにより、ポイントＩＤ記憶領域４０２ａ、更新日時記憶領域４０２ｂ、ショップ記憶領域４０２ｃ、ポイント管理ＤＢ用交換装置ＩＤ記憶領域４０２ｄ、ポイント管理ＤＢ用会員ＩＤ記憶領域４０２ｅ、会員氏名記憶領域４０２ｆ、更新ポイント記憶領域４０２ｇに各情報が記憶されることとなる。
【０４０２】
そして、ポイント交換装置１は、ステップＳ１０−２４のポイント減算情報送信処理が行われた後、ステップＳ１０−２５の商品交換完了画像表示処理を行う。これにより、商品交換完了画像（図２５（Ｈ）参照）を液晶表示装置２に表示する。
【０４０３】
（商品確認操作時処理の遷移）
次に、商品確認操作時処理の遷移について説明を行う。
【０４０４】
ポイント交換装置１は、ステップＳ１２−１の商品情報受信処理を行う。これにより、ポイント交換装置１は、商品管理サーバ３０１に対して商品情報送信要求を行う。
【０４０５】
そして、商品管理サーバ３０１は、ポイント交換装置１から商品情報送信要求があった場合に、ステップＳ３０８の商品情報送信処理を行う。これにより、商品管理サーバ３０１は、ポイント交換装置１に対して商品情報を送信する。
【０４０６】
そして、ポイント交換装置１は、商品管理サーバ３０１から商品情報を受信した後、ステップＳ１２−２のカテゴリー選択画像表示処理を行う。これにより、ステップＳ１２−１の商品情報受信処理により受信した商品情報に基づいて、カテゴリー選択画像（図２８（Ｂ）参照）を液晶表示装置２に表示する。
【０４０７】
（会員登録操作時処理、及び会員情報更新操作時処理の遷移）
次に、図３３に基づいて、会員登録操作時処理、及び会員情報更新操作時処理の遷移について説明を行う。
【０４０８】
（会員登録操作時処理の遷移）
まず、会員登録操作時処理の遷移について説明を行う。
【０４０９】
まず、ポイント交換装置１は、ステップＳ１４−３の会員登録用二次元コード印刷処理を行う。これにより、ポイント交換装置１は、ステップＳ１４−２の会員登録用二次元コード生成処理により生成された二次元コードを紙（レシート）に印刷し、当該印刷された紙（レシート）を排紙口７により排紙する。
【０４１０】
その後、携帯端末Ｐは、排紙された紙（レシート）に印刷されている二次元コードを読み取ることにより、インターネットを介して会員管理サーバ１０１に接続する。そうすると、ポイント加算画像（図２２（Ｇ）参照）が携帯端末Ｐの液晶表示装置に表示される。
【０４１１】
そして、携帯端末Ｐは、ポイント加算画像（図２２（Ｇ）参照）が携帯端末Ｐの液晶表示装置に表示されている場合において、会員登録情報が入力され、「完了」に対応する領域が操作されると、会員登録情報が送信される。
【０４１２】
ここで、「会員登録情報」とは、入力された氏名に係る情報と、住所に係る情報と、電話番号に係る情報と、メールアドレスに係る情報と、年齢に係る情報と、性別に係る情報と、パスワードに係る情報をいう。
【０４１３】
そして、会員管理サーバ１０１は、携帯端末Ｐから会員登録情報を受信すると、ステップＳ１０２の会員登録情報受信時処理を行う。これにより、会員ＩＤ記憶領域１０２ａと、氏名記憶領域１０２ｂと、住所記憶領域１０２ｃと、端末識別情報記憶領域１０２ｄと、電話番号記憶領域１０２ｅと、メールアドレス記憶領域１０２ｆと、パスワード記憶領域１０２ｇと、年齢記憶領域１０２ｈと、性別記憶領域１０２ｉの各領域に各情報が記憶されることとなる。
【０４１４】
（会員情報更新操作時処理の遷移）
次に、会員情報更新操作時処理の遷移について説明を行う。
【０４１５】
まず、ポイント交換装置１は、ステップＳ１６−３の会員情報更新用二次元コード印刷処理を行う。これにより、ステップＳ１６−２の会員情報更新用二次元コード生成処理により生成された二次元コードを紙（レシート）に印刷し、当該印刷された紙（レシート）を排紙口７により排紙する処理を行う。
【０４１６】
その後、携帯端末Ｐは、排紙された紙（レシート）に印刷されている二次元コードを読み取ることにより、インターネットを介して会員管理サーバ１０１に接続する。そうすると、会員情報更新画像が携帯端末Ｐの液晶表示装置に表示される。
【０４１７】
そして、携帯端末Ｐは、会員情報更新画像が携帯端末Ｐの液晶表示装置に表示されている場合において、会員登録情報が更新され、「完了」に対応する領域が操作されると、会員更新情報が送信される。
【０４１８】
具体的には、携帯端末Ｐから会員管理サーバ１０１に対して、更新された氏名に係る情報と、住所に係る情報と、電話番号に係る情報と、メールアドレスに係る情報と、年齢に係る情報と、性別に係る情報と、パスワードに係る情報が送信される。
【０４１９】
そして、会員管理サーバ１０１は、携帯端末Ｐから会員更新情報を受信すると、ステップＳ１０４の会員更新情報受信時処理を行う。これにより、会員ＩＤ記憶領域１０２ａと、氏名記憶領域１０２ｂと、住所記憶領域１０２ｃと、端末識別情報記憶領域１０２ｄと、電話番号記憶領域１０２ｅと、メールアドレス記憶領域１０２ｆと、パスワード記憶領域１０２ｇと、年齢記憶領域１０２ｈと、性別記憶領域１０２ｉの各領域に各情報が更新して記憶されることとなる。
【０４２０】
（第２実施形態）
次に、図３４〜図５３を用いて、第２実施形態の説明を行う。なお、第２実施形態を説明する際に、第１実施形態で説明した点と異なる点について説明を行い、共通する点については説明を省略する。
【０４２１】
（第２実施形態における商品交換システムを構成する各システム）
次に、図３４を用いて、第２実施形態における商品交換システムを構成する各システムについての説明を行う。
【０４２２】
第２実施形態における商品交換システムは、第１実施形態における商品交換システムと同様に、ポイント交換装置１と、携帯端末Ｐと、会員管理システム１００と、購買管理システム２００と、商品管理システム３００と、ポイント管理システム４００とにより構成されている。
【０４２３】
ここで、第１実施形態における商品交換システムと、第２実施形態における商品交換システムの相違点は、携帯端末Ｐにアプリケーションをインストールしてポイントと商品を交換する点である。
【０４２４】
（第２実施形態におけるポイント交換装置１におけるメイン処理）
次に、図３５を用いて、第２実施形態におけるポイント交換装置１におけるメイン処理について説明を行う。
【０４２５】
（ステップＳ１００１）
ステップＳ１００１において、ＣＰＵ１１は、電源投入時であるか否かを判定する処理を行う。具体的には、ＣＰＵ１１は、電源部１８により電源が投入されたか否かを判定する処理を行う。そして、電源投入時であると判定された場合には（ステップＳ１００１＝ＹＥＳ）、ステップＳ１００２に処理を移行する。一方で、電源投入時ではないと判定された場合には（ステップＳ１００１＝ＮＯ）、ステップＳ１００３に処理を移行する。
【０４２６】
（ステップＳ１００２）
ステップＳ１００２において、ＣＰＵ１１は、トップメニュー表示処理を行う。具体的には、ＣＰＵ１１は、液晶表示装置２にトップメニュー画像を表示する処理を行う。そして、ステップＳ１００２の処理が終了すると、ステップＳ１００９に処理を移行する。
【０４２７】
ここで、第２実施形態において、トップメニュー画像は、「ポイント交換」に対応する領域と、「言語」に対応する領域とが操作可能となっている。
【０４２８】
（ステップＳ１００３）
ステップＳ１００３において、ＣＰＵ１１は、起動中であるか否かを判定する処理を行う。具体的には、ＣＰＵ１１は、電源部１８により電源が投入されているか否かを判定する処理を行う。そして、起動中であると判定された場合には（ステップＳ１００３＝ＹＥＳ）、ステップＳ１００４に処理を移行する。一方で、起動中ではないと判定された場合には（ステップＳ１００３＝ＮＯ）、ステップＳ１００９に処理を移行する。
【０４２９】
（ステップＳ１００４）
ステップＳ１００４において、ＣＰＵ１１は、トップメニュー表示処理を行う。具体的には、ＣＰＵ１１は、ステップＳ１００２と同様に、液晶表示装置２にトップメニュー画像を表示する処理を行う。そして、ステップＳ１００４の処理が終了すると、ステップＳ１００５に処理を移行する。
【０４３０】
（ステップＳ１００５）
ステップＳ１００５において、ＣＰＵ１１は、「ポイント交換」の操作が行われたか否かを判定する処理を行う。ここで、タッチパネルセンサ２ａは、液晶表示装置２に表示されているトップメニュー画像のうち、「ポイント交換」に対応する領域が操作された場合に、「ポイント交換」に対応する領域が操作された旨の信号を制御基板１０に対して送信する。即ち、ＣＰＵ１１は、タッチパネルセンサ２ａにより、「ポイント交換」に対応する領域が操作された旨の信号を受信したか否かを判定する処理を行う。そして、「ポイント交換」の操作が行われたと判定された場合には（ステップＳ１００５＝ＹＥＳ）、ステップＳ１００６に処理を移行する。一方で、「ポイント交換」の操作が行われていないと判定された場合には（ステップＳ１００５＝ＮＯ）、ステップＳ１００７に処理を移行する。
【０４３１】
（ステップＳ１００６）
ステップＳ１００６において、ＣＰＵ１１は、図１２を用いて説明したポイント交換操作時処理を行う。当該処理において、ＣＰＵ１１は、景品をポイントに交換するための処理を行う。そして、ステップＳ１００６の処理が終了すると、ステップＳ１００９に処理を移行する。
（ステップＳ１００７）
ステップＳ１００７において、ＣＰＵ１１は、「言語」の操作が行われたか否かを判定する処理を行う。ここで、タッチパネルセンサ２ａは、液晶表示装置２に表示されているトップメニュー画像のうち、「言語」に対応する領域が操作された場合に、「言語」に対応する領域が操作された旨の信号を制御基板１０に対して送信する。即ち、ＣＰＵ１１は、タッチパネルセンサ２ａにより、「言語」に対応する領域が操作された旨の信号を受信したか否かを判定する処理を行う。そして、「言語」の操作が行われたと判定された場合には（ステップＳ１００７＝ＹＥＳ）、ステップＳ１００８に処理を移行する。一方で、「言語」の操作が行われていないと判定された場合には（ステップＳ１００７＝ＮＯ）、ステップＳ１００９に処理を移行する。
【０４３２】
（ステップＳ１００８）
ステップＳ１００８において、ＣＰＵ１１は、言語切替処理を行う。具体的には、ＣＰＵ１１は、液晶表示装置２に表示されている言語を切り替える処理を行う。そして、ステップＳ１００８の処理が終了すると、ステップＳ１００９に処理を移行する。
【０４３３】
なお、第１実施形態と同様に、第２実施形態におけるポイント交換装置１は、日本語、英語、中国語、及び韓国語の言語をそれぞれ切替可能となっているが、これに限定されることはなく、他の言語と切替可能であってもよい。
【０４３４】
（ステップＳ１００９）
ステップＳ１００９において、ＣＰＵ１１は、防犯処理を行う。具体的には、ＣＰＵ１１は、景品読取部１５により読み取った景品が贋物である場合や、扉部９ａが開放された場合に、カメラ５により撮影する処理を行う。そして、ステップＳ１００９の処理が終了すると、ポイント交換装置１におけるメイン処理を終了し、ステップＳ１００１に処理を移行する。
【０４３５】
（携帯端末Ｐにおけるメイン処理）
次に、図３６を用いて、携帯端末Ｐにおけるメイン処理について説明を行う。
【０４３６】
（ステップＳ２００１）
ステップＳ２００１において、ＣＰＵ１１は、アプリケーションの起動時であるか否かを判定する処理を行う。具体的には、携帯端末Ｐにインストールされているアプリケーションの起動時であるか否かを判定する処理を行う。そして、アプリケーションの起動時であると判定された場合には（ステップＳ２００１＝ＹＥＳ）、ステップＳ２００２に処理を移行する。一方で、アプリケーションの起動時ではないと判定された場合には（ステップＳ２００１＝ＮＯ）、ステップＳ２００３に処理を移行する。
【０４３７】
（ステップＳ２００２）
ステップＳ２００２において、ＣＰＵ１１は、アプリトップメニュー表示処理を行う。具体的には、携帯端末Ｐの液晶表示装置にアプリトップメニュー画面を表示する処理を行う。そして、ステップＳ２００２の処理が終了すると、ステップＳ２００３に処理を移行する。
【０４３８】
（ステップＳ２００３）
ステップＳ２００３において、携帯端末Ｐは、アプリケーションが起動中であるか否かを判定する処理を行う。具体的には、携帯端末Ｐは、携帯端末Ｐにインストールされているアプリケーションが起動中であるか否かを判定する処理を行う。そして、アプリケーションが起動中であると判定された場合には（ステップＳ２００３＝ＹＥＳ）、ステップＳ２００４に処理を移行する。一方で、アプリケーションが起動中ではないと判定された場合には（ステップＳ２００３＝ＮＯ）、携帯端末Ｐにおけるメイン処理を終了し、再びステップＳ２００１から処理を実行する。
【０４３９】
（ステップＳ２００４）
ステップＳ２００４において、ＣＰＵ１１は、アプリトップメニュー表示処理を行う。具体的には、ＣＰＵ１１は、ステップＳ２００２と同様に、携帯端末Ｐの液晶表示装置にアプリトップメニュー画面を表示する処理を行う。そして、ステップＳ２００４の処理が終了すると、ステップＳ２００５に処理を移行する。
【０４４０】
（ステップＳ２００５）
ステップＳ２００５において、ＣＰＵ１１は、「ポイント確認」の操作が行われたか否かを判定する処理を行う。具体的には、携帯端末Ｐは、携帯端末Ｐのタッチパネルセンサにより、「ポイント確認」に対応する領域が操作された旨の信号を受信したか否かを判定する処理を行う。そして、「ポイント確認」の操作が行われたと判定された場合には（ステップＳ２００５＝ＹＥＳ）、ステップＳ２００６に処理を移行する。一方で、「ポイント確認」の操作が行われていないと判定された場合には（ステップＳ２００５＝ＮＯ）、ステップＳ２００７に処理を移行する。
【０４４１】
（ステップＳ２００６）
ステップＳ２００６において、携帯端末Ｐは、後で図３７を用いて詳述するポイント確認操作時処理を行う。当該処理において、携帯端末Ｐは、現在所持しているポイントを携帯端末Ｐの液晶表示装置に表示するための処理を行う。そして、ステップＳ２００６の処理が終了すると、携帯端末Ｐにおけるメイン処理を終了し、再びステップＳ２００１から処理を実行する。
【０４４２】
（ステップＳ２００７）
ステップＳ２００７において、携帯端末Ｐは、「商品交換」の操作が行われたか否かを判定する処理を行う。具体的には、携帯端末Ｐは、携帯端末Ｐのタッチパネルセンサにより、「商品交換」に対応する領域が操作された旨の信号を受信したか否かを判定する処理を行う。そして、「商品交換」の操作が行われたと判定された場合には（ステップＳ２００７＝ＹＥＳ）、ステップＳ２００８に処理を移行する。一方で、「商品交換」の操作が行われていないと判定された場合には（ステップＳ２００７＝ＮＯ）、ステップＳ２００９に処理を移行する。
【０４４３】
（ステップＳ２００８）
ステップＳ２００８において、ＣＰＵ１１は、後で図３８を用いて詳述する商品交換操作時処理を行う。当該処理において、携帯端末Ｐは、ポイントと商品を交換するための処理を行う。そして、ステップＳ２００８の処理が終了すると、携帯端末Ｐにおけるメイン処理を終了し、再びステップＳ２００１から処理を実行する。
【０４４４】
（ステップＳ２００９）
ステップＳ２００９において、携帯端末Ｐは、「商品確認」の操作が行われたか否かを判定する処理を行う。具体的には、携帯端末Ｐは、携帯端末Ｐのタッチパネルセンサにより、「商品確認」に対応する領域が操作された旨の信号を受信したか否かを判定する処理を行う。そして、「商品確認」の操作が行われたと判定された場合には（ステップＳ２００９＝ＹＥＳ）、ステップＳ２０１０に処理を移行する。一方で、「商品確認」の操作が行われていないと判定された場合には（ステップＳ２００９＝ＮＯ）、ステップＳ２０１１に処理を移行する。
【０４４５】
（ステップＳ２０１０）
ステップＳ２０１０において、携帯端末Ｐは、後で図３９を用いて詳述する商品確認操作時処理を行う。当該処理において、携帯端末Ｐは、ポイントと交換可能な商品を表示するための処理を行う。そして、ステップＳ２０１０の処理が終了すると、携帯端末Ｐにおけるメイン処理を終了し、再びステップＳ２００１から処理を実行する。
【０４４６】
（ステップＳ２０１１）
ステップＳ２０１１において、携帯端末Ｐは、「会員登録」の操作が行われたか否かを判定する処理を行う。具体的には、携帯端末Ｐは、携帯端末Ｐのタッチパネルセンサにより、「会員登録」に対応する領域が操作された旨の信号を受信したか否かを判定する処理を行う。そして、「会員登録」の操作が行われたと判定された場合には（ステップＳ２０１１＝ＹＥＳ）、ステップＳ２０１２に処理を移行する。一方で、「会員登録」の操作が行われていないと判定された場合には（ステップＳ２０１１＝ＮＯ）、ステップＳ２０１３に処理を移行する。
【０４４７】
（ステップＳ２０１２）
ステップＳ２０１２において、携帯端末Ｐは、後で図４０を用いて詳述する会員登録操作時処理を行う。当該処理において、携帯端末Ｐは、会員登録に必要な処理を行う。そして、ステップＳ２０１２の処理が終了すると、携帯端末Ｐにおけるメイン処理を終了し、再びステップＳ２００１から処理を実行する。
【０４４８】
（ステップＳ２０１３）
ステップＳ２０１３において、携帯端末Ｐは、「会員情報更新」の操作が行われたか否かを判定する処理を行う。具体的には、携帯端末Ｐのタッチパネルセンサにより、「会員情報更新」に対応する領域が操作された旨の信号を受信したか否かを判定する処理を行う。そして、「会員情報更新」の操作が行われたと判定された場合には（ステップＳ２０１３＝ＹＥＳ）、ステップＳ２０１４に処理を移行する。一方で、「会員情報更新」の操作が行われていないと判定された場合には（ステップＳ２０１３＝ＮＯ）、ステップＳ２０１５に処理を移行する。
【０４４９】
（ステップＳ２０１４）
ステップＳ２０１４において、携帯端末Ｐは、後で図４１を用いて詳述する会員情報更新操作時処理を行う。当該処理において、携帯端末Ｐは、登録されている会員情報を更新する処理を行う。そして、ステップＳ２０１４の処理が終了すると、携帯端末Ｐにおけるメイン処理を終了し、再びステップＳ２００１から処理を実行する。
【０４５０】
（ステップＳ２０１５）
ステップＳ２０１５において、携帯端末Ｐは、「二次元コード」の操作が行われたか否かを判定する処理を行う。具体的には、携帯端末Ｐのタッチパネルセンサにより、「二次元コード」に対応する領域が操作された旨の信号を受信したか否かを判定する処理を行う。そして、「二次元コード」の操作が行われたと判定された場合には（ステップＳ２０１５＝ＹＥＳ）、ステップＳ２０１６に処理を移行する。一方で、「二次元コード」の操作が行われていないと判定された場合には（ステップＳ２０１５＝ＮＯ）、ステップＳ２０１７に処理を移行する。
【０４５１】
（ステップＳ２０１６）
ステップＳ２０１６において、携帯端末Ｐは、後で図４２を用いて詳述する二次元コード操作時処理を行う。当該処理において、携帯端末Ｐは、携帯端末Ｐの液晶表示装置に二次元コードを表示する処理を行う。そして、ステップＳ２０１６の処理が終了すると、携帯端末Ｐにおけるメイン処理を終了し、再びステップＳ２００１から処理を実行する。
【０４５２】
（ステップＳ２０１７）
ステップＳ２０１７において、携帯端末Ｐは、「ポイント加算」の操作が行われたか否かを判定する処理を行う。具体的には、携帯端末Ｐのタッチパネルセンサにより、「ポイント加算」に対応する領域が操作された旨の信号を受信したか否かを判定する処理を行う。そして、「ポイント加算」の操作が行われたと判定された場合には（ステップＳ２０１７＝ＹＥＳ）、ステップＳ２０１８に処理を移行する。一方で、「ポイント加算」の操作が行われていないと判定された場合には（ステップＳ２０１７＝ＮＯ）、携帯端末Ｐにおけるメイン処理を終了し、再びステップＳ２００１から処理を実行する。
【０４５３】
（ステップＳ２０１８）
ステップＳ２０１８において、携帯端末Ｐは、後で図４３を用いて詳述するポイント加算操作時処理を行う。当該処理において、携帯端末Ｐは、ポイントを加算するための処理を行う。そして、ステップＳ２０１８の処理が終了すると、携帯端末Ｐにおけるメイン処理を終了し、再びステップＳ２００１から処理を実行する。
【０４５４】
（第２実施形態におけるポイント確認操作時処理）
次に、図３７を用いて、携帯端末Ｐにおけるメイン処理のステップＳ２００６により行われる第２実施形態におけるポイント確認操作時処理について説明を行う。
【０４５５】
（ステップＳ２００６−１）
ステップＳ２００６−１において、携帯端末Ｐは、会員情報受信処理を行う。具体的には、携帯端末Ｐは、会員管理サーバ１０１に対して、会員管理ＤＢ１０２に記憶されている会員情報を送信要求する処理を行い、会員管理サーバ１０１から、会員情報を受信する処理を行う。そして、ステップＳ２００６−１の処理が終了すると、ステップＳ２００６−２に処理を移行する。
【０４５６】
（ステップＳ２００６−２）
ステップＳ２００６−２において、携帯端末Ｐは、ポイント情報受信処理を行う。具体的には、携帯端末Ｐは、ステップＳ２００６−１の会員情報受信処理により受信した会員情報に基づいて、ポイント管理サーバ４０１に対して、ポイント管理ＤＢ４０２に記憶されているポイント情報を送信要求する処理を行い、ポイント管理サーバ４０１から、会員情報に対応するポイント情報を受信する処理を行う。そして、ステップＳ２００６−２の処理が終了すると、ステップＳ２００６−３に処理を移行する。
【０４５７】
（ステップＳ２００６−３）
ステップＳ２００６−３において、携帯端末Ｐは、ポイント確認画面表示処理を行う。具体的には、携帯端末Ｐは、ステップＳ２００６−２のポイント情報受信処理により受信した会員情報に対応するポイント情報に基づいて、ポイント確認画面（図４４（Ｂ）参照）を携帯端末Ｐの液晶表示装置に表示する処理を行う。そして、ステップＳ２００６−３の処理が終了すると、ステップＳ２００６−４に処理を移行する。
【０４５８】
（ステップＳ２００６−４）
ステップＳ２００６−４において、携帯端末Ｐは、「終了」の操作が行われたか否かを判定する処理を行う。具体的には、携帯端末Ｐは、携帯端末Ｐのタッチパネルセンサにより、「終了」に対応する領域が操作された旨の信号が送信され、当該信号を受信したか否かを判定する処理を行う。そして、「終了」の操作が行われたと判定された場合には（ステップＳ２００６−４＝ＹＥＳ）、第２実施形態におけるポイント確認操作時処理のサブルーチンを終了し、携帯端末Ｐにおけるメイン処理のステップＳ２００１に処理を移行する。一方で、「終了」の操作が行われていないと判定された場合には（ステップＳ２００６−４＝ＮＯ）、ステップＳ２００６−５に処理を移行する。
【０４５９】
（ステップＳ２００６−５）
ステップＳ２００６−５において、携帯端末Ｐは、「詳細」の操作が行われたか否かを判定する処理を行う。具体的には、携帯端末Ｐは、携帯端末Ｐのタッチパネルセンサにより、「詳細」に対応する領域が操作された旨の信号が送信され、当該信号を受信したか否かを判定する処理を行う。そして、「詳細」の操作が行われたと判定された場合には（ステップＳ２００６−５＝ＹＥＳ）、ステップＳ２００６−６に処理を移行する。一方で、「詳細」の操作が行われていないと判定された場合には（ステップＳ２００６−５＝ＮＯ）、ステップＳ２００６−４に処理を移行する。
【０４６０】
（ステップＳ２００６−６）
ステップＳ２００６−６において、携帯端末Ｐは、詳細画面表示処理を行う。具体的には、携帯端末Ｐは、詳細画面（図４４（Ｃ）参照）を携帯端末Ｐの液晶表示装置に表示する処理を行う。そして、ステップＳ２００６−６の処理が終了すると、ステップＳ２００６−７に処理を移行する。
【０４６１】
（ステップＳ２００６−７）
ステップＳ２００６−７において、携帯端末Ｐは、「カーソル」の操作が行われたか否かを判定する処理を行う。具体的には、携帯端末Ｐは、携帯端末Ｐのタッチパネルセンサにより、「カーソル」に対応する領域が操作された旨の信号が送信され、当該信号を受信したか否かを判定する処理を行う。そして、「カーソル」の操作が行われたと判定された場合には（ステップＳ２００６−７＝ＹＥＳ）、ステップＳ２００６−８に処理を移行する。一方で、「カーソル」の操作が行われていないと判定された場合には（ステップＳ２００６−７＝ＮＯ）、ステップＳ２００６−９に処理を移行する。
【０４６２】
（ステップＳ２００６−８）
ステップＳ２００６−８において、携帯端末Ｐは、詳細画面表示更新処理を行う。具体的には、携帯端末Ｐは、「上カーソル」に対応する領域が操作された場合には、携帯端末Ｐの液晶表示装置に表示されている詳細画面を「上カーソル」が操作された場合に対応して携帯端末Ｐの液晶表示装置の表示を更新する処理を行い、「下カーソル」に対応する領域が操作された場合には、携帯端末Ｐの液晶表示装置に表示されている詳細画面を「下カーソル」が操作された場合に対応して携帯端末Ｐの液晶表示装置の表示を更新する処理を行う。そして、ステップＳ２００６−８の処理が終了すると、ステップＳ２００６−７に処理を移行する。
【０４６３】
（ステップＳ２００６−９）
ステップＳ２００６−９において、携帯端末Ｐは、「終了」の操作が行われたか否かを判定する処理を行う。具体的には、携帯端末Ｐは、携帯端末Ｐのタッチパネルセンサにより、「終了」に対応する領域が操作された旨の信号が送信され、当該信号を受信したか否かを判定する処理を行う。そして、「終了」の操作が行われたと判定された場合には（ステップＳ２００６−９＝ＹＥＳ）、第２実施形態におけるポイント確認操作時処理のサブルーチンを終了し、携帯端末Ｐにおけるメイン処理のステップＳ２００１に処理を移行する。一方で、「終了」の操作が行われていないと判定された場合には（ステップＳ２００６−９＝ＮＯ）、ステップＳ２００６−７に処理を移行する。
【０４６４】
（第２実施形態における商品交換操作時処理）
次に、図３８を用いて、携帯端末Ｐにおけるメイン処理のステップＳ２００８により行われる第２実施形態における商品交換操作時処理について説明を行う。
【０４６５】
（ステップＳ２００８−１）
ステップＳ２００８−１において、携帯端末Ｐは、会員情報受信処理を行う。具体的には、携帯端末Ｐは、会員管理サーバ１０１に対して、会員管理ＤＢ１０２に記憶されている会員情報を送信要求する処理を行い、会員管理サーバ１０１から、会員情報を受信する処理を行う。そして、ステップＳ２００８−１の処理が終了すると、ステップＳ２００８−２に処理を移行する。
【０４６６】
（ステップＳ２００８−２）
ステップＳ２００８−２において、携帯端末Ｐは、ポイント情報受信処理を行う。具体的には、携帯端末Ｐは、ステップＳ２００８−１の会員情報受信処理により受信した会員情報に基づいて、ポイント管理サーバ４０１に対して、ポイント管理ＤＢ４０２に記憶されているポイント情報を送信要求する処理を行い、ポイント管理サーバ４０１から、会員情報に対応するポイント情報を受信する処理を行う。そして、ステップＳ２００８−２の処理が終了すると、ステップＳ２００８−３に処理を移行する。
【０４６７】
（ステップＳ２００８−３）
ステップＳ２００８−３において、携帯端末Ｐは、商品情報受信処理を行う。具体的には、携帯端末Ｐは、商品管理サーバ３０１に対して、商品管理ＤＢ３０２に記憶されている商品情報を送信要求する処理を行い、商品管理サーバ３０１から、商品情報を受信する処理を行う。そして、ステップＳ２００８−３の処理が終了すると、ステップＳ２００８−４に処理を移行する。
【０４６８】
（ステップＳ２００８−４）
ステップＳ２００８−４において、ＣＰＵ１１は、カテゴリー選択画面表示処理を行う。具体的には、ＣＰＵ１１は、ステップＳ２００８−３の商品情報受信処理により受信した商品情報に基づいて、カテゴリー選択画面（図４５（Ｂ）参照）を携帯端末Ｐの液晶表示装置に表示する処理を行う。そして、ステップＳ２００８−４の処理が終了すると、ステップＳ２００８−５に処理を移行する。
【０４６９】
（ステップＳ２００８−５）
ステップＳ２００８−５において、携帯端末Ｐは、「カテゴリー」の操作が行われたか否かを判定する処理を行う。具体的には、携帯端末Ｐは、携帯端末Ｐのタッチパネルセンサにより、「カテゴリー」に対応する領域が操作された旨の信号が送信され、当該信号を受信したか否かを判定する処理を行う。そして、「カテゴリー」の操作が行われたと判定された場合には（ステップＳ２００８−５＝ＹＥＳ）、ステップＳ２００８−６に処理を移行する。一方で、「カテゴリー」の操作が行われていないと判定された場合には（ステップＳ２００８−５＝ＮＯ）、「カテゴリー」の操作が行われるまで、ステップＳ２００８−５の処理を繰り返し行う。
【０４７０】
（ステップＳ２００８−６）
ステップＳ２００８−６において、携帯端末Ｐは、商品交換画面表示処理を行う。具体的には、携帯端末Ｐは、ステップＳ２００８−１の会員情報受信処理により受信した会員情報と、ステップＳ２００８−２のポイント情報受信処理により受信したポイント情報と、ステップＳ２００８−３の商品情報受信処理により受信した商品情報と、ステップＳ２００８−５の処理により操作された「カテゴリー」に基づいて、商品交換画面（図４５（Ｃ）参照）を携帯端末Ｐの液晶表示装置に表示する処理を行う。そして、ステップＳ２００８−６の処理が終了すると、ステップＳ２００８−７に処理を移行する。
【０４７１】
（ステップＳ２００８−７）
ステップＳ２００８−７において、携帯端末Ｐは、「ソート」の操作が行われたか否かを判定する処理を行う。具体的には、携帯端末Ｐは、携帯端末Ｐのタッチパネルセンサにより、「ソート」に対応する領域が操作された旨の信号が送信され、当該信号を受信したか否かを判定する処理を行う。そして、「ソート」の操作が行われたと判定された場合には（ステップＳ２００８−７＝ＹＥＳ）、ステップＳ２００８−８に処理を移行する。一方で、「ソート」の操作が行われていないと判定された場合には（ステップＳ２００８−７＝ＮＯ）、ステップＳ２００８−９に処理を移行する。
【０４７２】
（ステップＳ２００８−８）
ステップＳ２００８−８において、携帯端末Ｐは、ソート操作時処理を行う。具体的には、携帯端末Ｐは、まず、複数のソート条件が表示されるソート画面を携帯端末Ｐの液晶表示装置に表示する処理を行う。次に、携帯端末Ｐは、携帯端末Ｐの液晶表示装置に表示されているソート画面のうち、「ソート条件」が操作されたか否かを判定する処理を行い、「ソート条件」が操作された場合に、操作された「ソート条件」に基づいて、商品交換画面に表示される商品画面をソートする処理を行う。そして、ステップＳ２００８−８の処理が終了すると、ステップＳ２００８−７に処理を移行する。
【０４７３】
（ステップＳ２００８−９）
ステップＳ２００８−９において、携帯端末Ｐは、「カーソル」の操作が行われたか否かを判定する処理を行う。具体的には、携帯端末Ｐは、携帯端末Ｐのタッチパネルセンサにより、「カーソル」に対応する領域が操作された旨の信号が送信され、当該信号を受信したか否かを判定する処理を行う。そして、「カーソル」の操作が行われたと判定された場合には（ステップＳ２００８−９＝ＹＥＳ）、ステップＳ２００８−１０に処理を移行する。一方で、「カーソル」の操作が行われていないと判定された場合には（ステップＳ２００８−９＝ＮＯ）、ステップＳ２００８−１１に処理を移行する。
【０４７４】
（ステップＳ２００８−１０）
ステップＳ２００８−１０において、携帯端末Ｐは、商品交換画面更新処理を行う。具体的には、携帯端末Ｐは、「上カーソル」に対応する領域が操作された場合には、携帯端末Ｐの液晶表示装置に表示されている商品交換画面を「上カーソル」が操作された場合に対応して携帯端末Ｐの液晶表示装置の表示を更新する処理を行い、「下カーソル」に対応する領域が操作された場合には、携帯端末Ｐの液晶表示装置に表示されている商品交換画面を「下カーソル」が操作された場合に対応して携帯端末Ｐの液晶表示装置の表示を更新する処理を行う。そして、ステップＳ２００８−１０の処理が終了すると、ステップＳ２００８−７に処理を移行する。
【０４７５】
（ステップＳ２００８−１１）
ステップＳ２００８−１１において、ＣＰＵ１１は、「終了」の操作が行われたか否かを判定する処理を行う。具体的には、携帯端末Ｐは、携帯端末Ｐのタッチパネルセンサにより、「終了」に対応する領域が操作された旨の信号が送信され、当該信号を受信したか否かを判定する処理を行う。そして、「終了」の操作が行われたと判定された場合には（ステップＳ２００８−１１＝ＹＥＳ）、第２実施形態における商品交換操作時処理のサブルーチンを終了し、携帯端末Ｐにおけるメイン処理のステップＳ２００１に処理を移行する。一方で、「終了」の操作が行われていないと判定された場合には（ステップＳ２００８−１１＝ＮＯ）、ステップＳ２００８−１２に処理を移行する。
【０４７６】
（ステップＳ２００８−１２）
ステップＳ２００８−１２において、携帯端末Ｐは、「商品」の操作が行われたか否かを判定する処理を行う。具体的には、携帯端末Ｐは、携帯端末Ｐのタッチパネルセンサにより、「商品」に対応する領域が操作された旨の信号が送信され、当該信号を受信したか否かを判定する処理を行う。そして、「商品」の操作が行われたと判定された場合には（ステップＳ２００８−１２＝ＹＥＳ）、ステップＳ２００８−１３に処理を移行する。一方で、「商品」の操作が行われていないと判定された場合には（ステップＳ２００８−１２＝ＮＯ）、ステップＳ２００８−７に処理を移行する。
【０４７７】
（ステップＳ２００８−１３）
ステップＳ２００８−１３において、携帯端末Ｐは、商品詳細画面表示処理を行う。具体的には、携帯端末Ｐは、ステップＳ２００８−１２の処理により操作された「商品」に対応する商品詳細画面（図４５（Ｄ）参照）を携帯端末Ｐの液晶表示装置に表示する処理を行う。そして、ステップＳ２００８−１３の処理が終了すると、ステップＳ２００８−１４に処理を移行する。
【０４７８】
（ステップＳ２００８−１４）
ステップＳ２００８−１４において、携帯端末Ｐは、「取消」の操作が行われたか否かを判定する処理を行う。具体的には、携帯端末Ｐは、携帯端末Ｐのタッチパネルセンサにより、「取消」に対応する領域が操作された旨の信号が送信され、当該信号を受信したか否かを判定する処理を行う。そして、「取消」の操作が行われたと判定された場合には（ステップＳ２００８−１４＝ＹＥＳ）、第２実施形態における商品交換操作時処理のサブルーチンを終了し、携帯端末Ｐにおけるメイン処理のステップＳ２００１に処理を移行する。一方で、「取消」の操作が行われていないと判定された場合には（ステップＳ２００８−１４＝ＮＯ）、ステップＳ２００８−１５に処理を移行する。
【０４７９】
（ステップＳ２００８−１５）
ステップＳ２００８−１５において、携帯端末Ｐは、「交換」の操作が行われたか否かを判定する処理を行う。具体的には、携帯端末Ｐは、携帯端末Ｐのタッチパネルセンサにより、「交換」に対応する領域が操作された旨の信号が送信され、当該信号を受信したか否かを判定する処理を行う。そして、「交換」の操作が行われたと判定された場合には（ステップＳ２００８−１５＝ＹＥＳ）、ステップＳ２００８−１６に処理を移行する。一方で、「交換」の操作が行われていないと判定された場合には（ステップＳ２００８−１５＝ＮＯ）、ステップＳ２００８−１４に処理を移行する。
【０４８０】
（ステップＳ２００８−１６）
ステップＳ２００８−１６において、携帯端末Ｐは、商品交換確認画面表示処理を行う。具体的には、携帯端末Ｐは、ステップＳ２００８−１５の処理により操作された「交換」に対応する商品確認画面（図４５（Ｅ）参照）を携帯端末Ｐの液晶表示装置に表示する処理を行う。そして、ステップＳ２００８−１６の処理が終了すると、ステップＳ２００８−１７に処理を移行する。
【０４８１】
（ステップＳ２００８−１７）
ステップＳ２００８−１７において、携帯端末Ｐは、「取消」の操作が行われたか否かを判定する処理を行う。具体的には、携帯端末Ｐは、携帯端末Ｐのタッチパネルセンサにより、「取消」に対応する領域が操作された旨の信号が送信され、当該信号を受信したか否かを判定する処理を行う。そして、「取消」の操作が行われたと判定された場合には（ステップＳ２００８−１７＝ＹＥＳ）、第２実施形態における商品交換操作時処理のサブルーチンを終了し、携帯端末Ｐにおけるメイン処理のステップＳ２００１に処理を移行する。一方で、「取消」の操作が行われていないと判定された場合には（ステップＳ２００８−１７＝ＮＯ）、ステップＳ２００８−１８に処理を移行する。
【０４８２】
（ステップＳ２００８−１８）
ステップＳ２００８−１８において、携帯端末Ｐは、「交換」の操作が行われたか否かを判定する処理を行う。具体的には、携帯端末Ｐは、携帯端末Ｐのタッチパネルセンサにより、「交換」に対応する領域が操作された旨の信号が送信され、当該信号を受信したか否かを判定する処理を行う。そして、「交換」の操作が行われたと判定された場合には（ステップＳ２００８−１８＝ＹＥＳ）、ステップＳ２００８−１９に処理を移行する。一方で、「交換」の操作が行われていないと判定された場合には（ステップＳ２００８−１８＝ＮＯ）、ステップＳ２００８−１７に処理を移行する。
【０４８３】
（ステップＳ２００８−１９）
ステップＳ２００８−１９において、携帯端末Ｐは、商品交換情報送信処理を行う。具体的には、携帯端末Ｐは、購買管理サーバ２０１に対して、商品交換情報を送信する処理を行う。そして、ステップＳ２００８−１９の処理が終了すると、ステップＳ２００８−２０に処理を移行する。
【０４８４】
（ステップＳ２００８−２０）
ステップＳ２００８−２０において、携帯端末Ｐは、ポイント減算情報送信処理を行う。具体的には、携帯端末Ｐは、ポイント管理サーバ４０１に対して、ポイント減算情報を送信する処理を行う。そして、ステップＳ２００８−２０の処理が終了すると、ステップＳ２００８−２１に処理を移行する。
【０４８５】
（ステップＳ２００８−２１）
ステップＳ２００８−２１において、携帯端末Ｐは、商品交換完了画面表示処理を行う。具体的には、携帯端末Ｐは、商品交換が完了したことを報知するための商品交換完了画面（図４５（Ｆ）参照）を携帯端末Ｐの液晶表示装置に表示する処理を行う。そして、ステップＳ２００８−２１の処理が終了すると、第２実施形態における商品交換操作時処理のサブルーチンを終了し、携帯端末Ｐにおけるメイン処理のステップＳ２００１に処理を移行する。
【０４８６】
（第２実施形態における商品確認操作時処理）
次に、図３９を用いて、携帯端末Ｐにおけるメイン処理のステップＳ２０１０により行われる第２実施形態における商品確認操作時処理について説明を行う。
【０４８７】
（ステップＳ２０１０−１）
ステップＳ２０１０−１において、携帯端末Ｐは、商品情報受信処理を行う。具体的には、携帯端末Ｐは、商品管理サーバ３０１に対して、商品管理ＤＢ３０２に記憶されている商品情報を送信要求する処理を行い、商品管理サーバ３０１から、商品情報を受信する処理を行う。そして、ステップＳ２０１０−１の処理が終了すると、ステップＳ２０１０−２に処理を移行する。
【０４８８】
（ステップＳ２０１０−２）
ステップＳ２０１０−２において、携帯端末Ｐは、カテゴリー選択画面表示処理を行う。具体的には、ＣＰＵ１１は、ステップＳ２０１０−１の商品情報受信処理により受信した商品情報に基づいて、カテゴリー選択画面（図４６（Ｂ）参照）を携帯端末Ｐの液晶表示装置に表示する処理を行う。そして、ステップＳ２０１０−２の処理が終了すると、ステップＳ２０１０−３に処理を移行する。
【０４８９】
（ステップＳ２０１０−３）
ステップＳ２０１０−３において、携帯端末Ｐは、「カテゴリー」の操作が行われたか否かを判定する処理を行う。具体的には、携帯端末Ｐは、携帯端末Ｐのタッチパネルセンサにより、「カテゴリー」に対応する領域が操作された旨の信号が送信され、当該信号を受信したか否かを判定する処理を行う。そして、「カテゴリー」の操作が行われたと判定された場合には（ステップＳ２０１０−３＝ＹＥＳ）、ステップＳ２０１０−４に処理を移行する。一方で、「カテゴリー」の操作が行われていないと判定された場合には（ステップＳ２０１０−３＝ＮＯ）、「カテゴリー」の操作が行われるまで、ステップＳ２０１０−３の処理を繰り返し行う。
【０４９０】
（ステップＳ２０１０−４）
ステップＳ２０１０−４において、携帯端末Ｐは、商品一覧画面表示処理を行う。具体的には、携帯端末Ｐは、ステップＳ２０１０−１の商品情報受信処理により受信した商品情報と、ステップＳ２０１０−３の処理により操作された「カテゴリー」に基づいて、商品一覧画面（図４６（Ｃ）参照）を携帯端末Ｐの液晶表示装置に表示する処理を行う。そして、ステップＳ２０１０−４の処理が終了すると、ステップＳ２０１０−５に処理を移行する。
【０４９１】
（ステップＳ２０１０−５）
ステップＳ２０１０−５において、携帯端末Ｐは、「ソート」の操作が行われたか否かを判定する処理を行う。具体的には、携帯端末Ｐは、携帯端末Ｐのタッチパネルセンサにより、「ソート」に対応する領域が操作された旨の信号が送信され、当該信号を受信したか否かを判定する処理を行う。そして、「ソート」の操作が行われたと判定された場合には（ステップＳ２０１０−５＝ＹＥＳ）、ステップＳ２０１０−６に処理を移行する。一方で、「ソート」の操作が行われていないと判定された場合には（ステップＳ２０１０−５＝ＮＯ）、ステップＳ２０１０−７に処理を移行する。
【０４９２】
（ステップＳ２０１０−６）
ステップＳ２０１０−６において、携帯端末Ｐは、ソート操作時処理を行う。具体的には、携帯端末Ｐは、まず、複数のソート条件が表示されるソート画面を液晶表示装置２に表示する処理を行う。次に、携帯端末Ｐは、携帯端末Ｐの液晶表示装置に表示されているソート画面のうち、「ソート条件」が操作されたか否かを判定する処理を行い、「ソート条件」が操作された場合に、操作された「ソート条件」に基づいて、商品一覧画面に表示される商品画像をソートする処理を行う。そして、ステップＳ２０１０−６の処理が終了すると、ステップＳ２０１０−５に処理を移行する。
【０４９３】
（ステップＳ２０１０−７）
ステップＳ２０１０−７において、携帯端末Ｐは、「カーソル」の操作が行われたか否かを判定する処理を行う。具体的には、携帯端末Ｐは、携帯端末Ｐのタッチパネルセンサにより、「カーソル」に対応する領域が操作された旨の信号が送信され、当該信号を受信したか否かを判定する処理を行う。そして、「カーソル」の操作が行われたと判定された場合には（ステップＳ２０１０−７＝ＹＥＳ）、ステップＳ２０１０−８に処理を移行する。一方で、「カーソル」の操作が行われていないと判定された場合には（ステップＳ２０１０−７＝ＮＯ）、ステップＳ２０１０−９に処理を移行する。
【０４９４】
（ステップＳ２０１０−８）
ステップＳ２０１０−８において、携帯端末Ｐは、商品一覧画面更新処理を行う。具体的には、携帯端末Ｐは、「上カーソル」に対応する領域が操作された場合には、携帯端末Ｐの液晶表示装置に表示されている商品一覧画面を「上カーソル」に対応する領域が操作された場合に対応して携帯端末Ｐの液晶表示装置の表示を更新する処理を行い、「下カーソル」に対応する領域が操作された場合には、携帯端末Ｐの液晶表示装置に表示されている商品一覧画面を「下カーソル」が操作された場合に対応して携帯端末Ｐの液晶表示装置の表示を更新する処理を行う。そして、ステップＳ２０１０−８の処理が終了すると、ステップＳ２０１０−５に処理を移行する。
【０４９５】
（ステップＳ２０１０−９）
ステップＳ２０１０−９において、携帯端末Ｐは、「終了」の操作が行われたか否かを判定する処理を行う。具体的には、携帯端末Ｐは、携帯端末Ｐのタッチパネルセンサにより、「終了」に対応する領域が操作された旨の信号が送信され、当該信号を受信したか否かを判定する処理を行う。そして、「終了」の操作が行われたと判定された場合には（ステップＳ２０１０−９＝ＹＥＳ）、第２実施形態における商品確認操作時処理のサブルーチンを終了し、携帯端末Ｐにおけるメイン処理のステップＳ２００１に処理を移行する。一方で、「終了」の操作が行われていないと判定された場合には（ステップＳ２０１０−９＝ＮＯ）、ステップＳ２０１０−１０に処理を移行する。
【０４９６】
（ステップＳ２０１０−１０）
ステップＳ２０１０−１０において、携帯端末Ｐは、「商品」の操作が行われたか否かを判定する処理を行う。具体的には、携帯端末Ｐは、携帯端末Ｐのタッチパネルセンサにより、「商品」に対応する領域が操作された旨の信号が送信され、当該信号を受信したか否かを判定する処理を行う。そして、「商品」の操作が行われたと判定された場合には（ステップＳ２０１０−１０＝ＹＥＳ）、ステップＳ２０１０−１１に処理を移行する。一方で、「商品」の操作が行われていないと判定された場合には（ステップＳ２０１０−１０＝ＮＯ）、ステップＳ２０１０−５に処理を移行する。
【０４９７】
（ステップＳ２０１０−１１）
ステップＳ２０１０−１１において、携帯端末Ｐは、商品紹介画面表示処理を行う。具体的には、携帯端末Ｐは、ステップＳ２０１０−１１の処理により操作された「商品」に対応する商品紹介画面（図４６（Ｄ）参照）を携帯端末Ｐの液晶表示装置に表示する処理を行う。そして、ステップＳ２０１０−１１の処理が終了すると、ステップＳ２０１０−１２に処理を移行する。
【０４９８】
（ステップＳ２０１０−１２）
ステップＳ２０１０−１２において、携帯端末Ｐは、「終了」の操作が行われたか否かを判定する処理を行う。具体的には、携帯端末Ｐは、携帯端末Ｐのタッチパネルセンサにより、「終了」に対応する領域が操作された旨の信号が送信され、当該信号を受信したか否かを判定する処理を行う。そして、「終了」の操作が行われたと判定された場合には（ステップＳ２０１０−１２＝ＹＥＳ）、第２実施形態における商品確認操作時処理のサブルーチンを終了し、携帯端末Ｐにおけるメイン処理のステップＳ２００１に処理を移行する。一方で、「終了」の操作が行われていないと判定された場合には（ステップＳ２０１０−１２＝ＮＯ）、「終了」の操作が行われるまで、ステップＳ２０１０−１２の処理を繰り返し行う。
【０４９９】
（第２実施形態における会員登録操作時処理）
次に、図４０を用いて、携帯端末Ｐにおけるメイン処理のステップＳ２０１２により行われる第２実施形態における会員登録操作時処理について説明を行う。
【０５００】
（ステップＳ２０１２−１）
ステップＳ２０１２−１において、携帯端末Ｐは、会員情報入力画面表示処理を行う。具体的には、携帯端末Ｐは、会員情報入力画面（図４７（Ｂ）参照）を携帯端末Ｐの液晶表示装置に表示する処理を行う。そして、ステップＳ２０１２−１の処理が終了すると、ステップＳ２０１２−２に処理を移行する。
【０５０１】
ここで、「会員情報入力画面」は、氏名を入力するための「氏名入力欄」と、住所を入力するための「住所入力欄」と、電話番号を入力するための「電話番号入力欄」と、メールアドレスを入力するための「メールアドレス入力欄」と、年齢を入力するための「年齢入力欄」と、性別を入力するための「性別入力欄」と、パスワードを入力するための「パスワード入力欄」と、「取消」に対応する領域と、「完了」に対応する領域とが含まれている。
【０５０２】
（ステップＳ２０１２−２）
ステップＳ２０１２−２において、携帯端末Ｐは、「取消」の操作が行われたか否かを判定する処理を行う。具体的には、携帯端末Ｐは、携帯端末Ｐのタッチパネルセンサにより、「取消」に対応する領域が操作された旨の信号が送信され、当該信号を受信したか否かを判定する処理を行う。そして、「取消」の操作が行われたと判定された場合には（ステップＳ２０１２−２＝ＹＥＳ）、第２実施形態における会員登録操作時処理のサブルーチンを終了し、携帯端末Ｐにおけるメイン処理のステップＳ２００１に処理を移行する。一方で、「取消」の操作が行われていないと判定された場合には（ステップＳ２０１２−２＝ＮＯ）、ステップＳ２０１２−３に処理を移行する。
【０５０３】
（ステップＳ２０１２−３）
ステップＳ２０１２−３において、携帯端末Ｐは、「氏名入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「氏名入力欄」が操作されたか否かを判定する処理を行う。そして、「氏名入力欄」が操作されたと判定された場合には（ステップＳ２０１２−３＝ＹＥＳ）、ステップＳ２０１２−４に処理を移行する。一方で、「氏名入力欄」の操作が行われていないと判定された場合には（ステップＳ２０１２−３＝ＮＯ）、ステップＳ２０１２−５に処理を移行する。
【０５０４】
（ステップＳ２０１２−４）
ステップＳ２０１２−４において、携帯端末Ｐは、氏名情報入力処理を行う。具体的には、携帯端末Ｐは、会員登録するために必要な氏名情報を入力する処理を行う。そして、ステップＳ２０１２−４の処理が終了すると、ステップＳ２０１２−５に処理を移行する。
【０５０５】
（ステップＳ２０１２−５）
ステップＳ２０１２−５において、携帯端末Ｐは、「住所入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「住所入力欄」が操作されたか否かを判定する処理を行う。そして、「住所入力欄」が操作されたと判定された場合には（ステップＳ２０１２−５＝ＹＥＳ）、ステップＳ２０１２−６に処理を移行する。一方で、「住所入力欄」の操作が行われていないと判定された場合には（ステップＳ２０１２−５＝ＮＯ）、ステップＳ２０１２−７に処理を移行する。
【０５０６】
（ステップＳ２０１２−６）
ステップＳ２０１２−６において、携帯端末Ｐは、住所情報入力処理を行う。具体的には、携帯端末Ｐは、会員登録するために必要な住所情報を入力する処理を行う。そして、ステップＳ２０１２−６の処理が終了すると、ステップＳ２０１２−７に処理を移行する。
【０５０７】
（ステップＳ２０１２−７）
ステップＳ２０１２−７において、携帯端末Ｐは、「電話番号入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「電話番号入力欄」が操作されたか否かを判定する処理を行う。そして、「電話番号入力欄」が操作されたと判定された場合には（ステップＳ２０１２−７＝ＹＥＳ）、ステップＳ２０１２−８に処理を移行する。一方で、「電話番号入力欄」の操作が行われていないと判定された場合には（ステップＳ２０１２−７＝ＮＯ）、ステップＳ２０１２−９に処理を移行する。
【０５０８】
（ステップＳ２０１２−８）
ステップＳ２０１２−８において、携帯端末Ｐは、電話番号情報入力処理を行う。具体的には、携帯端末Ｐは、会員登録するために必要な電話番号情報を入力する処理を行う。そして、ステップＳ２０１２−８の処理が終了すると、ステップＳ２０１２−９に処理を移行する。
【０５０９】
（ステップＳ２０１２−９）
ステップＳ２０１２−９において、携帯端末Ｐは、「メールアドレス入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「メールアドレス入力欄」が操作されたか否かを判定する処理を行う。そして、「メールアドレス入力欄」が操作されたと判定された場合には（ステップＳ２０１２−９＝ＹＥＳ）、ステップＳ２０１２−１０に処理を移行する。一方で、「メールアドレス入力欄」の操作が行われていないと判定された場合には（ステップＳ２０１２−９＝ＮＯ）、ステップＳ２０１２−１１に処理を移行する。
【０５１０】
（ステップＳ２０１２−１０）
ステップＳ２０１２−１０において、携帯端末Ｐは、メールアドレス情報入力処理を行う。具体的には、携帯端末Ｐは、会員登録するために必要なメールアドレス情報を入力する処理を行う。そして、ステップＳ２０１２−１０の処理が終了すると、ステップＳ２０１２−１１に処理を移行する。
【０５１１】
（ステップＳ２０１２−１１）
ステップＳ２０１２−１１において、携帯端末Ｐは、「年齢入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「年齢入力欄」が操作されたか否かを判定する処理を行う。そして、「年齢入力欄」が操作されたと判定された場合には（ステップＳ２０１２−１１＝ＹＥＳ）、ステップＳ２０１２−１２に処理を移行する。一方で、「年齢入力欄」の操作が行われていないと判定された場合には（ステップＳ２０１２−１１＝ＮＯ）、ステップＳ２０１２−１３に処理を移行する。
【０５１２】
（ステップＳ２０１２−１２）
ステップＳ２０１２−１２において、携帯端末Ｐは、年齢情報入力処理を行う。具体的には、携帯端末Ｐは、会員登録するために必要な年齢情報を入力する処理を行う。そして、ステップＳ２０１２−１２の処理が終了すると、ステップＳ２０１２−１３に処理を移行する。
【０５１３】
（ステップＳ２０１２−１３）
ステップＳ２０１２−１３において、携帯端末Ｐは、「性別入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「性別入力欄」が操作されたか否かを判定する処理を行う。そして、「性別入力欄」が操作されたと判定された場合には（ステップＳ２０１２−１３＝ＹＥＳ）、ステップＳ２０１２−１４に処理を移行する。一方で、「性別入力欄」の操作が行われていないと判定された場合には（ステップＳ２０１２−１３＝ＮＯ）、ステップＳ２０１２−１５に処理を移行する。
【０５１４】
（ステップＳ２０１２−１４）
ステップＳ２０１２−１４において、携帯端末Ｐは、性別情報入力処理を行う。具体的には、携帯端末Ｐは、会員登録するために必要な性別情報を入力する処理を行う。そして、ステップＳ２０１２−１４の処理が終了すると、ステップＳ２０１２−１５に処理を移行する。
【０５１５】
（ステップＳ２０１２−１５）
ステップＳ２０１２−１５において、携帯端末Ｐは、「パスワード入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「パスワード入力欄」が操作されたか否かを判定する処理を行う。そして、「パスワード入力欄」が操作されたと判定された場合には（ステップＳ２０１２−１５＝ＹＥＳ）、ステップＳ２０１２−１６に処理を移行する。一方で、「パスワード入力欄」の操作が行われていないと判定された場合には（ステップＳ２０１２−１５＝ＮＯ）、ステップＳ２０１２−１７に処理を移行する。
【０５１６】
（ステップＳ２０１２−１６）
ステップＳ２０１２−１６において、携帯端末Ｐは、パスワード情報入力処理を行う。具体的には、携帯端末Ｐは、会員登録するために必要なパスワード情報を入力する処理を行う。そして、ステップＳ２０１２−１６の処理が終了すると、ステップＳ２０１２−１７に処理を移行する。
【０５１７】
（ステップＳ２０１２−１７）
ステップＳ２０１２−１７において、携帯端末Ｐは、「完了」の操作が行われたか否かを判定する処理を行う。具体的には、携帯端末Ｐは、携帯端末Ｐのタッチパネルセンサにより、「完了」に対応する領域が操作された旨の信号を受信したか否かを判定する処理を行う。そして、「完了」の操作が行われたと判定された場合には（ステップＳ２０１２−１７＝ＹＥＳ）、ステップＳ２０１２−１８に処理を移行する。一方で、「完了」の操作が行われていないと判定された場合には（ステップＳ２０１２−１７＝ＮＯ）、ステップＳ２０１２−２に処理を移行する。
【０５１８】
（ステップＳ２０１２−１８）
ステップＳ２０１２−１８において、携帯端末Ｐは、入力が完了したか否かを判定する処理を行う。具体的には、携帯端末Ｐは、会員登録するために必要な氏名情報、住所情報、電話番号情報、メールアドレス情報、年齢情報、性別情報、及びパスワード情報の入力が完了したか否かを判定する処理を行う。そして、入力が完了したと判定された場合には（ステップＳ２０１２−１８＝ＹＥＳ）、ステップＳ２０１２−２１に処理を移行する。一方で、入力が完了していないと判定された場合には（ステップＳ２０１２−１８＝ＮＯ）、ステップＳ２０１２−１９に処理を移行する。
【０５１９】
（ステップＳ２０１２−１９）
ステップＳ２０１２−１９において、携帯端末Ｐは、会員登録エラー画面表示処理を行う。具体的には、携帯端末Ｐは、会員登録するために必要な情報の入力が未完了である等の理由により、会員登録ができないことを報知する会員登録エラー画面（図４７（Ｇ）参照）を携帯端末Ｐの液晶表示装置に表示する処理を行う。そして、ステップＳ２０１２−１９の処理が終了すると、ステップＳ２０１２−２０に処理を移行する。
【０５２０】
（ステップＳ２０１２−２０）
ステップＳ２０１２−２０において、携帯端末Ｐは、会員情報入力画面復帰処理を行う。具体的には、携帯端末Ｐは、会員情報入力画面（図４７（Ｂ）参照）を携帯端末Ｐの液晶表示装置に表示するとともに、ステップＳ２０１２−１７の処理により「完了」の操作が行われる前に入力された情報が入力された状態に復帰する処理を行う。そして、ステップＳ２０１２−２０の処理が終了すると、ステップＳ２０１２−２に処理を移行する。
【０５２１】
（ステップＳ２０１２−２１）
ステップＳ２０１２−２１において、携帯端末Ｐは、会員登録情報送信処理を行う。具体的には、携帯端末Ｐは、入力された会員登録情報を会員管理サーバ１０１に対して送信する処理を行う。そして、ステップＳ２０１２−２１の処理が終了すると、ステップＳ２０１２−２２に処理を移行する。
【０５２２】
ここで、「会員登録情報」は、「氏名入力欄」に入力された氏名に係る情報と、「住所入力欄」に入力された住所に係る情報と、「電話番号入力欄」に入力された電話番号に係る情報と、「メールアドレス入力欄」に入力されたメールアドレスに係る情報と、「年齢入力欄」に入力された年齢に係る情報と、「性別入力欄」に入力された性別に係る情報と、「パスワード入力欄」に入力されたパスワードに係る情報とが含まれている。
【０５２３】
（ステップＳ２０１２−２２）
ステップＳ２０１２−２２において、携帯端末Ｐは、登録完了画面表示処理を行う。具体的には、携帯端末Ｐは、会員登録が完了したことを報知する登録完了画面（図４７（Ｅ）参照）を携帯端末Ｐの液晶表示装置に表示する処理を行う。そして、ステップＳ２０１２−２２の処理が終了すると、第２実施形態における会員登録操作時処理のサブルーチンを終了し、携帯端末Ｐにおけるメイン処理のステップＳ２００１に処理を移行する。
【０５２４】
（第２実施形態における会員情報更新操作時処理）
次に、図４１を用いて、携帯端末Ｐにおけるメイン処理のステップＳ２０１４により行われる第２実施形態における会員情報更新操作時処理について説明を行う。
【０５２５】
（ステップＳ２０１４−１）
ステップＳ２０１４−１において、携帯端末Ｐは、会員情報受信処理を行う。具体的には、携帯端末Ｐは、具体的には、携帯端末Ｐは、会員管理サーバ１０１に対して、会員管理ＤＢ１０２に記憶されている会員情報を送信要求する処理を行い、会員管理サーバ１０１から、会員情報を受信する処理を行う。そして、ステップＳ２０１４−１の処理が終了すると、ステップＳ２０１４−２に処理を移行する。
【０５２６】
（ステップＳ２０１４−２）
ステップＳ２０１４−２において、携帯端末Ｐは、会員情報更新画面表示処理を行う。具体的には、携帯端末Ｐは、会員情報更新画面（図４８（Ｂ）参照）を携帯端末Ｐの液晶表示装置に表示する処理を行う。そして、ステップＳ２０１４−２の処理が終了すると、ステップＳ２０１４−３に処理を移行する。
【０５２７】
ここで、「会員情報更新画面」は、氏名を入力するための「氏名入力欄」と、住所を入力するための「住所入力欄」と、電話番号を入力するための「電話番号入力欄」と、メールアドレスを入力するための「メールアドレス入力欄」と、年齢を入力するための「年齢入力欄」と、性別を入力するための「性別入力欄」と、パスワードを入力するための「パスワード入力欄」と、「取消」に対応する領域と、「完了」に対応する領域とが含まれている。
【０５２８】
また、会員情報更新画面は、ステップＳ２０１４−１の会員情報取得処理により取得された会員情報に基づいて、「氏名入力欄」と、「住所入力欄」と、「電話番号入力欄」と、「メールアドレス入力欄」と、「年齢入力欄」と、「性別入力欄」と、「パスワード入力欄」に入力された状態で表示されることとなる。
【０５２９】
（ステップＳ２０１４−３）
ステップＳ２０１４−３において、携帯端末Ｐは、「取消」の操作が行われたか否かを判定する処理を行う。具体的には、携帯端末Ｐは、携帯端末Ｐのタッチパネルセンサにより、「取消」に対応する領域が操作された旨の信号が送信され、当該信号を受信したか否かを判定する処理を行う。そして、「取消」の操作が行われたと判定された場合には（ステップＳ２０１４−３＝ＹＥＳ）、第２実施形態における会員情報更新操作時処理のサブルーチンを終了し、携帯端末Ｐにおけるメイン処理のステップＳ２００１に処理を移行する。一方で、「取消」の操作が行われていないと判定された場合には（ステップＳ２０１４−３＝ＮＯ）、ステップＳ２０１４−４に処理を移行する。
【０５３０】
（ステップＳ２０１４−４）
ステップＳ２０１４−４において、携帯端末Ｐは、「氏名入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「氏名入力欄」が操作されたか否かを判定する処理を行う。そして、「氏名入力欄」が操作されたと判定された場合には（ステップＳ２０１４−４＝ＹＥＳ）、ステップＳ２０１４−５に処理を移行する。一方で、「氏名入力欄」の操作が行われていないと判定された場合には（ステップＳ２０１４−４＝ＮＯ）、ステップＳ２０１４−６に処理を移行する。
【０５３１】
（ステップＳ２０１４−５）
ステップＳ２０１４−５において、携帯端末Ｐは、氏名情報入力処理を行う。具体的には、携帯端末Ｐは、会員登録するために必要な氏名情報を入力する処理を行う。そして、ステップＳ２０１４−５の処理が終了すると、ステップＳ２０１４−６に処理を移行する。
【０５３２】
（ステップＳ２０１４−６）
ステップＳ２０１４−６において、携帯端末Ｐは、「住所入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「住所入力欄」が操作されたか否かを判定する処理を行う。そして、「住所入力欄」が操作されたと判定された場合には（ステップＳ２０１４−６＝ＹＥＳ）、ステップＳ２０１４−７に処理を移行する。一方で、「住所入力欄」の操作が行われていないと判定された場合には（ステップＳ２０１４−６＝ＮＯ）、ステップＳ２０１４−８に処理を移行する。
【０５３３】
（ステップＳ２０１４−７）
ステップＳ２０１４−７において、携帯端末Ｐは、住所情報入力処理を行う。具体的には、携帯端末Ｐは、会員登録するために必要な住所情報を入力する処理を行う。そして、ステップＳ２０１４−７の処理が終了すると、ステップＳ２０１４−８に処理を移行する。
【０５３４】
（ステップＳ２０１４−８）
ステップＳ２０１４−８において、携帯端末Ｐは、「電話番号入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「電話番号入力欄」が操作されたか否かを判定する処理を行う。そして、「電話番号入力欄」が操作されたと判定された場合には（ステップＳ２０１４−８＝ＹＥＳ）、ステップＳ２０１４−９に処理を移行する。一方で、「電話番号入力欄」の操作が行われていないと判定された場合には（ステップＳ２０１４−８＝ＮＯ）、ステップＳ２０１４−１０に処理を移行する。
【０５３５】
（ステップＳ２０１４−９）
ステップＳ２０１４−９において、携帯端末Ｐは、電話番号情報入力処理を行う。具体的には、携帯端末Ｐは、会員登録するために必要な電話番号情報を入力する処理を行う。そして、ステップＳ２０１４−９の処理が終了すると、ステップＳ２０１４−１０に処理を移行する。
【０５３６】
（ステップＳ２０１４−１０）
ステップＳ２０１４−１０において、携帯端末Ｐは、「メールアドレス入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「メールアドレス入力欄」が操作されたか否かを判定する処理を行う。そして、「メールアドレス入力欄」が操作されたと判定された場合には（ステップＳ２０１４−１０＝ＹＥＳ）、ステップＳ２０１４−１１に処理を移行する。一方で、「メールアドレス入力欄」の操作が行われていないと判定された場合には（ステップＳ２０１４−１０＝ＮＯ）、ステップＳ２０１４−１２に処理を移行する。
【０５３７】
（ステップＳ２０１４−１１）
ステップＳ２０１４−１１において、携帯端末Ｐは、メールアドレス情報入力処理を行う。具体的には、携帯端末Ｐは、会員登録するために必要なメールアドレス情報を入力する処理を行う。そして、ステップＳ２０１４−１１の処理が終了すると、ステップＳ２０１４−１２に処理を移行する。
【０５３８】
（ステップＳ２０１４−１２）
ステップＳ２０１４−１２において、携帯端末Ｐは、「年齢入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「年齢入力欄」が操作されたか否かを判定する処理を行う。そして、「年齢入力欄」が操作されたと判定された場合には（ステップＳ２０１４−１２＝ＹＥＳ）、ステップＳ２０１４−１３に処理を移行する。一方で、「年齢入力欄」の操作が行われていないと判定された場合には（ステップＳ２０１４−１２＝ＮＯ）、ステップＳ２０１４−１４に処理を移行する。
【０５３９】
（ステップＳ２０１４−１３）
ステップＳ２０１４−１３において、携帯端末Ｐは、年齢情報入力処理を行う。具体的には、携帯端末Ｐは、会員登録するために必要な年齢情報を入力する処理を行う。そして、ステップＳ２０１４−１３の処理が終了すると、ステップＳ２０１４−１４に処理を移行する。
【０５４０】
（ステップＳ２０１４−１４）
ステップＳ２０１４−１４において、携帯端末Ｐは、「性別入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「性別入力欄」が操作されたか否かを判定する処理を行う。そして、「性別入力欄」が操作されたと判定された場合には（ステップＳ２０１４−１４＝ＹＥＳ）、ステップＳ２０１４−１５に処理を移行する。一方で、「性別入力欄」の操作が行われていないと判定された場合には（ステップＳ２０１４−１４＝ＮＯ）、ステップＳ２０１４−１６に処理を移行する。
【０５４１】
（ステップＳ２０１４−１５）
ステップＳ２０１４−１５において、携帯端末Ｐは、性別情報入力処理を行う。具体的には、携帯端末Ｐは、会員登録するために必要な性別情報を入力する処理を行う。そして、ステップＳ２０１４−１５の処理が終了すると、ステップＳ２０１４−１６に処理を移行する。
【０５４２】
（ステップＳ２０１４−１６）
ステップＳ２０１４−１６において、携帯端末Ｐは、「パスワード入力欄」が操作されたか否かを判定する処理を行う。具体的には、携帯端末Ｐは、携帯端末Ｐのタッチパネルセンサにより、携帯端末Ｐの液晶表示装置に表示されている会員情報入力画面のうち、「パスワード入力欄」が操作されたか否かを判定する処理を行う。そして、「パスワード入力欄」が操作されたと判定された場合には（ステップＳ２０１４−１６＝ＹＥＳ）、ステップＳ２０１４−１７に処理を移行する。一方で、「パスワード入力欄」の操作が行われていないと判定された場合には（ステップＳ２０１４−１６＝ＮＯ）、ステップＳ２０１４−１８に処理を移行する。
【０５４３】
（ステップＳ２０１４−１７）
ステップＳ２０１４−１７において、携帯端末Ｐは、パスワード情報入力処理を行う。具体的には、携帯端末Ｐは、会員登録するために必要なパスワード情報を入力する処理を行う。そして、ステップＳ２０１４−１７の処理が終了すると、ステップＳ２０１４−１８に処理を移行する。
【０５４４】
（ステップＳ２０１４−１８）
ステップＳ２０１４−１８において、携帯端末Ｐは、「完了」の操作が行われたか否かを判定する処理を行う。具体的には、携帯端末Ｐは、携帯端末Ｐのタッチパネルセンサにより、「完了」に対応する領域が操作された旨の信号を受信したか否かを判定する処理を行う。そして、「完了」の操作が行われたと判定された場合には（ステップＳ２０１４−１８＝ＹＥＳ）、ステップＳ２０１４−１９に処理を移行する。一方で、「完了」の操作が行われていないと判定された場合には（ステップＳ２０１４−１８＝ＮＯ）、ステップＳ２０１４−３に処理を移行する。
【０５４５】
（ステップＳ２０１４−１９）
ステップＳ２０１４−１９において、携帯端末Ｐは、入力が完了したか否かを判定する処理を行う。具体的には、携帯端末Ｐは、会員登録するために必要な氏名情報、住所情報、電話番号情報、メールアドレス情報、年齢情報、性別情報、及びパスワード情報の入力が完了したか否かを判定する処理を行う。そして、入力が完了したと判定された場合には（ステップＳ２０１４−１９＝ＹＥＳ）、ステップＳ２０１４−２２に処理を移行する。一方で、入力が完了していないと判定された場合には（ステップＳ２０１４−１９＝ＮＯ）、ステップＳ２０１４−２０に処理を移行する。
【０５４６】
（ステップＳ２０１４−２０）
ステップＳ２０１４−２０において、携帯端末Ｐは、会員情報更新エラー画面表示処理を行う。具体的には、携帯端末Ｐは、会員登録されている情報を更新するために必要な情報が更新されていない等の理由により、会員登録されている情報を更新することができないことを報知する会員情報更新エラー画面（図４８（Ｇ）参照）を携帯端末Ｐの液晶表示装置に表示する処理を行う。そして、ステップＳ２０１４−２０の処理が終了すると、ステップＳ２０１４−２１に処理を移行する。
【０５４７】
（ステップＳ２０１４−２１）
ステップＳ２０１４−２１において、携帯端末Ｐは、会員情報更新画面復帰処理を行う。具体的には、携帯端末Ｐは、会員情報更新画面（図４８（Ｂ）参照）を携帯端末Ｐの液晶表示装置に表示するとともに、ステップＳ２０１４−１８の処理により「完了」の操作が行われる前に入力された情報が入力された状態に復帰する処理を行う。そして、ステップＳ２０１４−２１の処理が終了すると、ステップＳ２０１４−３に処理を移行する。
【０５４８】
（ステップＳ２０１４−２２）
ステップＳ２０１４−２２において、携帯端末Ｐは、会員更新情報送信処理を行う。具体的には、携帯端末Ｐは、入力された会員更新情報を会員管理サーバ１０１に対して送信する処理を行う。そして、ステップＳ２０１４−２２の処理が終了すると、ステップＳ２０１４−２３に処理を移行する。
【０５４９】
ここで、「会員更新情報」は、「氏名入力欄」に入力された氏名に係る情報と、「住所入力欄」に入力された住所に係る情報と、「電話番号入力欄」に入力された電話番号に係る情報と、「メールアドレス入力欄」に入力されたメールアドレスに係る情報と、「年齢入力欄」に入力された年齢に係る情報と、「性別入力欄」に入力された性別に係る情報と、「パスワード入力欄」に入力されたパスワードに係る情報とが含まれている。
【０５５０】
（ステップＳ２０１４−２３）
ステップＳ２０１４−２３において、携帯端末Ｐは、更新完了画面表示処理を行う。具体的には、携帯端末Ｐは、会員登録の更新が完了したことを報知する更新完了画面（図４８（Ｅ）参照）を携帯端末Ｐの液晶表示装置に表示する処理を行う。そして、ステップＳ２０１４−２３の処理が終了すると、第２実施形態における会員情報更新操作時処理のサブルーチンを終了し、携帯端末Ｐにおけるメイン処理のステップＳ２００１に処理を移行する。
【０５５１】
（第２実施形態における二次元コード操作時処理）
次に、図４２を用いて、携帯端末Ｐにおけるメイン処理のステップＳ２０１６により行われる第２実施形態における二次元コード操作時処理について説明を行う。
【０５５２】
（ステップＳ２０１６−１）
ステップＳ２０１６−１において、携帯端末Ｐは、会員情報受信処理を行う。具体的には、携帯端末Ｐは、具体的には、携帯端末Ｐは、会員管理サーバ１０１に対して、会員管理ＤＢ１０２に記憶されている会員情報を送信要求する処理を行い、会員管理サーバ１０１から、会員情報を受信する処理を行う。そして、ステップＳ２０１６−１の処理が終了すると、ステップＳ２０１６−２に処理を移行する。
【０５５３】
（ステップＳ２０１６−２）
ステップＳ２０１６−２において、携帯端末Ｐは、二次元コード生成処理を行う。具体的には、携帯端末Ｐは、ステップＳ２０１６−１の会員情報受信処理により受信した会員情報に基づいて、ポイント交換装置１の二次元コード読取部８に翳すための二次元コードを生成する処理を行う。そして、ステップＳ２０１６−２の処理が終了すると、ステップＳ２０１６−３に処理を移行する。
【０５５４】
（ステップＳ２０１６−３）
ステップＳ２０１６−３において、携帯端末Ｐは、二次元コード画面表示処理を行う。具体的には、携帯端末Ｐは、ステップＳ２０１６−２の二次元コード生成処理により生成された二次元コードが表示される二次元コード画面（図４９（Ｂ）参照）を携帯端末Ｐの液晶表示装置に表示する処理を行う。そして、ステップＳ２０１６−３の処理が終了すると、ステップＳ２０１６−４に処理を移行する。
【０５５５】
（ステップＳ２０１６−４）
ステップＳ２０１６−４において、携帯端末Ｐは、「完了」の操作が行われたか否かを判定する処理を行う。具体的には、携帯端末Ｐは、携帯端末Ｐのタッチパネルセンサにより、「完了」に対応する領域が操作された旨の信号を受信したか否かを判定する処理を行う。そして、「完了」の操作が行われたと判定された場合には（ステップＳ２０１６−４＝ＹＥＳ）、第２実施形態における二次元コード操作時処理のサブルーチンを終了し、携帯端末Ｐにおけるメイン処理のステップＳ２００１に処理を移行する。一方で、「完了」の操作が行われていないと判定された場合には（ステップＳ２０１６−４＝ＮＯ）、「完了」の操作が行われるまで、ステップＳ２０１６−４の処理を繰り返し行う。
【０５５６】
（第２実施形態におけるポイント加算操作時処理）
次に、図４３に基づいて、携帯端末Ｐにおけるメイン処理のステップＳ２０１８により行われる第２実施形態におけるポイント加算操作時処理について説明を行う。
【０５５７】
（ステップＳ２０１８−１）
ステップＳ２０１８−１において、携帯端末Ｐは、二次元コード読取画面表示処理を行う。具体的には、携帯端末Ｐは、二次元コード読取画面（図５０（Ｂ）参照）を携帯端末Ｐの液晶表示装置に表示する処理を行う。そして、ステップＳ２０１８−１の処理が終了すると、ステップＳ２０１８−２に処理を移行する。
【０５５８】
（ステップＳ２０１８−２）
ステップＳ２０１８−２において、携帯端末Ｐは、二次元コード読取処理を行う。ここで、携帯端末Ｐは、二次元コードを読み取る処理を行う。そして、ステップＳ２０１８−２の処理が終了すると、ステップＳ２０１８−３に処理を移行する。
【０５５９】
（ステップＳ２０１８−３）
ステップＳ２０１８−３において、携帯端末Ｐは、「取消」の操作が行われたか否かを判定する処理を行う。具体的には、携帯端末Ｐは、携帯端末Ｐのタッチパネルセンサにより、「取消」に対応する領域が操作された旨の信号が送信され、当該信号を受信したか否かを判定する処理を行う。そして、「取消」の操作が行われたと判定された場合には（ステップＳ２０１８−３＝ＹＥＳ）、第２実施形態におけるポイント加算操作時処理のサブルーチンを終了し、携帯端末Ｐにおけるメイン処理のステップＳ２００１に処理を移行する。一方で、「取消」の操作が行われていないと判定された場合には（ステップＳ２０１８−３＝ＮＯ）、ステップＳ２０１８−４に処理を移行する。
【０５６０】
（ステップＳ２０１８−４）
ステップＳ２０１８−４において、携帯端末Ｐは、読取が完了したか否かを判定する処理を行う。具体的には、携帯端末Ｐは、ステップＳ２０１８−２の二次元コード読取処理により、二次元コードが読み取られたか否かを判定する処理を行う。そして、読取が完了したと判定された場合には（ステップＳ２０１８−４＝ＹＥＳ）、ステップＳ２０１８−５に処理を移行する。一方で、読取が完了していないと判定された場合には（ステップＳ２０１８−４＝ＮＯ）、ステップＳ２０１８−２に処理を移行する。
【０５６１】
（ステップＳ２０１８−５）
ステップＳ２０１８−５において、携帯端末Ｐは、ポイント加算情報送信処理を行う。具体的には、携帯端末Ｐは、ポイント管理サーバ４０１に対してポイント加算情報を送信する処理を行う。そして、ステップＳ２０１８−５の処理が終了すると、ステップＳ２０１８−６に処理を移行する。
【０５６２】
（ステップＳ２０１８−６）
ステップＳ２０１８−６において、携帯端末Ｐは、ポイント加算完了情報受信処理を行う。具体的には、携帯端末Ｐは、ポイント管理サーバ４０１から、ポイント加算完了情報を受信する処理を行う。そして、ステップＳ２０１８−６の処理が終了すると、ステップＳ２０１８−７に処理を移行する。
【０５６３】
（ステップＳ２０１８−７）
ステップＳ２０１８−７において、携帯端末Ｐは、ポイント加算画面表示処理を行う。具体的には、携帯端末Ｐは、ポイント加算が完了した旨を報知するポイント交換完了画面（図５０（Ｃ）参照）を携帯端末Ｐの液晶表示装置に表示する処理を行う。そして、ステップＳ２０１８−７の処理が終了すると、第２実施形態におけるポイント加算操作時処理のサブルーチンを終了し、携帯端末Ｐにおけるメイン処理のステップＳ２００１に処理を移行する。
【０５６４】
（第２実施形態におけるポイント確認時のアニメーション）
次に、図４４に基づいて、第２実施形態におけるポイント確認時のアニメーションについて説明を行う。
【０５６５】
まず、図４４（Ａ）に示す通り、携帯端末Ｐの液晶表示装置には、アプリトップメニュー画面が表示されている。
【０５６６】
次に、図４４（Ｂ）に示す通り、図４４（Ａ）において、「ポイント確認」に対応する領域が操作された場合に、ポイント確認画面が携帯端末Ｐの液晶表示装置に表示されることとなる。ここで、「ポイント確認画面」とは、現在所持しているポイントに係る情報と、「詳細」に対応する領域と、「終了」に対応する領域とが含まれている。
【０５６７】
次に、図４４（Ｃ）に示す通り、図４４（Ｂ）において、「詳細」に対応する領域が操作された場合に、詳細画面が携帯端末Ｐの液晶表示装置に表示されることとなる。ここで、「詳細画面」は、更新日に係る情報と、ショップに係る情報と、ポイントに係る情報と、有効期限に係る情報と、「上カーソル」に対応する領域と、「下カーソル」に対応する領域と、「終了」に対応する領域とが含まれている。なお、図４４（Ｃ）では、「上カーソル」に対応する領域が操作不可能となっているとともに、「下カーソル」に対応する領域が操作可能となっている。
【０５６８】
次に、図４４（Ｄ）に示す通り、図４４（Ｃ）において、「下カーソル」に対応する領域が操作された場合に、携帯端末Ｐの液晶表示装置に表示されている詳細画面が更新表示されることとなる。
【０５６９】
次に、図４４（Ｅ）に示す通り、図４４（Ｄ）において、「終了」に対応する領域が操作された場合に、アプリトップメニュー画面が携帯端末Ｐの液晶表示装置に表示されることとなる。
【０５７０】
（第２実施形態における商品交換時のアニメーション）
次に、図４５に基づいて、第２実施形態における商品交換時のアニメーションについて説明を行う。
【０５７１】
まず、図４５（Ａ）に示す通り、携帯端末Ｐの液晶表示装置には、アプリトップメニュー画面が表示されている。
【０５７２】
次に、図４５（Ｂ）に示す通り、図４５（Ａ）において、「商品交換」に対応する領域が操作された場合に、カテゴリー選択画面が携帯端末Ｐの液晶表示装置に表示されることとなる。ここで、「カテゴリー選択画面」は、現在所持しているポイントに係る情報と、「上カーソル」に対応する領域と、「下カーソル」に対応する領域と、各カテゴリーに対応する領域が含まれている。
【０５７３】
なお、図４５（Ｂ）では、「金券」に対応する領域と、「雑貨」に対応する領域と、「食料品」に対応する領域と、「ゲームポイント」に対応する領域とが表示されているが、これら以外のカテゴリーに対応する領域が表示されることとしてもよい。
【０５７４】
次に、図４５（Ｃ）に示す通り、図４５（Ｂ）において、「金券」に対応する領域が操作された場合に、商品交換画面が携帯端末Ｐの液晶表示装置に表示されることとなる。ここで、「商品交換画面」は、現在所持しているポイントに係る情報と、選択されたカテゴリーに対応する商品に係る領域と、「ソート」に対応する領域と、「上カーソル」に対応する領域と、「下カーソル」に対応する領域と、「終了」に対応する領域とが含まれている。
【０５７５】
ここで、図４５（Ｃ）では、選択されたカテゴリーに対応する商品に対応する領域として、商品Ｘに対応する領域と、商品Ｙに対応する領域と、商品Ｚに対応する領域とが携帯端末Ｐの液晶表示装置に表示されている。
【０５７６】
なお、図４５（Ｃ）では、「上カーソル」に対応する領域、及び「下カーソル」に対応する領域が操作不可能となっており、選択されたカテゴリーに対応する商品に対応する領域と、「ソート」に対応する領域と、「終了」に対応する領域とが操作可能となっている。ここで、商品Ｙに対応する領域、及び商品Ｚに対応する領域が操作不可能となっているのは、現在所持しているポイントが、商品と交換するのに必要なポイント未満であるためである。
【０５７７】
次に、図４５（Ｄ）に示す通り、図４５（Ｃ）において、「商品Ｘ」に対応する領域が操作された場合に、商品詳細画面が携帯端末Ｐの液晶表示装置に表示されることとなる。ここで、「商品詳細画面」は、商品名に係る情報と、商品画像に係る情報と、商品説明に係る情報と、「交換」に対応する領域と、「取消」に対応する領域とが含まれている。
【０５７８】
次に、図４５（Ｅ）に示す通り、図４５（Ｄ）において、「交換」に対応する領域が操作された場合に、商品確認画面が携帯端末Ｐの液晶表示装置に表示されることとなる。ここで、「商品確認画面」は、「商品とポイントを交換します。よろしいですか？」という文字画像と、商品名に係る情報と、商品画像に係る情報と、商品と交換した後に所持することとなるポイントに係る情報と、「交換」に対応する領域と、「取消」に対応する領域とが含まれている。
【０５７９】
次に、図４５（Ｆ）に示す通り、図４５（Ｅ）において、「交換」に対応する領域が操作された場合に、商品交換完了画面が液晶表示装置２に表示されることとなる。ここで、「商品交換完了画面」は、商品交換が完了したことを報知するための画像であって、例えば、図４５（Ｆ）に示すように、「商品交換が完了しました」という文字画像をいう。
【０５８０】
次に、図４５（Ｇ）に示す通り、図４５（Ｆ）において、所定時間が経過すると、アプリトップメニュー画面が携帯端末Ｐの液晶表示装置に表示されることとなる。
【０５８１】
（商品確認時のアニメーション）
次に、図４６に基づいて、第２実施形態における商品確認時のアニメーションについて説明を行う。
【０５８２】
まず、図４６（Ａ）に示す通り、携帯端末Ｐの液晶表示装置には、アプリトップメニュー画面が表示されている。
【０５８３】
次に、図４６（Ｂ）に示す通り、図４６（Ａ）において、「商品確認」に対応する領域が操作された場合に、カテゴリー選択画面が携帯端末Ｐの液晶表示装置に表示されることとなる。
【０５８４】
次に、図４６（Ｃ）に示す通り、図４６（Ｂ）において、「金券」に対応する領域が操作された場合に、商品一覧画面が携帯端末Ｐの液晶表示装置に表示されることとなる。ここで、「商品一覧画面」は、選択されたカテゴリーに対応する商品に係る領域と、「ソート」に対応する領域と、「上カーソル」に対応する領域と、「下カーソル」に対応する領域と、「終了」に対応する領域とが含まれている。
【０５８５】
次に、図４６（Ｄ）に示す通り、図４６（Ｃ）において、「商品Ｘ」に対応する商品紹介画面が携帯端末Ｐの液晶表示装置に表示されることとなる。ここで、「商品紹介画面」は、商品名に係る情報と、商品画像に係る情報と、商品説明に係る情報と、「終了」に対応する領域とが含まれている。
【０５８６】
次に、図４６（Ｅ）に示す通り、図４６（Ｄ）において、「終了」に対応する領域が操作された場合に、アプリトップメニュー画面が携帯端末Ｐの液晶表示装置に表示されることとなる。
【０５８７】
（第２実施形態における会員登録時のアニメーション）
次に、図４７に基づいて、第２実施形態における会員登録時のアニメーションについて説明を行う。
【０５８８】
まず、図４７（Ａ）に示す通り、携帯端末Ｐの液晶表示装置には、アプリトップメニュー画面が表示されている。
【０５８９】
次に、図４７（Ｂ）に示す通り、図４７（Ａ）において、「会員登録」に対応する領域が操作された場合に、会員情報入力画面が携帯端末Ｐの液晶表示装置に表示されることとなる。ここで、「会員情報入力画面」は、氏名に係る情報を入力するための領域と、住所に係る情報を入力するための領域と、電話番号に係る情報を入力するための領域と、メールアドレスに係る情報を入力するための領域と、年齢に係る情報を入力するための領域と、性別に係る情報を入力するための領域と、パスワードに係る情報を入力するための領域と、これらの入力がされた後に操作可能となる「完了」に対応する領域と、「取消」に対応する領域とが含まれている。なお、「完了」に対応する領域は、操作可能である場合には、白色で表示されるとともに、操作不可能である場合には、灰色で表示されることとなる。
【０５９０】
次に、図４７（Ｃ）に示す通り、図４７（Ｂ）において、「氏名入力欄」が操作された場合に、氏名情報の入力が可能となる。具体的には、文字入力画像が表示され、この文字入力画像を操作することで、氏名入力欄に対して氏名情報を入力することが可能となる。
【０５９１】
次に、図４７（Ｄ）に示す通り、図４７（Ｃ）において、氏名に係る情報と、住所に係る情報と、電話番号に係る情報と、メールアドレスに係る情報と、年齢に係る情報と、性別に係る情報と、パスワードに係る情報が入力されると、「完了」に対応する領域が操作可能となる。
【０５９２】
なお、図４７（Ｄ）において、入力された情報が所定の条件を充足せずに、「完了」に対応する領域が操作された場合には、会員登録エラー画面が携帯端末Ｐの液晶表示装置に表示されることとなる。例えば、電話番号に係る情報を入力するための領域に数字以外の情報が入力されると、図４７（Ｇ）に示す会員登録エラー画面が携帯端末Ｐの液晶表示装置に表示されることとなる。
【０５９３】
次に、図４７（Ｅ）に示す通り、図４７（Ｄ）において、「完了」に対応する領域が操作された場合に、登録完了画面が携帯端末Ｐの液晶表示装置に表示されることとなる。ここで、「登録完了画面」は、会員登録が完了した旨を報知する画面であって、例えば、図４７（Ｅ）に示すように、「ご登録ありがとうございました。」という文字画像をいう。
【０５９４】
次に、図４７（Ｆ）に示す通り、図４７（Ｅ）において、所定時間が経過した場合や、図４７（Ｂ）、図４７（Ｃ）、図４７（Ｄ）において、「取消」に対応する領域が操作された場合には、アプリトップメニュー画面が携帯端末Ｐの液晶表示装置に表示されることとなる。
【０５９５】
（第２実施形態における会員情報更新時のアニメーション）
次に、図４８に基づいて、第２実施形態における会員情報更新時のアニメーションについて説明を行う。
【０５９６】
まず、図４８（Ａ）に示す通り、携帯端末Ｐの液晶表示装置には、アプリトップメニュー画面が表示されている。
【０５９７】
次に、図４８（Ｂ）に示す通り、図４８（Ａ）において、「会員情報更新」に対応する領域が操作された場合に、会員情報更新画面が携帯端末Ｐの液晶表示装置に表示されることとなる。
【０５９８】
次に、図４８（Ｃ）に示す通り、図４８（Ｂ）において、「氏名入力欄」が操作された場合に、氏名情報の更新が可能となる。具体的には、文字入力画像が表示され、この文字入力画像を操作することで、氏名入力欄の氏名情報を更新することが可能となる。
【０５９９】
次に、図４８（Ｄ）に示す通り、図４８（Ｃ）において、氏名に係る情報と、住所に係る情報と、電話番号に係る情報と、メールアドレスに係る情報と、年齢に係る情報と、性別に係る情報と、パスワードに係る情報の少なくとも一部が更新されると、「完了」に対応する領域が操作可能となる。
【０６００】
なお、図４８（Ｄ）において、入力された情報が所定の条件を充足せずに、「完了」に対応する領域が操作された場合には、会員情報更新エラー画面が携帯端末Ｐの液晶表示装置に表示されることとなる。例えば、電話番号に係る情報を入力するための領域に数字以外の情報が入力されると、図４８（Ｇ）に示す会員情報更新エラー画面が携帯端末Ｐの液晶表示装置に表示されることとなる。
【０６０１】
次に、図４８（Ｅ）に示す通り、図４８（Ｄ）において、「完了」に対応する領域が操作された場合に、更新完了画面が携帯端末Ｐの液晶表示装置に表示されることとなる。ここで、「更新完了画面」は、会員登録の更新が完了した旨を報知する画面であって、例えば、図４８（Ｅ）に示すように、「更新が完了しました。」という文字画像をいう。
【０６０２】
次に、図４８（Ｆ）に示す通り、図４８（Ｅ）において、所定時間が経過した場合や、図４８（Ｂ）、図４８（Ｃ）、図４８（Ｄ）において、「取消」に対応する領域が操作された場合には、アプリトップメニュー画面が携帯端末Ｐの液晶表示装置に表示されることとなる。
【０６０３】
（第２実施形態における二次元コード表示時のアニメーション）
次に、図４９に基づいて、第２実施形態における二次元コード表示時のアニメーションについて説明を行う。
【０６０４】
まず、図４９（Ａ）に示す通り、携帯端末Ｐの液晶表示装置には、アプリトップメニュー画面が表示されている。
【０６０５】
次に、図４９（Ｂ）に示す通り、図４９（Ａ）において、「二次元コード」に対応する領域が操作された場合に、二次元コード画面が携帯端末Ｐの液晶表示装置に表示されることとなる。
【０６０６】
ここで、「二次元コード画面」は、ポイント交換装置１の二次元コード読取部８に読み取らせるための二次元コードと、「完了」に対応する領域と、「ポイント交換装置に翳して下さい。」という文字画像が含まれる。
【０６０７】
次に、図４９（Ｃ）に示す通り、図４９（Ｂ）において、「完了」に対応する領域が操作された場合には、アプリトップメニュー画面が携帯端末Ｐの液晶表示装置に表示されることとなる。
【０６０８】
（第２実施形態におけるポイント加算時のアニメーション）
次に、図５０に基づいて、第２実施形態におけるポイント加算時のアニメーションについて説明を行う。
【０６０９】
まず、図５０（Ａ）に示す通り、携帯端末Ｐの液晶表示装置には、アプリトップメニュー画面が表示されている。
【０６１０】
次に、図５０（Ｂ）に示す通り、図５０（Ａ）において、「ポイント加算」に対応する領域が操作された場合に、二次元コード読取画面が携帯端末Ｐの液晶表示装置に表示されることとなる。
【０６１１】
ここで、「二次元コード読取画面」は、「二次元コードを読み取って下さい。」という文字画像と、二次元コードを読み取るためのフレーム画像と、「取消」に対応する領域とが含まれている。
【０６１２】
次に、図５０（Ｃ）に示す通り、図５０（Ｂ）において、ポイント交換装置１によりポイント交換に係る操作が行われ、排紙口７から排紙された紙（レシート）に印刷されている二次元コードが読み取られた場合に、ポイント交換完了画面が携帯端末Ｐの液晶表示装置に表示されることとなる。ここで、「ポイント交換完了画面」は、氏名に係る情報と、「ポイント交換が完了しました。」という文字画像と、ポイントが加算される前の合計ポイントと、加算されるポイントと、これらの合計ポイントが含まれている。
【０６１３】
次に、図５０（Ｄ）に示す通り、図５０（Ｃ）において、所定時間が経過した場合や、図５０（Ｂ）において、「取消」に対応する領域が操作された場合には、アプリトップメニュー画面が携帯端末Ｐの液晶表示装置に表示されることとなる。
【０６１４】
（第２実施形態におけるポイント交換操作時処理、ポイント加算操作時処理、及びポイント確認操作時処理の遷移）
次に、図５１に基づいて、第２実施形態におけるポイント交換操作時処理、ポイント加算操作時処理、及びポイント確認操作時処理の遷移について説明を行う。
【０６１５】
（第２実施形態におけるポイント交換操作時処理の遷移）
まず、第２実施形態におけるポイント交換操作時処理の遷移について説明を行う。
【０６１６】
まず、ポイント交換装置１は、ステップＳ６−１６のポイント交換情報送信処理を行う。これにより、ポイント交換装置１からポイント管理サーバ４０１に対して、ポイント交換情報が送信される。
【０６１７】
そして、ポイント管理サーバ４０１は、ステップＳ４０５のポイント交換情報記憶処理により、ポイント交換装置１から受信したポイント交換情報を記憶する処理を行う。これにより、ポイントＩＤ記憶領域４０２ａ、更新日時記憶領域４０２ｂ、ショップ記憶領域４０２ｃ、ポイント管理ＤＢ用交換装置ＩＤ記憶領域４０２ｄ、更新ポイント記憶領域４０２ｇ、セキュリティコード記憶領域４０２ｉに各情報が記憶されることとなる。
【０６１８】
そして、ポイント交換装置１は、ステップＳ６−１７のセキュリティコード受信処理を行う。これにより、ポイント交換装置１からポイント管理サーバ４０１に対して、セキュリティコードの送信要求が行われる。
【０６１９】
そして、ポイント管理サーバ４０１は、ステップＳ４０７のセキュリティコード送信処理により、セキュリティコード記憶領域４０２ｉに記憶されたセキュリティコードをポイント交換装置１に対して送信する。
【０６２０】
そして、ポイント交換装置１は、ステップＳ６−１８のポイント交換用二次元コード生成処理を行う。これにより、ポイント管理サーバ４０１にアクセスするためのＵＲＬに係る情報、より具体的には、ポイントに交換する手続を行うためのＵＲＬに係る情報と、交換することとなるポイント数に係る情報と、ステップＳ６−１７のセキュリティコード受信処理により受信したセキュリティコードに係る情報を有する二次元コードを生成する処理が行われることとなる。
【０６２１】
そして、ポイント交換装置１は、ステップＳ６−１９の交換用レシート発行画像表示処理により、景品５０をポイントに交換するための紙（レシート）が発行されることを報知する交換用レシート発行画像（図２２（Ｅ）参照）を液晶表示装置２に表示する処理を行う。
【０６２２】
そして、ポイント交換装置１は、ステップＳ６−２０の交換用レシート発行処理により、ステップＳ６−１８のポイント交換用二次元コード生成処理により生成された二次元コードを紙（レシート）に印刷し、当該印刷された紙（レシート）を排紙口７により排紙する処理を行う。
【０６２３】
（第２実施形態におけるポイント加算操作時処理の遷移）
次に、第２実施形態におけるポイント加算操作時処理の遷移について説明を行う。
【０６２４】
まず、携帯端末Ｐは、排紙された紙（レシート）に印刷されている二次元コードの読み取りが完了すると、ステップＳ２０１８−５のポイント加算情報送信処理を行う。これにより、携帯端末Ｐからポイント管理サーバ４０１に対して、ポイント加算情報が送信される。
【０６２５】
ここで、「ポイント加算情報」は、交換することとなるポイント数に係る情報と、携帯端末Ｐの端末識別情報と、セキュリティコードに係る情報が含まれている。
【０６２６】
ここで、第１実施形態において、ポイント管理サーバ４０１は、氏名・パスワード情報を受信した場合（ステップＳ４０８＝ＹＥＳ）に、ステップＳ４０９の処理によりポイント付与認証処理が行われる一方で、第２実施形態において、ポイント管理サーバ４０１は、携帯端末Ｐからポイント加算情報を受信した場合に、ステップＳ４０９の処理によりポイント付与認証処理を行う。これにより、会員管理サーバ１０１に対してポイント加算情報を送信する。
【０６２７】
そして、会員管理サーバ１０１は、ポイント加算情報を受信した場合に、ステップＳ１０６の会員認証処理を行う。これにより、ポイント管理サーバ４０１が携帯端末Ｐから受信したポイント加算情報に含まれている端末識別情報が、会員登録されている情報と一致するか否かを判定する。
【０６２８】
そして、会員管理サーバ１０１は、ステップＳ１０６の会員認証処理を行った後、ステップＳ１０７の会員認証結果情報送信処理を行う。これにより、会員管理サーバ１０１からポイント管理サーバ４０１に対して会員認証結果情報が送信される。
【０６２９】
そして、ポイント管理サーバ４０１は、会員管理サーバ１０１から会員として認証した旨の情報を受信し、認証が完了すると（ステップＳ４１０＝ＹＥＳ）、ステップＳ４１１のポイント加算処理を行う。これにより、ポイント管理ＤＢ４０２のポイントＩＤ記憶領域４０２ａ、更新日時記憶領域４０２ｂ、ショップ記憶領域４０２ｃ、ポイント管理ＤＢ用交換装置ＩＤ記憶領域４０２ｄ、ポイント管理ＤＢ用会員ＩＤ記憶領域４０２ｅ、会員氏名記憶領域４０２ｆ、更新ポイント記憶領域４０２ｇ、及び有効期限記憶領域４０２ｈに各情報が記憶される。
【０６３０】
そして、ポイント管理サーバ４０１は、ステップＳ４１１のポイント加算処理が行われた後、ステップＳ４１２のメール送信対象会員情報受信処理を行う。これにより、ポイント管理サーバ４０１は、会員管理サーバ１０１に対してメール送信対象会員情報送信要求を行う。
【０６３１】
ここで、「メール送信対象会員情報」は、少なくとも、メールアドレス記憶領域１０２ｆに記憶されている会員のメールアドレスに係る情報を有している。
【０６３２】
そして、会員管理サーバ１０１は、ポイント管理サーバ４０１からメール送信対象送信要求があると、ステップＳ１０９の会員情報送信処理を行う。これにより、会員管理サーバ１０１は、ポイント管理サーバ４０１に対してメール送信対象会員情報を送信することとなる。
【０６３３】
そして、ポイント管理サーバ４０１は、会員管理サーバ１０１からメール送信対象会員情報を受信した場合に、ステップＳ４１３のポイント加算メール送信処理を行う。これにより、会員に対してポイント加算メールを送信する。
【０６３４】
この際に、問屋がポイント協会から購入したポイントが売り切れ間近である場合に、問屋や、ショップに対してポイントが売り切れ間近である旨の情報を有するメールを送信することとしてもよい。
【０６３５】
また、ポイント管理サーバ４０１は、ポイント加算画面を携帯端末Ｐの液晶表示装置に表示するために必要なポイント加算完了情報を携帯端末Ｐに送信する。
【０６３６】
そして、携帯端末Ｐは、ステップＳ２０１８−６のポイント加算完了情報受信処理を行う。これにより、ポイント管理サーバ４０１からポイント完了情報を受信する。
【０６３７】
そして、携帯端末Ｐは、ポイント管理サーバ４０１からポイント完了情報を受信すると、ステップＳ２０１８−７のポイント加算画面表示処理を行う。これにより、携帯端末Ｐの液晶表示装置には、ポイント交換完了画面（図５０（Ｃ）参照）が表示されることとなる。
【０６３８】
（第２実施形態におけるポイント確認操作時処理の遷移）
次に、第２実施形態におけるポイント確認操作時処理の遷移について説明を行う。
【０６３９】
まず、携帯端末Ｐは、ステップＳ２００６−１の会員情報受信処理を行う。これにより、携帯端末Ｐは、会員管理サーバ１０１に対して会員情報送信要求を行う。
【０６４０】
そして、会員管理サーバ１０１は、携帯端末Ｐから会員情報送信要求があった場合に、ステップＳ１０９の会員情報送信処理を行う。これにより、会員管理サーバ１０１は、携帯端末Ｐに対して、会員情報を送信する。
【０６４１】
そして、携帯端末Ｐは、会員管理サーバ１０１から会員情報を受信した後、ステップＳ２００６−２のポイント情報受信処理を行う。これにより、携帯端末Ｐは、ポイント管理サーバ４０１に対してポイント情報送信要求を行う。
【０６４２】
そして、ポイント管理サーバ４０１は、携帯端末Ｐからポイント情報送信要求があった場合に、ステップＳ４１７のポイント情報送信処理を行う。これにより、ポイント管理サーバ４０１は、携帯端末Ｐに対して、ポイント情報を送信する。
【０６４３】
そして、携帯端末Ｐは、ポイント管理サーバ４０１からポイント情報を受信した後、ステップＳ２００６−３のポイント確認画面表示処理を行う。これにより、ステップＳ２００６−１の会員情報受信処理により受信した会員情報と、ステップＳ２００６−２のポイント情報受信処理により受信した会員情報に基づいて、ポイント確認画面（図４４（Ｂ）参照）が携帯端末Ｐの液晶表示装置に表示される。
【０６４４】
（第２実施形態における商品交換操作時処理、及び商品確認操作時処理の遷移）
次に、図５２に基づいて、第２実施形態における商品交換操作時処理、及び商品確認操作時処理の遷移の遷移について説明を行う。
【０６４５】
（第２実施形態における商品交換操作時処理の遷移）
まず、第２実施形態における商品交換操作時処理の遷移について説明を行う。
【０６４６】
携帯端末Ｐは、ステップＳ２００８−１の会員情報受信処理を行う。これにより、携帯端末Ｐは、会員管理サーバ１０１に対して会員情報送信要求を行う。
【０６４７】
そして、会員管理サーバ１０１は、携帯端末Ｐから会員情報送信要求があった場合に、ステップＳ１０９の会員情報送信処理を行う。これにより、会員管理サーバ１０１は、携帯端末Ｐに対して、会員情報を送信する。
【０６４８】
そして、携帯端末Ｐは、会員管理サーバ１０１から会員情報を受信した後、ステップＳ２００８−２のポイント情報受信処理を行う。これにより、携帯端末Ｐは、ポイント管理サーバ４０１に対してポイント情報送信要求を行う。
【０６４９】
そして、ポイント管理サーバ４０１は、携帯端末Ｐからポイント情報送信要求があった場合に、ステップＳ４１７のポイント情報送信処理を行う。これにより、ポイント管理サーバ４０１は、携帯端末Ｐに対して、ポイント情報を送信する。
【０６５０】
そして、携帯端末Ｐは、ポイント管理サーバ４０１からポイント情報を受信した後、ステップＳ２００８−３の商品情報受信処理を行う。これにより、携帯端末Ｐは、商品管理サーバ３０１に対して商品情報送信要求を行う。
【０６５１】
そして、商品管理サーバ３０１は、携帯端末Ｐから商品情報送信要求があった場合に、ステップＳ３０８の商品情報送信処理を行う。これにより、商品管理サーバ３０１は、携帯端末Ｐに対して、商品情報を送信する。
【０６５２】
そして、携帯端末Ｐは、商品管理サーバ３０１から商品情報を受信した後、ステップＳ２００８−４のカテゴリー選択画面表示処理を行う。これにより、ステップＳ２００８−１の会員情報受信処理により受信した会員情報と、ステップＳ２００８−２のポイント情報受信処理により受信した会員情報と、ステップＳ２００８−３の商品情報受信処理により受信した商品情報に基づいて、カテゴリー選択画面（図４５（Ｂ）参照）が携帯端末Ｐの液晶表示装置に表示される。
【０６５３】
その後、携帯端末Ｐは、ステップＳ２００８−１９の商品交換情報送信処理を行う。これにより、携帯端末Ｐは、購買管理サーバ２０１に対して商品交換情報を送信する。
【０６５４】
そして、購買管理サーバ２０１は、携帯端末Ｐから商品交換情報を受信した場合に、ステップＳ２０２の商品交換情報登録処理を行う。これにより、購買管理ＤＢ２０２の購買ＩＤ記憶領域２０２ａと、購買日記憶領域２０２ｂと、交換装置ＩＤ記憶領域２０２ｃと、購買者記憶領域２０２ｄと、購買商品記憶領域２０２ｅと、発送予定日記憶領域２０２ｆと、発送先記憶領域２０２ｇと、購買会員電話番号記憶領域２０２ｈに各情報が記憶されることとなる。
【０６５５】
そして、購買管理サーバ２０１は、ステップＳ２０２の商品交換情報登録処理が行われた後、ステップＳ２０３の商品交換完了情報送信処理を行う。これにより、購買管理サーバ２０１は、商品管理サーバ３０１に対して商品交換完了情報を送信する。
【０６５６】
そして、商品管理サーバ３０１は、購買管理サーバ２０１から商品交換完了情報を受信した場合に、ステップＳ３０２の在庫数減算処理を行う。これにより、購買管理ＤＢ２０２の在庫数記憶領域３０２ｆに記憶されている値から「１」減算される。
【０６５７】
その後、携帯端末Ｐは、ステップＳ２００８−２０のポイント減算情報送信処理を行う。これにより、携帯端末Ｐは、ポイント管理サーバ４０１に対して、ポイント減算情報を送信する。
【０６５８】
そして、ポイント管理サーバ４０１は、携帯端末Ｐからポイント減算情報を受信した場合に、ステップＳ４１５のポイント減算情報受信時処理を行う。これにより、ポイント管理サーバ４０１は、ポイント管理ＤＢ４０２にポイント減算情報を記憶する。
【０６５９】
そして、携帯端末Ｐは、ステップＳ２００８−２０のポイント減算情報送信処理が行われた後、ステップＳ２００８−２１の商品交換完了画面表示処理を行う。これにより、商品交換完了画面（図４５（Ｆ）参照）が携帯端末Ｐの液晶表示装置に表示される。
【０６６０】
（第２実施形態における商品確認操作時処理の遷移）
次に、第２実施形態における商品確認操作時処理の遷移について説明を行う。
【０６６１】
携帯端末Ｐは、ステップＳ２０１０−１の商品情報受信処理を行う。これにより、携帯端末Ｐは、商品管理サーバ３０１に対して商品情報送信要求を行う。
【０６６２】
そして、商品管理サーバ３０１は、携帯端末Ｐから商品情報送信要求があった場合に、ステップＳ３０８の商品情報送信処理を行う。これにより、商品管理サーバ３０１は、携帯端末Ｐに対して、商品情報を送信する。
【０６６３】
そして、携帯端末Ｐは、商品管理サーバ３０１から商品情報を受信した後、ステップＳ２０１０−２のカテゴリー選択画像表示処理を行う。これにより、ステップＳ２０１０−１の商品情報受信処理により受信した商品情報に基づいて、カテゴリー選択画面（図４６（Ｂ）参照）を携帯端末Ｐの液晶表示装置に表示する。
【０６６４】
（第２実施形態における会員登録操作時処理、及び会員情報更新操作時処理の遷移）
次に、図５３に基づいて、第２実施形態における会員登録操作時処理、会員情報更新操作時処理、及び二次元コード操作時処理の遷移について説明を行う。
【０６６５】
（第２実施形態における会員登録操作時処理の遷移）
まず、第２実施形態における会員登録操作時処理の遷移について説明を行う。
【０６６６】
まず、携帯端末Ｐは、ステップＳ２０１２−１３の会員登録情報送信処理により、会員管理サーバ１０１に対して会員登録情報を送信する。
【０６６７】
そして、会員管理サーバ１０１は、携帯端末Ｐから会員登録情報を受信すると、ステップＳ１０２の会員登録情報受信時処理を行う。これにより、会員ＩＤ記憶領域１０２ａと、氏名記憶領域１０２ｂと、住所記憶領域１０２ｃと、端末識別情報記憶領域１０２ｄと、電話番号記憶領域１０２ｅと、メールアドレス記憶領域１０２ｆと、パスワード記憶領域１０２ｇと、年齢記憶領域１０２ｈと、性別記憶領域１０２ｉの各領域に各情報が記憶されることとなる。
【０６６８】
（第２実施形態における会員情報更新操作時処理の遷移）
次に、第２実施形態における会員情報更新操作時処理の遷移について説明を行う。
【０６６９】
まず、携帯端末Ｐは、ステップＳ２０１４−１の会員情報受信処理を行う。これにより、携帯端末Ｐは、会員管理サーバ１０１に対して会員情報送信要求を行う。
【０６７０】
そして、会員管理サーバ１０１は、携帯端末Ｐから会員情報送信要求があった場合に、ステップＳ１０９の会員情報送信処理を行う。これにより、会員管理サーバ１０１は、携帯端末Ｐに対して、会員情報を送信する。
【０６７１】
そして、携帯端末Ｐは、会員管理サーバ１０１から会員情報を受信した後、ステップＳ２０１４−２の会員情報更新画面表示処理を行う。これにより、会員情報更新画面（図４８（Ｂ）参照）が携帯端末Ｐの液晶表示装置に表示される。
【０６７２】
その後、携帯端末Ｐは、ステップＳ２０１４−１３の会員更新情報送信処理を行う。これにより、携帯端末Ｐは、会員管理サーバ１０１に対して会員更新情報を送信する処理を行う。
【０６７３】
そして、会員管理サーバ１０１は、携帯端末Ｐから会員更新情報を受信すると、ステップＳ１０４の会員更新情報受信時処理を行う。これにより、会員ＩＤ記憶領域１０２ａと、氏名記憶領域１０２ｂと、住所記憶領域１０２ｃと、端末識別情報記憶領域１０２ｄと、電話番号記憶領域１０２ｅと、メールアドレス記憶領域１０２ｆと、パスワード記憶領域１０２ｇと、年齢記憶領域１０２ｈと、性別記憶領域１０２ｉの各領域に各情報が更新して記憶されることとなる。
【０６７４】
（第２実施形態における二次元コード操作時処理の遷移）
次に、第２実施形態における二次元コード操作時処理の遷移について説明を行う。
【０６７５】
まず、携帯端末Ｐは、ステップＳ２０１６−１の会員情報受信処理を行う。これにより、携帯端末Ｐは、会員管理サーバ１０１に対して会員情報送信要求を行う。
【０６７６】
そして、会員管理サーバ１０１は、携帯端末Ｐから会員情報送信要求があった場合に、ステップＳ１０９の会員情報送信処理を行う。これにより、会員管理サーバ１０１は、携帯端末Ｐに対して、会員情報を送信する。
【０６７７】
そして、携帯端末Ｐは、会員管理サーバ１０１から会員情報を受信した後、ステップＳ２０１６−２の二次元コード生成処理を行う。これにより、ポイント交換装置１の二次元コード読取部８に翳すための二次元コードを生成する処理が行われる。
【０６７８】
（第３実施形態）
次に、図５４〜図６１を用いて、第３実施形態の説明を行う。なお、第３実施形態を説明する際に、第１実施形態や、第２実施形態で説明した点と異なる点について説明を行い、共通する点については説明を省略する。
【０６７９】
（第３実施形態における商品交換システムの概要）
まず、図５４、及び図５５を用いて、第３実施形態における商品交換システムの概要の説明を行う。
【０６８０】
第３実施形態においては、現金を供託し、供託された現金の範囲内でポイントを発行することとなる。
【０６８１】
（ショップと問屋）
図５４に示す通り、ショップは、問屋に対して現金を供託する。そして、問屋は、ショップに対して、供託された供託金の範囲内でポイントを発行する。
【０６８２】
このように、ショップは、問屋に対して現金を供託することにより、問屋は、供託された現金の範囲内で、ショップに対してポイントを発行することができる。
【０６８３】
（ポイント協会と問屋）
図５５に示す通り、問屋は、ポイント協会に対して現金を供託する。そして、ポイント協会は、問屋に対して、供託された供託金の範囲内でポイントを発行する。
【０６８４】
このように、問屋は、ポイント協会に対して現金を供託することで、ポイント協会は、供託された現金の範囲内で、問屋に対してポイントを発行することができる。
【０６８５】
（第３実施形態における商品交換システムを構成する各システム）
次に、図５６を用いて、第３実施形態における商品交換システムを構成する各システムについて説明を行う。
【０６８６】
第３実施形態における商品交換システムは、ポイント交換装置１と、携帯端末Ｐと、会員管理システム１００と、購買管理システム２００と、商品管理システム３００と、ポイント管理システム４００と、供託金管理システム５００により構成される。このため、以下において、供託金管理システム５００の説明を行う。
【０６８７】
（供託金管理システム５００）
供託金管理システム５００は、供託金管理サーバ５０１と、供託金管理ＤＢ５０２により構成されており、供託金情報を管理するためのシステムである。
【０６８８】
（供託金管理サーバ５０１）
供託金管理サーバ５０１は、ポイント交換装置１や、ポイント管理サーバ４０１と通信可能に設けられており、供託金管理ＤＢ５０２に供託金情報を記憶する処理を行うために設けられている。なお、供託金管理サーバ５０１は、ショップが問屋に供託金を供託する場合には、問屋により管理され、問屋がポイント協会に対して供託金を供託する場合には、ポイント協会により管理される。
【０６８９】
（供託金管理ＤＢ５０２）
供託金管理ＤＢ５０２は、供託金情報を記憶するために設けられている。なお、供託金管理ＤＢ５０２については、後で図５７を用いて詳述する。
【０６９０】
（第３実施形態における供託金管理ＤＢ５０２によって記憶された供託金情報）
次に、図５７を用いて、第３実施形態における供託金管理ＤＢ５０２によって記憶された供託金情報について説明を行う。
【０６９１】
供託金管理ＤＢ５０２には、供託金管理ＩＤを記憶するための供託金管理ＩＤ記憶領域５０２ａと、供託金更新日時を記憶するための供託金更新日時記憶領域５０２ｂと、ショップに係る情報を記憶するための供託金管理ＤＢ用ショップ記憶領域５０２ｃと、交換装置ＩＤを記憶するための供託金管理ＤＢ用交換装置ＩＤ記憶領域５０２ｄと、供託金額を記憶するための供託金額記憶領域５０２ｅと、交換ポイントに係る情報を記憶するための交換ポイント記憶領域５０２ｆが設けられており、それぞれのデータが紐付いている。
【０６９２】
例えば、現金が供託された場合には、供託金管理ＩＤ記憶領域５０２ａの「０００００００１」と、供託金更新日時記憶領域５０２ｂに記憶されている「２０１８／０１／０１  ０８：１０」と、供託金管理ＤＢ用ショップ記憶領域５０２ｃに記憶されている「Ａ店」と、供託金管理ＤＢ用交換装置ＩＤ記憶領域５０２ｄに記憶されている「０００００００１」と、供託金額記憶領域５０２ｅに記憶されている「１，０００，０００」というそれぞれのデータが紐付いて記憶される。
【０６９３】
また、ポイントが発行された場合には、供託金管理ＩＤ記憶領域５０２ａの「０００００００６」と、供託金更新日時記憶領域５０２ｂに記憶されている「２０１８／０１／０１  １１：１４」と、供託金管理ＤＢ用ショップ記憶領域５０２ｃに記憶されている「Ｂ店」と、供託金管理ＤＢ用交換装置ＩＤ記憶領域５０２ｄに記憶されている「０００９５７０１」と、交換ポイント記憶領域５０２ｆに記憶されている「２０，０００」というそれぞれのデータが紐付いて記憶される。
【０６９４】
（第３実施形態におけるポイント交換操作時処理）
次に、図５８に基づいて、第３実施形態におけるポイント交換操作時処理について説明を行う。
【０６９５】
（ステップＳ６−２１）
ステップＳ６−２１において、ＣＰＵ１１は、ポイント発行要求情報送信処理を行う。具体的には、ＣＰＵ１１は、ポイント管理サーバ４０１に対して、ポイント発行要求情報を送信する処理を行う。ここで、「ポイント発行要求情報」とは、少なくとも、ポイント交換装置１のＩＤと、交換されるポイント数に係る情報が含まれる。そして、ステップＳ６−２１の処理が終了すると、ステップＳ６−２２に処理を移行する。
【０６９６】
（ステップＳ６−２２）
ステップＳ６−２２において、ＣＰＵ１１は、ポイント発行可能情報を受信したか否かを判定する処理を行う。具体的には、ＣＰＵ１１は、ポイント管理サーバ４０１からポイント発行可能情報を受信したか否かを判定する処理を行う。そして、ポイント発行可能情報を受信したと判定された場合には（ステップＳ６−２２＝ＹＥＳ）、ステップＳ６−２３に処理を移行する。一方で、ポイント発行可能情報を受信していないと判定された場合には（ステップＳ６−２２＝ＮＯ）、ステップＳ６−２４に処理を移行する。
【０６９７】
（ステップＳ６−２３）
ステップＳ６−２３において、ＣＰＵ１１は、ポイント交換可能時処理を行う。具体的には、ＣＰＵ１１は、ステップＳ６−１８のポイント交換用二次元コード生成処理、ステップＳ６−１９の交換用レシート発行画像表示処理、及びステップＳ６−２０の交換用レシート発行処理を行う。そして、ステップＳ６−２３の処理が終了すると、第３実施形態におけるポイント交換操作時処理のサブルーチンを終了し、ポイント交換装置１におけるメイン処理（図１１参照）のステップＳ１９に処理を移行する。
【０６９８】
（ステップＳ６−２４）
ステップＳ６−２４において、ＣＰＵ１１は、ポイント交換不可能画面表示処理を行う。具体的には、ＣＰＵ１１は、ポイント交換不可能画像（図６０（Ｅ）参照）を液晶表示装置２に表示する処理を行う。そして、ステップＳ６−２４の処理が終了すると、ステップＳ６−２５に処理を移行する。
【０６９９】
（ステップＳ６−２５）
ステップＳ６−２５において、ＣＰＵ１１は、景品返却処理を行う。具体的には、ＣＰＵ１１は、景品５０を景品返却部４に返却する処理を行う。そして、ステップＳ６−２５の処理が終了すると、第３実施形態におけるポイント交換操作時処理のサブルーチンを終了し、ポイント交換装置１におけるメイン処理（図１１参照）のステップＳ１９に処理を移行する。
【０７００】
（供託金管理サーバ５０１におけるメイン処理）
次に、図５９に基づいて、供託金管理サーバ５０１におけるメイン処理について説明を行う。
【０７０１】
（ステップＳ３００１）
ステップＳ３００１において、供託金管理サーバ５０１は、供託金入金操作が行われたか否かを判定する処理を行う。具体的には、供託金管理サーバ５０１は、供託金が入金された場合に行われる供託金入金操作が行われたか否かを判定する処理を行う。そして、供託金入金操作が行われたと判定された場合には（ステップＳ３００１＝ＹＥＳ）、ステップＳ３００２に処理を移行する。一方で、供託金入金操作が行われていないと判定された場合には（ステップＳ３００１＝ＮＯ）、ステップＳ３００４に処理を移行する。
【０７０２】
（ステップＳ３００２）
ステップＳ３００２において、供託金管理サーバ５０１は、供託金入金時処理を行う。具体的には、供託金管理サーバ５０１は、供託金管理ＤＢ５０２の供託金管理ＩＤ記憶領域５０２ａと、供託金更新日時記憶領域５０２ｂと、供託金管理ＤＢ用ショップ記憶領域５０２ｃと、供託金管理ＤＢ用交換装置ＩＤ記憶領域５０２ｄと、供託金額記憶領域５０２ｅに各情報を記憶する処理を行う。そして、ステップＳ３００２の処理が終了すると、ステップＳ３００３に処理を移行する。
【０７０３】
（ステップＳ３００３）
ステップＳ３００３において、供託金管理サーバ５０１は、供託金入金通知処理を行う。具体的には、供託金管理サーバ５０１は、供託金が入金された旨の情報、入金された供託金額に係る情報、及び入金した者（例えば、上述したように、問屋や、ショップ）に係る情報を有するメールを、供託金管理サーバの管理者（例えば、問屋や、ポイント協会）に対して送信する処理を行う。そして、ステップＳ３００３の処理が終了すると、供託金管理サーバ５０１におけるメイン処理を終了し、再びステップＳ３００１から処理を実行する。
【０７０４】
（ステップＳ３００４）
ステップＳ３００４において、供託金管理サーバ５０１は、ポイント発行要求情報を受信したか否かを判定する処理を行う。具体的には、供託金管理サーバ５０１は、ポイント交換装置１から、ポイント発行要求情報を受信したか否かを判定する処理を行う。そして、ポイント発行要求情報を受信したと判定された場合には（ステップＳ３００４＝ＹＥＳ）、ステップＳ３００５に処理を移行する。一方で、ポイント発行要求情報を受信していないと判定された場合には（ステップＳ３００４＝ＮＯ）、供託金管理サーバ５０１におけるメイン処理を終了し、再びステップＳ３００１から処理を実行する。
【０７０５】
（ステップＳ３００５）
ステップＳ３００５において、供託金管理サーバ５０１は、供託金チェック処理を行う。具体的には、供託金管理サーバ５０１は、供託金管理ＤＢ５０２に記憶されている各情報に基づいて、ショップ毎の供託金額を算出し、当該算出されたショップ毎の供託金額と、今回送信されたポイント発行要求情報とを比較する処理を行う。そして、ステップＳ３００５の処理が終了すると、ステップＳ３００６に処理を移行する。
【０７０６】
（ステップＳ３００６）
ステップＳ３００６において、供託金管理サーバ５０１は、ポイント発行が可能であるか否かを判定する処理を行う。具体的には、供託金管理サーバ５０１は、ステップＳ３００５の供託金チェック処理を行った結果、供託金額がポイント発行要求情報により要求されているポイントの発行要求されている額以上であるか否かを判定する処理を行う。ここで、供託金管理サーバ５０１は、供託金額がポイント発行要求情報により要求されているポイントの発行要求されている額以上である場合に、ポイント発行が可能であると判定することとなる。そして、ポイント発行が可能であると判定された場合には（ステップＳ３００６＝ＹＥＳ）、ステップＳ３００７に処理を移行する。一方で、ポイント発行が可能ではないと判定された場合には（ステップＳ３００６＝ＮＯ）、ステップＳ３０１０に処理を移行する。
【０７０７】
（ステップＳ３００７）
ステップＳ３００７において、供託金管理サーバ５０１は、ポイント発行可能情報送信処理を行う。具体的には、供託金管理サーバ５０１は、ポイント交換装置１に対して、ポイント発行可能情報を送信する処理を行う。ここで、「ポイント発行可能情報」は、少なくともポイントの発行が可能である旨の情報を有する。そして、ステップＳ３００７の処理が終了すると、ステップＳ３００８に処理を移行する。
【０７０８】
（ステップＳ３００８）
ステップＳ３００８において、供託金管理サーバ５０１は、供託金減算処理を行う。具体的には、供託金管理サーバ５０１は、供託金管理ＤＢ５０２の供託金管理ＩＤ記憶領域５０２ａと、供託金更新日時記憶領域５０２ｂと、供託金管理ＤＢ用ショップ記憶領域５０２ｃと、供託金管理ＤＢ用交換装置ＩＤ記憶領域５０２ｄと、交換ポイント記憶領域５０２ｆに各情報を記憶する処理を行う。そして、ステップＳ３００８の処理が終了すると、ステップＳ３００９に処理を移行する。
【０７０９】
（ステップＳ３００９）
ステップＳ３００９において、供託金管理サーバ５０１は、ポイント発行通知処理を行う。具体的には、供託金管理サーバ５０１は、ポイントが発行された旨の情報、発行されたポイントに係る情報、及び発行したポイント交換装置１のＩＤに係る情報を有するメールを、供託金管理サーバの管理者（例えば、問屋や、ポイント協会）に対して送信する処理を行う。そして、ステップＳ３００９の処理が終了すると、供託金管理サーバ５０１におけるメイン処理を終了し、再びステップＳ３００１から処理を実行する。
【０７１０】
（ステップＳ３０１０）
ステップＳ３０１０において、供託金管理サーバ５０１は、ポイント発行不可能情報送信処理を行う。具体的には、供託金管理サーバ５０１は、ポイント交換装置１に対して、ポイント発行不可能情報を送信する処理を行う。ここで、「ポイント発行不可能情報」は、少なくともポイントの発行が不可能である旨の情報を有する。そして、ステップＳ３０１０の処理が終了すると、ステップＳ３０１１に処理を移行する。
【０７１１】
（ステップＳ３０１１）
ステップＳ３０１１において、供託金管理サーバ５０１は、ポイント発行不可能通知処理を行う。具体的には、供託金管理サーバ５０１は、ポイントの発行が不可能である旨の情報を有するメールを、供託金管理サーバの管理者（例えば、問屋や、ポイント協会）に対して送信する処理を行う。そして、ステップＳ３０１１の処理が終了すると、供託金管理サーバ５０１におけるメイン処理を終了し、再びステップＳ３００１から処理を実行する。
【０７１２】
（第３実施形態におけるポイント交換不可能時のアニメーション）
次に、図６０に基づいて、第３実施形態におけるポイント交換不可能時のアニメーションについて説明を行う。
【０７１３】
まず、図６０（Ａ）に示す通り、ポイント交換装置１の液晶表示装置２には、トップメニュー画像が表示されている。
【０７１４】
次に、図６０（Ｂ）に示す通り、図６０（Ａ）において、「ポイント交換」に対応する領域が操作された場合に、景品投入部３に景品５０の投入を促す画像が液晶表示装置２に表示されることとなる。
【０７１５】
次に、図６０（Ｃ）に示す通り、図６０（Ｂ）において、「１」枚の第１景品５１が景品投入部３に投入され、景品読取部１５により、投入された第１景品５１が贋物ではないと判定された場合に、液晶表示装置２に表示されている景品投入部３に景品５０の投入を促す画像が更新されることとなる。
【０７１６】
次に、図６０（Ｄ）に示す通り、図６０（Ｃ）において、「交換」に対応する領域が操作されると、景品５０とポイントを交換することに対して確認を促す画像が液晶表示装置２に表示されることとなる。具体的には、景品投入部３に投入され、景品読取部１５により、投入された景品５０が贋物ではないと判定された景品５０の数と、交換することとなるポイントの値と、有効期限が交換から「３」月である旨が報知される。
【０７１７】
次に、図６０（Ｅ）に示す通り、図６０（Ｄ）において、「交換」に対応する領域が操作され、ポイント発行要求情報により要求されているポイントの発行要求されている額が、供託金額以上ではない場合に、景品５０をポイントに交換できなかったことを報知するポイント交換不可能画像が液晶表示装置２に表示されることとなる。ここで、「ポイント交換不可能画像」は、「ポイント交換できませんでした。」という文字画像と、「景品のお取り忘れにご注意下さい。」という文字画像が含まれている。
【０７１８】
次に、図６０（Ｆ）に示す通り、図６０（Ｅ）において、所定時間が経過すると、トップメニュー画像が液晶表示装置２に表示されることとなる。
【０７１９】
（第３実施形態におけるポイント交換操作時処理の遷移）
次に、図６１を用いて、第３実施形態におけるポイント交換操作時処理の遷移について説明を行う。
【０７２０】
まず、ポイント交換装置１は、ステップＳ６−２１のポイント発行要求情報送信処理を行う。これにより、ポイント交換装置１から供託金管理サーバ５０１に対して、ポイント発行要求情報が送信される。
【０７２１】
そして、供託金管理サーバ５０１は、ステップＳ３００５の供託金チェック処理を行う。これにより、供託金管理サーバ５０１は、ショップ毎の供託金額を算出し、当該算出されたショップ毎の供託金額と、今回送信されたポイント発行要求情報とを比較する処理を行う。
【０７２２】
以下において、ステップＳ３００５の供託金チェック処理を行った結果、ポイント発行が可能である場合と、ポイント発行が不可能である場合とに分けて説明を行う。
【０７２３】
（ポイント発行可能時）
まず、供託金管理サーバ５０１は、ステップＳ３００７のポイント発行可能情報送信処理を行う。これにより、供託金管理サーバ５０１は、ポイント交換装置１に対してポイント発行可能情報を送信する。
【０７２４】
そして、供託金管理サーバ５０１は、ステップＳ３００７のポイント発行可能情報送信処理を行った後、ステップＳ３００８の供託金減算処理を行う。これにより、供託金管理ＤＢ５０２の供託金管理ＤＢ５０２の供託金管理ＩＤ記憶領域５０２ａと、供託金更新日時記憶領域５０２ｂと、供託金管理ＤＢ用ショップ記憶領域５０２ｃと、供託金管理ＤＢ用交換装置ＩＤ記憶領域５０２ｄと、交換ポイント記憶領域５０２ｆに各情報を記憶する処理を行う。
【０７２５】
そして、ポイント交換装置１は、供託金管理サーバ５０１からポイント発行可能情報を受信すると、ステップＳ６−２３のポイント交換可能時処理を行う。これにより、ポイント交換装置１は、ステップＳ６−１８のポイント交換用二次元コード生成処理、ステップＳ６−１９の交換用レシート発行画像表示処理、及びステップＳ６−２０の交換用レシート発行処理を行う。
【０７２６】
その後、携帯端末Ｐは、排紙された紙（レシート）に印刷されている二次元コードを読み取ることにより、インターネットを介してポイント管理サーバ４０１に接続する。そうすると、ポイント加算画像が携帯端末Ｐの液晶表示装置に表示される。
【０７２７】
そして、携帯端末Ｐは、ポイント加算画像が携帯端末Ｐの液晶表示装置に表示されている場合において、氏名に係る情報と、パスワードに係る情報とが入力された後、「完了」に対応する領域が操作された場合に、氏名・パスワード情報が携帯端末Ｐからインターネットを介してポイント管理サーバ４０１に送信される。
【０７２８】
そして、ポイント管理サーバ４０１は、携帯端末Ｐから氏名・パスワード情報を受信した場合に、ステップＳ４０９のポイント付与認証処理を行う。これにより、会員管理サーバ１０１に対して、氏名・パスワード情報が送信される。
【０７２９】
そして、会員管理サーバ１０１は、携帯端末Ｐから氏名に係る情報と、パスワードに係る情報を受信した場合に、ステップＳ１０６の会員認証処理を行う。これにより、ポイント管理サーバ４０１が携帯端末Ｐから受信した氏名・パスワード情報が、会員登録されている情報と一致するか否かを判定する。
【０７３０】
そして、会員管理サーバ１０１は、ステップＳ１０６の会員認証処理を行った後、ステップＳ１０７の会員認証結果情報送信処理を行う。これにより、会員認証結果情報が会員管理サーバ１０１からポイント管理サーバ４０１に対して送信する。
【０７３１】
そして、ポイント管理サーバ４０１は、会員管理サーバ１０１から会員として認証した旨の情報を受信し、認証が完了すると（ステップＳ４１０＝ＹＥＳ）、ステップＳ４１１のポイント加算処理を行う。これにより、ポイント管理ＤＢ４０２のポイントＩＤ記憶領域４０２ａ、更新日時記憶領域４０２ｂ、ショップ記憶領域４０２ｃ、ポイント管理ＤＢ用交換装置ＩＤ記憶領域４０２ｄ、ポイント管理ＤＢ用会員ＩＤ記憶領域４０２ｅ、会員氏名記憶領域４０２ｆ、更新ポイント記憶領域４０２ｇ、及び有効期限記憶領域４０２ｈに各情報が記憶される。
【０７３２】
そして、ポイント管理サーバ４０１は、ステップＳ４１１のポイント加算時処理が行われた後、メール送信対象会員情報受信処理を行う。これにより、ポイント管理サーバ４０１は、会員管理サーバ１０１に対してメール送信対象会員情報送信要求を行う。
【０７３３】
そして、会員管理サーバ１０１は、ポイント管理サーバ４０１からメール送信対象送信要求があると、ステップＳ１０９の会員情報送信処理を行う。これにより、会員管理サーバ１０１は、ポイント管理サーバ４０１に対してメール送信対象会員情報を送信することとなる。
【０７３４】
そして、ポイント管理サーバ４０１は、会員管理サーバ１０１からメール送信対象会員情報を受信した場合に、ステップＳ４１３のポイント加算メール送信処理を行う。これにより、会員に対してポイント加算メールを送信する。
【０７３５】
（ポイント発行不可能時）
ポイントの発行が不可能である場合、供託金管理サーバ５０１は、ステップＳ３０１０のポイント発行不可能情報送信処理を行う。これにより、供託金管理サーバ５０１は、ポイント交換装置１に対してポイント発行不可能情報を送信する。
【０７３６】
そして、供託金管理サーバ５０１は、ステップＳ３０１０のポイント発行不可能情報送信処理を行った後、ステップＳ３０１１のポイント発行不可能通知処理を行う。これにより、供託金管理サーバの管理者（例えば、問屋や、ポイント協会）に対してメールを送信する処理を行う。
【０７３７】
一方で、ポイント交換装置１は、供託金管理サーバ５０１からポイント発行不可能情報を受信した場合に、ステップＳ６−２４のポイント交換不可能時処理を行う。これにより、ポイント交換不可能画像が液晶表示装置２に表示される。
【０７３８】
（第４実施形態）
次に、図６２〜図６３を用いて、第４実施形態の説明を行う。なお、第４実施形態を説明する際に、第１実施形態〜第３実施形態で説明した点と異なる点について説明を行い、共通する点については説明を省略する。
【０７３９】
第４実施形態においては、景品５０とポイントを交換する際に、プレミアムポイントの付与条件が充足されている場合には、当該プレミアムポイントの付与条件が充足されていない場合と比較して多くのポイントと交換可能となる。
【０７４０】
（第４実施形態におけるポイント加算時処理）
次に、図６２を用いて、第４実施形態におけるポイント加算時処理の説明を行う。
【０７４１】
（ステップＳ４１１−１）
ステップＳ４１１−１において、ポイント管理サーバ４０１は、ポイント交換回数取得処理を行う。具体的には、ポイント管理サーバ４０１は、景品５０と、ポイントを交換したポイント交換回数を取得する処理を行う。そして、ステップＳ４１１−１の処理が終了すると、ステップＳ４１１−２に処理を移行する。
【０７４２】
ここで、「ポイント交換回数」は、今までに景品５０をポイントに交換した回数であってもよいし、所定の期間（例えば、「１」年）内に景品５０をポイントに交換した回数であってもよい。
【０７４３】
また、ポイント交換回数の取得方法は、適宜設定可能である。例えば、景品５０とポイントの交換回数をポイント管理ＤＢ４０２に記憶しておくことで、ポイント交換回数を取得することとしてもよいし、ポイント管理ＤＢ４０２に記憶されている情報を用いて演算を行うことにより、ポイント交換回数を取得することとしてもよい。
【０７４４】
（ステップＳ４１１−２）
ステップＳ４１１−２において、ポイント管理サーバ４０１は、景品交換回数が所定回数以上であるか否かを判定する処理を行う。具体的には、ポイント管理サーバ４０１は、ステップＳ４１１−１のポイント交換回数取得処理により取得されたポイント交換回数が、予め定められた所定回数以上であるか否かを判定する処理を行う。そして、景品交換回数が所定回数以上であると判定された場合には（ステップＳ４１１−２＝ＹＥＳ）、ステップＳ４１１−３に処理を移行する。一方で、景品交換回数が所定回数以上ではないと判定された場合には（ステップＳ４１１−２＝ＮＯ）、ステップＳ４１１−４に処理を移行する。
【０７４５】
（ステップＳ４１１−３）
ステップＳ４１１−３において、ポイント管理サーバ４０１は、第１プレミアムポイント設定処理を行う。具体的には、ポイント管理サーバ４０１は、ステップＳ４１１−１のポイント交換回数取得処理により取得されたポイント交換回数に基づいて、第１プレミアムポイントを設定する処理を行う。そして、ステップＳ４１１−３の処理が終了すると、ステップＳ４１１−４に処理を移行する。
【０７４６】
ここで、第１プレミアムポイント設定処理により設定される第１プレミアムポイントの値は、適宜設定可能である。例えば、第２プレミアムポイントと等しい値であってもよいし、第２プレミアムポイントと比較して大きな値であってもよいし、第２プレミアムポイントと比較して小さな値であってもよい。
【０７４７】
また、第１プレミアムポイント設定処理により設定される値は、複数段階規定されていてもよい。例えば、ステップＳ４１１−１のポイント交換回数取得処理により取得されたポイント交換回数が第１の所定回数（例えば、「１０」回）以上であって、第２の所定回数（例えば、「２０」回）未満である場合よりも、ポイント交換回数が第２の所定回数以上である場合の方が、第１プレミアムポイント設定処理で大きな値を設定することとしてもよい。
【０７４８】
また、第１プレミアムポイント設定処理により設定される値は、予め定められた値ではなく、景品５０と交換されることとなるポイントの値に所定の割合（例えば、「１％」）が乗算された値を設定することとしてもよい。この場合において、所定の割合は、複数段階規定されていてもよい。例えば、ステップＳ４１１−１のポイント交換回数取得処理により取得されたポイント交換回数が第１の所定回数（例えば、「１０」回）以上であって、第２の所定回数（例えば、「２０」回）未満である場合よりも、ポイント交換回数が第２の所定回数以上である場合の方が、所定の割合として大きな値が乗算されることとしてもよい。
【０７４９】
（ステップＳ４１１−４）
ステップＳ４１１−４において、ポイント管理サーバ４０１は、ポイント交換額取得処理を行う。具体的には、ポイント管理サーバ４０１は、景品５０と、ポイントを交換したポイント交換額を取得する処理を行う。そして、ステップＳ４１１−４の処理が終了すると、ステップＳ４１１−５に処理を移行する。
【０７５０】
ここで、「ポイント交換額」は、今までに景品５０をポイントに交換した額の合計であってもよいし、所定の期間（例えば、「１」年）内に景品５０をポイントに交換した額の合計であってもよい。
【０７５１】
また、ポイント交換額の取得方法は、適宜設定可能である。例えば、景品５０とポイントの交換額をポイント管理ＤＢ４０２に記憶しておくことで、ポイント交換額を取得することとしてもよいし、ポイント管理ＤＢ４０２に記憶されている情報を用いて演算を行うことにより、ポイント交換額を取得することとしてもよい。
【０７５２】
（ステップＳ４１１−５）
ステップＳ４１１−５において、ポイント管理サーバ４０１は、ポイント交換額が所定額以上であるか否かを判定する処理を行う。具体的には、ポイント管理サーバ４０１は、ステップＳ４１１−４のポイント交換額取得処理により取得されたポイント交換額が、予め定められた所定額以上であるか否かを判定する処理を行う。そして、ポイント交換額が所定額以上であると判定された場合には（ステップＳ４１１−５＝ＹＥＳ）、ステップＳ４１１−６に処理を移行する。一方で、ポイント交換額が所定額以上ではないと判定された場合には（ステップＳ４１１−５＝ＮＯ）、ステップＳ４１１−７に処理を移行する。
【０７５３】
（ステップＳ４１１−６）
ステップＳ４１１−６において、ポイント管理サーバ４０１は、第２プレミアムポイント設定処理を行う。具体的には、ポイント管理サーバ４０１は、ステップＳ４１１−４のポイント交換額取得処理により取得されたポイント交換額に基づいて、第２プレミアムポイントを設定する処理を行う。そして、ステップＳ４１１−６の処理が終了すると、ステップＳ４１１−７に処理を移行する。
【０７５４】
ここで、第２プレミアムポイント設定処理により設定される第２プレミアムポイントの値は、適宜設定可能である。例えば、第１プレミアムポイントと等しい値であってもよいし、第１プレミアムポイントと比較して大きな値であってもよいし、第１プレミアムポイントと比較して小さな値であってもよい。
【０７５５】
また、第２プレミアムポイント設定処理により設定される値は、複数段階規定されていてもよい。例えば、ステップＳ４１１−４のポイント交換額取得処理により取得されたポイント交換額が第１の所定額（例えば、「１００，０００」）以上であって、第２の所定額（例えば、「２００，０００」）未満である場合よりも、ポイント交換額が第２の所定額以上である場合の方が、第２プレミアムポイント設定処理で大きな値を設定することとしてもよい。
【０７５６】
また、第２プレミアムポイント設定処理により設定される値は、予め定められた値ではなく、景品５０と交換されることとなるポイントの値に所定の割合（例えば、「１％」）が乗算された値を設定することとしてもよい。この場合において、所定の割合は、複数段階規定されていてもよい。例えば、ステップＳ４１１−４のポイント交換額取得処理により取得されたポイント交換額が第１の所定額（例えば、「１００，０００」）以上であって、第２の所定額（例えば、「２００，０００」）未満である場合よりも、ポイント交換額が第２の所定額以上である場合の方が、所定の割合として大きな値が乗算されることとしてもよい。
【０７５７】
（ステップＳ４１１−７）
ステップＳ４１１−７において、ポイント管理サーバ４０１は、ポイント加算処理を行う。具体的には、ポイント管理サーバ４０１は、景品５０と交換されるポイントの値と、ステップＳ４１１−３の第１プレミアムポイント設定処理により設定された第１プレミアムポイントと、ステップＳ４１１−６の第２プレミアムポイント設定処理により設定された第２プレミアムポイントとを加算して、ポイント管理ＤＢ４０２に記憶する処理を行う。そして、ステップＳ４１１−７の処理が終了すると、第４実施形態におけるポイント加算時処理のサブルーチンを終了し、ポイント管理サーバ４０１におけるメイン処理のステップＳ４１２に処理を移行する。
【０７５８】
（第４実施形態におけるポイント交換時のアニメーション）
次に、図６３を用いて、第４実施形態におけるポイント交換時のアニメーションの説明を行う。
【０７５９】
なお、図６３（Ａ）〜図６３（Ｇ）については、図２２（Ａ）〜図２２（Ｇ）と同じであるため、説明を省略する。
【０７６０】
図６３（Ｈ）に示す通り、図６３（Ｇ）において、氏名に係る情報と、パスワードに係る情報とが入力された後、「完了」に対応する領域が操作された場合に、第４実施形態におけるポイント交換完了画面が携帯端末Ｐの液晶表示装置に表示されることとなる。ここで、「第４実施形態におけるポイント交換完了画面」は、氏名に係る情報と、「ポイント交換が完了しました。」という文字画像と、ポイントが加算される前の合計ポイントと、加算されるポイントと、プレミアムポイントと、これらの合計ポイントが含まれている。
【０７６１】
なお、第４実施形態においては、ステップＳ４１１−１のポイント交換回数取得処理により取得されたポイント交換回数や、ステップＳ４１１−４のポイント交換額取得処理により取得されたポイント交換額に基づいて、第１プレミアムポイントや、第２プレミアムポイントを付与することとしているが、これに限定されることはなく、プレミアムポイントの付与条件は、適宜設定可能である。
【０７６２】
例えば、ステップＳ４１１−１のポイント交換回数取得処理により取得されたポイント交換回数に基づいて付与される第１プレミアムポイント、またはステップＳ４１１−４のポイント交換額取得処理により取得されたポイント交換額に基づいて付与される第２プレミアムポイントの何れかを付与することとしてもよい。
【０７６３】
この場合において、ステップＳ４１１−３の第１プレミアムポイント設定処理により設定される第１プレミアムポイントの値と、ステップＳ４１１−６の第２プレミアムポイント設定処理により設定される第２プレミアムポイントの値を比較し、大きな値の方を付与することとしてもよいし、小さな値の方を付与することとしてもよい。
【０７６４】
また、プレミアムポイント付与条件として、特定の日時や、特定の曜日であることを適用してもよい。これにより、例えば、２０時から２１時の間であることをプレミアムポイント付与条件として適用することもできるし、０１月０１日から０１月０３日の間であることをプレミアムポイント付与条件として適用することもできるし、水曜日であることをプレミアムポイント付与条件として適用することもできる。
【０７６５】
（第５実施形態）
次に、図６４〜図６７を用いて、第５実施形態の説明を行う。なお、第５実施形態を説明する際に、第１実施形態〜第４実施形態で説明した点と異なる点について説明を行い、共通する点については説明を省略する。
【０７６６】
第５実施形態においては、景品５０とポイントを交換する際に、遊技店の会員情報を用いて多くのポイントと交換可能となる。
【０７６７】
（第５実施形態における商品交換システムを構成する各システム）
次に、図６４を用いて、第５実施形態における商品交換システムを構成する各システムの説明を行う。
【０７６８】
第５実施形態における商品交換システムは、ポイント交換装置１と、携帯端末Ｐと、会員管理システム１００と、購買管理システム２００と、商品管理システム３００と、ポイント管理システム４００と、供託金管理システム５００と、遊技店会員管理システム６００により構成される。このため、以下において、遊技店会員管理システム６００の説明を行う。
【０７６９】
（遊技店会員管理システム６００）
遊技店会員管理システム６００は、遊技店会員管理サーバ６０１と、遊技店会員管理ＤＢ６０２により構成されており、遊技店の会員の情報を管理するためのシステムである。
【０７７０】
（遊技店会員管理サーバ６０１）
遊技店会員管理サーバ６０１は、携帯端末Ｐと通信可能に設けられており、遊技店会員管理ＤＢ６０２に遊技店の会員の情報を記憶する処理を行うために設けられている。なお、遊技店会員管理サーバ６０１は、遊技店により管理される。
【０７７１】
（遊技店会員管理ＤＢ６０２）
遊技店会員管理ＤＢ６０２は、遊技店の会員の情報を記憶するために設けられている。なお、遊技店会員管理ＤＢ６０２については、後で図６５を用いて詳述する。
【０７７２】
（第５実施形態における遊技店会員管理ＤＢ６０２によって記憶された遊技店会員情報）
次に、図６５を用いて、第５実施形態における供託金管理ＤＢ５０２によって記憶された遊技店会員情報について説明を行う。
【０７７３】
遊技店会員管理ＤＢ６０２には、遊技店会員管理ＩＤを記憶するための遊技店会員管理ＩＤ記憶領域６０２ａと、遊技店の会員の氏名を記憶するための遊技店会員氏名記憶領域６０２ｂと、遊技店の会員の住所を記憶するための会員住所記憶領域６０２ｃと、遊技店の会員の電話番号を記憶するための会員電話番号記憶領域６０２ｄと、遊技店の会員のメールアドレスを記憶するための会員メールアドレス記憶領域６０２ｅと、遊技店の会員のパスワードに係る情報を記憶するための会員パスワード記憶領域６０２ｆと、遊技店の会員の年齢を記憶するための会員年齢記憶領域６０２ｇと、遊技店の会員の性別を記憶するための会員性別記憶領域６０２ｈと、貯玉に係る情報を記憶するための貯玉記憶領域６０２ｉと、貯メダルに係る情報を記憶するための貯メダル記憶領域６０２ｊと、遊技店の来店回数を記憶するための来店回数記憶領域６０２ｋが設けられており、それぞれのデータが紐付いている。
【０７７４】
例えば、遊技店会員管理ＩＤ記憶領域６０２ａの「０００００００１」と、遊技店会員氏名記憶領域６０２ｂの「田中一郎」と、会員住所記憶領域６０２ｃの「東京都××区△△１−２」と、会員電話番号記憶領域６０２ｄの「０３−ＸＸＸＸ−ＸＸＸＸ」と、会員メールアドレス記憶領域６０２ｅの「ａｂｃ＠ＸＸＸＸ．ｃｏｍ」と、会員パスワード記憶領域６０２ｆの「２５２５」と、会員年齢記憶領域６０２ｇの「３６」と、会員性別記憶領域６０２ｈの「男」と、貯玉記憶領域６０２ｉの「０」と、貯メダル記憶領域６０２ｊの「０」と、来店回数記憶領域６０２ｋの「１」というそれぞれのデータが紐付いて記憶される。
【０７７５】
なお、遊技店会員管理ＤＢ６０２は、上述した各情報以外の情報を記憶することとしてもよい。例えば、遊技店の会員の誕生日に係る情報や、遊技店の会員登録を行った年月日等を記憶することとしてもよい。
【０７７６】
また、貯玉記憶領域６０２ｉや、貯メダル記憶領域６０２ｊは、遊技者に貸し出す遊技玉や、遊技メダルのレートに応じた記憶領域を有し、各レートに応じて貯玉に係る情報や、貯メダルに係る情報を記憶することとしてもよい。
【０７７７】
（第５実施形態における遊技店会員管理サーバにおけるメイン処理）
次に、図６６を用いて、第５実施形態における遊技店会員管理サーバにおけるメイン処理について説明を行う。
【０７７８】
（ステップＳ４００１）
ステップＳ４００１において、遊技店会員管理サーバ６０１は、遊技店会員登録時であるか否かを判定する処理を行う。具体的には、遊技店会員管理サーバ６０１は、遊技店の会員登録に関する操作が行われたか否かを判定する処理を行う。そして、遊技店会員登録時であると判定された場合には（ステップＳ４００１＝ＹＥＳ）、ステップＳ４００２に処理を移行する。一方で、遊技店会員登録時ではないと判定された場合には（ステップＳ４００１＝ＮＯ）、ステップＳ４００３に処理を移行する。
【０７７９】
（ステップＳ４００２）
ステップＳ４００２において、遊技店会員管理サーバ６０１は、遊技店会員登録時処理を行う。具体的には、遊技店会員管理サーバ６０１は、遊技店会員管理ＤＢ６０２に各情報を記憶する処理を行う。そして、ステップＳ４００２の処理が終了すると、第５実施形態における遊技店会員管理サーバ６０１におけるメイン処理を終了し、再びステップＳ４００１から処理を実行する。
【０７８０】
（ステップＳ４００３）
ステップＳ４００３において、遊技店会員管理サーバ６０１は、遊技店会員情報送信要求時であるか否かを判定する処理を行う。具体的には、遊技店会員管理サーバ６０１は、携帯端末Ｐから遊技店会員情報の送信要求があったか否かを判定する処理を行う。そして、遊技店会員情報送信要求時であると判定された場合には（ステップＳ４００３＝ＹＥＳ）、ステップＳ４００４に処理を移行する。一方で、遊技店会員情報送信要求時ではないと判定された場合には（ステップＳ４００３＝ＮＯ）、ステップＳ４００５に処理を移行する。
【０７８１】
（ステップＳ４００４）
ステップＳ４００４において、遊技店会員管理サーバ６０１は、遊技店会員情報送信処理を行う。具体的には、遊技店会員管理サーバ６０１は、遊技店会員情報を携帯端末に対して送信する処理を行う。ここで、「遊技店会員情報」は、遊技店会員管理ＤＢ６０２に記憶されている遊技店会員管理ＩＤ記憶領域６０２ａと、遊技店会員氏名記憶領域６０２ｂと、会員住所記憶領域６０２ｃと、会員電話番号記憶領域６０２ｄと、会員メールアドレス記憶領域６０２ｅと、会員パスワード記憶領域６０２ｆと、会員年齢記憶領域６０２ｇと、会員性別記憶領域６０２ｈと、貯玉記憶領域６０２ｉと、貯メダル記憶領域６０２ｊと、来店回数記憶領域６０２ｋに記憶されているそれぞれのデータをいう。そして、ステップＳ４００４の処理が終了すると、第５実施形態における遊技店会員管理サーバ６０１におけるメイン処理を終了し、再びステップＳ４００１から処理を実行する。
【０７８２】
（ステップＳ４００５）
ステップＳ４００５において、遊技店会員管理サーバ６０１は、その他対応する処理を行う。具体的には、遊技店会員管理サーバ６０１は、例えば、会員登録を削除する操作が行われた場合には、遊技店会員管理ＤＢ６０２に記憶されている情報を削除する処理を行い、貯玉時や、貯メダル時には、遊技店会員管理ＤＢ６０２に記憶されている情報を更新する処理を行う。そして、ステップＳ４００５の処理が終了すると、第５実施形態における遊技店会員管理サーバ６０１におけるメイン処理を終了し、再びステップＳ４００１から処理を実行する。
【０７８３】
（第５実施形態におけるポイント加算操作時処理の遷移）
次に、図６７を用いて、第５実施形態におけるポイント加算操作時処理の遷移について説明を行う。
【０７８４】
前提として、携帯端末Ｐは、インストールされているアプリケーションを起動し、アプリトップメニュー画面の「ポイント加算」に対応する領域を操作し、二次元コードの読取が完了した場合（ステップＳ２０１８−４＝ＹＥＳ）の処理を行う。
【０７８５】
まず、携帯端末Ｐは、会員情報受信処理を行う。これにより、携帯端末Ｐは、会員管理サーバ１０１に対して会員情報送信要求を行う。
【０７８６】
そして、会員管理サーバ１０１は、携帯端末Ｐから会員情報送信要求があった場合に、ステップＳ１０９の会員情報送信処理を行う。これにより、会員管理サーバ１０１は、携帯端末Ｐに対して、会員情報を送信する。
【０７８７】
そして、携帯端末Ｐは、会員管理サーバ１０１から会員情報を受信した後、遊技店会員情報受信処理を行う。これにより、携帯端末Ｐは、遊技店会員管理サーバ６０１に対して遊技店会員情報送信要求を行う。
【０７８８】
そして、遊技店会員管理サーバ６０１は、携帯端末Ｐから遊技店会員情報送信要求があった場合に、ステップＳ４００４の遊技店会員情報送信処理を行う。これにより、遊技店会員管理サーバ６０１は、携帯端末Ｐに対して、遊技店会員情報を送信する。
【０７８９】
そして、携帯端末Ｐは、遊技店会員管理サーバ６０１から遊技店会員情報を受信した後、ポイント交換情報受信処理を行う。これにより、携帯端末Ｐは、ポイント管理サーバ４０１に対してポイント交換情報送信要求を行う。
【０７９０】
そして、ポイント管理サーバ４０１は、携帯端末Ｐからポイント交換情報送信要求があった場合に、ポイント交換情報送信処理を行う。これにより、ポイント管理サーバ４０１は、携帯端末Ｐに対して、ポイント交換情報を送信する。
【０７９１】
そして、携帯端末Ｐは、ポイント管理サーバ４０１からポイント交換情報を受信した後、合算情報生成処理を行う。これにより、携帯端末Ｐは、読み取った二次元コードに含まれている情報と、ポイント管理サーバ４０１から受信したポイント交換情報と、遊技店会員管理サーバ６０１から受信した遊技店会員情報を合算することにより、合算情報を生成する。
【０７９２】
そして、携帯端末Ｐは、合算情報生成処理を行った後、合算情報送信処理を行う。これにより、携帯端末Ｐは、ポイント管理サーバ４０１に対して合算情報を送信する。
【０７９３】
そして、ポイント管理サーバ４０１は、携帯端末Ｐから合算情報を受信した後、ステップＳ４０９のポイント付与認証処理を行う。ここで、第５実施形態において、ポイント管理サーバ４０１は、合算情報を用いてポイント付与認証処理を行うこととなる。
【０７９４】
そして、ポイント管理サーバ４０１は、ステップＳ４０９のポイント付与認証処理を行った後、ステップＳ４１１のポイント加算時処理を行う。ここで、第５実施形態におけるポイント加算時処理においては、遊技店会員情報に応じて、多くのポイントと交換可能となる。
【０７９５】
例えば、来店回数記憶領域６０２ｋに記憶されている値が第１の値以上であって、第１の値よりも大きな値である第２の値未満である場合には、第１の値未満である場合と比較して、より多くのポイントが付与されることとなる。
【０７９６】
そして、ポイント管理サーバ４０１は、ステップＳ４１１のポイント加算時処理を行った後、ステップＳ４１３のポイント加算メール送信処理を行う。これにより、会員に対してポイント加算メールを送信する。
【０７９７】
また、ポイント管理サーバ４０１は、ポイント加算画面を携帯端末Ｐの液晶表示装置に表示するために必要なポイント加算完了情報を携帯端末Ｐに送信する。
【０７９８】
そして、携帯端末Ｐは、ステップＳ２０１８−６のポイント加算完了情報受信処理により、ポイント管理サーバ４０１からポイント完了情報を受信する。
【０７９９】
そして、携帯端末Ｐは、ステップＳ２０１８−６のポイント加算完了情報受信処理により、ポイント管理サーバ４０１からポイント完了情報を受信すると、ステップＳ２０１８−７のポイント加算画面表示処理を行う。この際に、景品５０と交換されるポイントと、遊技店会員情報に応じて加算されたポイントが携帯端末Ｐの液晶表示装置に表示される。
【０８００】
なお、上述した例では、来店回数記憶領域６０２ｋに記憶されている値に応じて、より多くのポイントを付与することとしているが、これに限定されることはなく、例えば、遊技機を遊技した時間に応じてより多くのポイントが付与されるようにしてもよいし、遊技機を遊技した時間、及び来店回数に応じて、より多くのポイントが付与されるようにしてもよい。
【０８０１】
また、遊技に使用した遊技玉や、遊技メダルの量に応じて、より多くのポイントが付与されるようにしてもよいし、遊技数に応じて、より多くのポイントが付与されるようにしてもよい。
【０８０２】
（第６実施形態）
次に、図６８〜図６９を用いて、第６実施形態の説明を行う。なお、第６実施形態を説明する際に、第１実施形態〜第５実施形態で説明した点と異なる点について説明を行い、共通する点については説明を省略する。
【０８０３】
（第６実施形態における商品交換システムを構成する各システム）
次に、図６８を用いて、第６実施形態における商品交換システムを構成する各システムについて説明を行う。
【０８０４】
第６実施形態における商品交換システムは、ポイント交換装置１と、携帯端末Ｐと、会員管理システム１００と、購買管理システム２００と、商品管理システム３００と、ポイント管理システム４００と、供託金管理システム５００と、問屋用管理システム７００により構成される。このため、以下において、問屋用管理システム７００の説明を行う。
【０８０５】
（問屋用管理システム７００）
問屋用管理システム７００は、問屋用管理サーバ７０１と、問屋用管理ＤＢ７０２により構成されており、問屋が供託金に係る情報を管理するためのシステムである。
【０８０６】
（問屋用管理サーバ７０１）
問屋用管理サーバ７０１は、ポイント交換装置１、会員管理サーバ１０１、購買管理サーバ２０１、商品管理サーバ３０１、ポイント管理サーバ４０１、及び供託金管理サーバ５０１と通信可能に設けられており、問屋用管理ＤＢ７０２に供託金に係る情報を記憶する処理を行うために設けられている。なお、問屋用管理サーバ７０１は、問屋により管理される。
【０８０７】
（問屋用管理ＤＢ７０２）
問屋用管理ＤＢ７０２は、供託金に係る情報を記憶するために設けられている。なお、供託金管理ＤＢ７０２については、後で図６９を用いて詳述する。
【０８０８】
（第６実施形態における問屋用管理ＤＢ７０２によって記憶された問屋用管理情報）
次に、図６９を用いて、第６実施形態における問屋用管理ＤＢ７０２によって記憶された問屋用管理情報について説明を行う。
【０８０９】
問屋用管理ＤＢ７０２には、問屋用管理ＩＤを記憶するための問屋用管理ＩＤ記憶領域７０２ａと、情報が更新された時刻を記憶するための問屋用時刻記憶領域７０２ｂと、ポイントの交換が行われたショップに係る情報を記憶するための問屋用ショップ記憶領域７０２ｃと、交換されたポイント数に係る情報を記憶するための問屋用交換ポイント数記憶領域７０２ｄと、残りの供託金額に係る情報を記憶するための問屋用供託金残り金額記憶領域７０２ｅが設けられており、それぞれのデータが紐付いている。
【０８１０】
例えば、問屋用管理ＩＤ記憶領域７０２ａの「０００００００１」と、問屋用時刻記憶領域７０２ｂの「２０１８／０１／０１  １１：００：００」と、問屋用ショップ記憶領域７０２ｃの「Ａ店」と、問屋用交換ポイント数記憶領域７０２ｄの「１０，０００」と、問屋用供託金残り金額記憶領域７０２ｅの「９，９０００，０００」というそれぞれのデータが紐付いて記憶される。
【０８１１】
このように、第６実施形態においては、問屋用管理システム７００により、供託金の残り金額等を管理することができるので、問屋は、供託金の管理を円滑に行うことができる。
【０８１２】
（変形例）
図７０〜図８２を用いて、各変形例の説明を行う。
【０８１３】
（供託金の残り金額を表示するアニメーション）
次に、図７０を用いて、供託金の残り金額を表示するアニメーションについて説明を行う。
【０８１４】
図７０（Ａ）〜図７０（Ｃ）については、図６０（Ａ）〜図６０（Ｃ）と同じであるため、説明を省略する。
【０８１５】
図７０（Ｄ）に示す通り、ポイント交換装置１は、図７０（Ｃ）において、「交換」に対応する領域が操作された場合に、景品５０とポイントを交換することに対して確認を促す画像を液晶表示装置２に表示する。ここで、供託されている現金が所定額（例えば、「１００，０００」）以下となった場合には、供託金に基づいて交換可能なポイントが交換可能ポイント表示領域８００に表示される。
【０８１６】
そして、図７０（Ｅ）〜図７０（Ｆ）については、図６０（Ｅ）〜図６０（Ｆ）と同じであるため、説明を省略する。
【０８１７】
なお、供託されている現金が所定額（例えば、「１００，０００」）以下となった場合には、供託金に基づいて交換可能なポイントを交換可能ポイント表示領域８００に表示するのではなく、供託されている現金が残り僅かであるため、景品５０とポイントの交換が不可能になる旨を交換可能ポイント表示領域８００に表示することとしてもよい。
【０８１８】
また、供託されている現金が残り僅かであるため、景品５０とポイントの交換が不可能になること、及び供託金に基づいて交換可能なポイントを交換可能ポイント表示領域８００に表示することとしてもよい。
【０８１９】
また、供託されている現金が所定額以下となった場合には、供託金に基づいて交換可能なポイントが交換可能ポイント表示領域８００に表示されることとしているが、これに限定されることはなく、例えば、供託されている現金が所定額以下でない場合であっても、供託金に基づいて交換可能なポイントを交換可能ポイント表示領域８００に表示することとしてもよい。
【０８２０】
（会員登録時のアニメーションの変形例）
次に、図７１を用いて、会員登録時のアニメーションの変形例について説明を行う。
【０８２１】
まず、図７１（Ａ）、及び図７１（Ｃ）〜図７１（Ｈ）については、図２９（Ａ）、及び図２９（Ｃ）〜図２９（Ｈ）と同じであるため、説明を省略する。
【０８２２】
次に、図７１（Ｂ）に示す通り、図７１（Ａ）において、「会員登録」に対応する領域が操作された場合に、会員管理サーバ１０１にアクセスするためのＵＲＬに係る情報を有する二次元コードが印刷された紙（レシート）が排紙口７から排紙されるのではなく、会員管理サーバ１０１にアクセスするためのＵＲＬに係る情報を有する二次元コードが液晶表示装置２に表示される。
【０８２３】
これにより、遊技者は、排紙口７から排紙された紙（レシート）に印刷されている二次元コードを読み取って会員登録を行うのではなく、液晶表示装置２に表示されている二次元コードを読み取って会員登録を行うこととなる。これにより、印刷部１６や、排紙口７を設ける必要が無くなるので、ポイント交換装置１の製造コストを削減することができる。
【０８２４】
（会員情報更新時のアニメーションの変形例）
次に、図７２を用いて、会員情報更新時のアニメーションの変形例について説明を行う。
【０８２５】
まず、図７２（Ａ）、及び図７２（Ｃ）〜図７２（Ｈ）については、図３０（Ａ）、及び図３０（Ｃ）〜図３０（Ｈ）と同じであるため、説明を省略する。
【０８２６】
次に、図７２（Ｂ）に示す通り、図７２（Ａ）において、「会員情報更新」に対応する領域が操作された場合に、会員管理サーバ１０１にアクセスするためのＵＲＬに係る情報を有する二次元コードが印刷された紙（レシート）が排紙口７から排紙されるのではなく、会員管理サーバ１０１にアクセスするためのＵＲＬに係る情報を有する二次元コードが液晶表示装置２に表示される。
【０８２７】
これにより、遊技者は、排紙口７から排紙された紙（レシート）に印刷されている二次元コードを読み取って会員情報更新を行うのではなく、液晶表示装置２に表示されている二次元コードを読み取って会員情報更新を行うこととなる。これにより、印刷部１６や、排紙口７を設ける必要が無くなるので、ポイント交換装置１の製造コストを削減することができる。
【０８２８】
なお、図７１や、図７２においては、会員登録に係る二次元コードや、会員情報更新に係る二次元コードを液晶表示装置２に表示されることとしているが、これに限らず、ステップＳ６−１８のポイント交換用二次元コード生成処理により生成された二次元コードを液晶表示装置２に表示することとしてもよい。
【０８２９】
（変形例における期間限定商品交換時のアニメーション）
次に、図７３を用いて、変形例における期間限定商品交換時のアニメーションについて説明を行う。
【０８３０】
まず、図７３（Ａ）に示す通り、商品交換画像が液晶表示装置２に表示されている。ここで、変形例における商品交換画像は、氏名に係る情報と、現在所持しているポイントに係る情報と、選択されたカテゴリーに対応する商品に係る領域と、「ソート」に対応する領域と、「上カーソル」に対応する領域と、「下カーソル」に対応する領域と、「終了」に対応する領域との他に、「限定」に対応する領域が表示されている。
【０８３１】
次に、図７３（Ｂ）に示す通り、図７３（Ａ）において、「限定」に対応する領域が操作されると、期間限定である「商品α」に対応する領域と、期間限定である「商品β」に対応する領域と、期間限定である「商品γ」に対応する領域と、「通常」に対応する領域とが液晶表示装置２に表示される。なお、図７３（Ｂ）において、「通常」に対応する領域が操作されると、図７３（Ａ）の商品交換画像が液晶表示装置２に表示される。
【０８３２】
次に、図７３（Ｃ）に示す通り、図７３（Ｂ）において、「商品α」に対応する領域が操作された場合に、「商品α」に対応する商品詳細画像が液晶表示装置２に表示されることとなる。ここで、期間限定である商品に対応する商品詳細画像は、交換可能期間が表示される。
【０８３３】
次に、図７３（Ｄ）に示す通り、図７３（Ｃ）において、「交換」に対応する領域が操作された場合に、商品確認画像が表示される。
【０８３４】
なお、図７３（Ｅ）〜図７３（Ｆ）については、図２５（Ｈ）〜図２５（Ｉ）と同じであるため、説明を省略する。
【０８３５】
このように、期間限定商品とポイントを交換可能とすることにより、期間限定商品に対する購買意欲を向上させることができる。
【０８３６】
なお、期間限定商品は、期間が経過する前であっても、在庫数が「０」となった場合には、交換不可能とすることとしてもよい。
【０８３７】
（変形例における数量限定商品交換時のアニメーション）
次に、図７４を用いて、変形例における数量限定商品交換時のアニメーションについて説明を行う。
【０８３８】
まず、図７４（Ａ）に示す通り、商品交換画像が液晶表示装置２に表示されている。ここで、変形例における商品交換画像は、氏名に係る情報と、現在所持しているポイントに係る情報と、選択されたカテゴリーに対応する商品に係る領域と、「ソート」に対応する領域と、「上カーソル」に対応する領域と、「下カーソル」に対応する領域と、「終了」に対応する領域との他に、「限定」に対応する領域が表示されている。
【０８３９】
次に、図７４（Ｂ）に示す通り、図７４（Ａ）において、「限定」に対応する領域が操作されると、数量限定である「商品α」に対応する領域と、数量限定である「商品β」に対応する領域と、「通常」に対応する領域とが液晶表示装置２に表示される。なお、図７４（Ｂ）において、「通常」に対応する領域が操作されると、図７４（Ａ）の商品交換画像が液晶表示装置２に表示される。
【０８４０】
次に、図７４（Ｃ）に示す通り、図７４（Ｂ）において、「商品β」に対応する領域が操作された場合に、「商品β」に対応する商品詳細画像が液晶表示装置２に表示されることとなる。ここで、数量限定である商品に対応する商品詳細画像は、交換可能な数量（残り個数）が表示される。
【０８４１】
次に、図７４（Ｄ）に示す通り、図７４（Ｃ）において、「交換」に対応する領域が操作された場合に、商品確認画像が表示される。
【０８４２】
なお、図７４（Ｅ）〜図７４（Ｆ）については、図２５（Ｈ）〜図２５（Ｉ）と同じであるため、説明を省略する。
【０８４３】
このように、数量限定商品と、ポイントを交換可能とすることにより、数量限定商品に対する購買意欲を向上させることができる。
【０８４４】
（変形例における商品が残り僅かである表示を行うアニメーション）
次に、図７５を用いて、変形例における商品が残り僅かである表示を行うアニメーションについて説明を行う。
【０８４５】
まず、図７５（Ａ）に示す通り、商品交換画像が液晶表示装置２に表示されている。ここで、変形例における商品交換画像は、氏名に係る情報と、現在所持しているポイントに係る情報と、選択されたカテゴリーに対応する商品に係る領域と、「ソート」に対応する領域と、「上カーソル」に対応する領域と、「下カーソル」に対応する領域と、「終了」に対応する領域との他に、「限定」に対応する領域が表示されている。
【０８４６】
ここで、図７５（Ａ）に示す通り、「商品Ｘ」に対応する領域の情報に、「残り僅か」という文字画像が表示されることとなる。これにより、「商品Ｘ」の在庫数が所定数以下であることを報知している。
【０８４７】
次に、図７５（Ｂ）に示す通り、図７５（Ａ）において、「商品Ｘ」に対応する領域が操作された場合に、「商品Ｘ」に対応する商品詳細画像が液晶表示装置２に表示されることとなる。ここで、図７５（Ｂ）に示す通り、商品詳細画像においても、「残り僅か」という文字画像が表示されることとなる。これにより、「商品Ｘ」の在庫数が所定数以下であることを報知している。
【０８４８】
これにより、商品交換を行う際に、「残り僅か」という文字画像が表示されることにより、在庫数が所定数以下であることを認識することができる。
【０８４９】
なお、商品交換画像が液晶表示装置２に表示されるタイミング、及び商品詳細画像が液晶表示装置２に表示されるタイミングで「残り僅か」という文字画像が表示されることとしているが、これに限定されることはなく、商品交換画像が液晶表示装置２に表示されるタイミング、または商品詳細画像が液晶表示装置２に表示されるタイミングの何れかのタイミングで「残り僅か」という文字画像を表示することとしてもよい。
【０８５０】
また、在庫数が所定数以下であることを報知する態様は、「残り僅か」という文字画像を表示するのではなく、他の表示態様としてもよい。例えば、液晶表示装置２に在庫数を直接表示することとしてもよい。
【０８５１】
（変形例における景品毎にポイント交換を行うアニメーション）
次に、図７６を用いて、変形例における景品毎にポイント交換を行うアニメーションについて説明を行う。
【０８５２】
まず、図７６（Ａ）〜図７６（Ｂ）については、図２２（Ａ）〜図２２（Ｂ）と同じであるため、説明を省略する。
【０８５３】
次に、図７６（Ｃ）に示す通り、図７６（Ｂ）において、第１景品５１、第２景品５２、第３景品５３がそれぞれ「１」枚ずつ景品投入部３に投入され、景品読取部１５により、投入された第１景品５１、第２景品５２、及び第３景品５３が贋物ではないと判定された場合に、液晶表示装置２に表示されている景品投入部３に景品５０の投入を促す画像が更新されることとなる。具体的には、液晶表示装置２に表示されている第１景品５１が投入された数を報知する領域と、第２景品５２が投入された数を報知する領域と、第３景品５３が投入された数を報知する領域が更新されることとなる。
【０８５４】
次に、図７６（Ｄ）に示す通り、図７６（Ｃ）において、「交換」に対応する領域が操作されると、景品５０とポイントを交換することに対して確認を促す画像が液晶表示装置２に表示されることとなる。ここで、図７６（Ｄ）に示す通り、景品５０とポイントを交換することに対して確認を促す画像と併せて、景品５０の交換対象を決定するための交換対象決定領域９００が液晶表示装置２に表示される。
【０８５５】
ここで、交換対象決定領域９００は、「全て交換」、「第１景品５１のみ交換」、「第２景品５２のみ交換」、「第３景品５３のみ交換」の「４」種類の条件を選択可能であるが、これに限定されることはなく、「第１景品５１と、第２景品５２を交換」、「第１景品５１と、第３景品５３を交換」、「第２景品５２と、第３景品５３を交換」といった条件を選択可能としてもよい。
【０８５６】
次に、図７６（Ｅ）に示す通り、図７６（Ｄ）において、交換対象決定領域９００が操作されると、「全て交換」から「第１景品５１のみ交換」に切り替わることとなる。これと併せて、交換することとなるポイントの値が「全て交換」に対応する「７０００」ポイントから、「第１景品５１のみ交換」に対応する「５５００」ポイントに更新されることとなる。
【０８５７】
次に、図７６（Ｆ）に示す通り、図７６（Ｅ）において、交換対象決定領域９００が操作されると、「第１景品５１のみ交換」から「第２景品５２のみ交換」に切り替わることとなる。これと併せて、交換することとなるポイントの値が「第１景品５１のみ交換」に対応する「５５００」ポイントから、「第２景品５２のみ交換」に対応する「１５００」ポイントに更新されることとなる。
【０８５８】
次に、図７６（Ｇ）に示す通り、図７６（Ｆ）において、交換対象決定領域９００が操作されると、「第２景品５２のみ交換」から「第３景品５３のみ交換」に切り替わることとなる。これと併せて、交換することとなるポイントの値が「第２景品５２のみ交換」に対応する「１５００」ポイントから、「第３景品５３のみ交換」に対応する「１０００」ポイントに更新されることとなる。
【０８５９】
次に、図７６（Ｈ）に示す通り、図７６（Ｇ）において、「交換」に対応する領域が操作されると、第３景品５３をポイントに交換するための紙（レシート）が排紙されることを報知する交換用レシート発行画像が液晶表示装置２に表示されることとなる。この際に、第１景品５１と、第２景品５２は返却されるので、「景品の取り忘れにご注意下さい。」という文字画像が表示されることとなる。
【０８６０】
なお、図７６（Ｉ）に示す通り、図７６（Ｈ）において、所定時間が経過すると、トップメニュー画像が液晶表示装置２に表示されることとなる。
【０８６１】
（ポイント交換装置１の第１変形例）
次に、図７７を用いて、ポイント交換装置１の第１変形例について説明を行う。
【０８６２】
図３を用いて説明したポイント交換装置１の景品投入部３は、第１景品５１、第２景品５２、第３景品５３が投入可能となっているのに対して、ポイント交換装置１の第１変形例では、第１景品５１を投入するための第１景品投入部３ａと、第２景品５２を投入するための第２景品投入部３ｂと、第３景品５３を投入するための第３景品投入部３ｃとが設けられている。
【０８６３】
この場合において、第１景品投入部３ａに投入された第１景品５１を読み取る第１景品読取部１５ａと、第２景品投入部３ｂに投入された第２景品５２を読み取る第２景品読取部１５ｂと、第３景品投入部３ｃに投入された第３景品５３を読み取る第３景品読取部１５ｃとが設けられていてもよいし、景品読取部１５が第１景品投入部３ａに投入された第１景品と、第２景品投入部３ｂに投入された第２景品と、第３景品投入部３ｃに投入された第３景品を読み取ることとしてもよい。
【０８６４】
（ポイント交換装置１の第２変形例）
次に、図７８を用いて、ポイント交換装置１の第２変形例について説明を行う。
【０８６５】
ポイント交換装置１の第２変形例は、二次元コード読取部８と、景品計数装置２０と、室内用計数結果表示装置３０と、室外用計数結果表示装置４０により構成されている。このため、景品計数装置２０と、室内用計数結果表示装置３０と、室外用計数結果表示装置４０について説明を行う。
【０８６６】
（景品計数装置２０）
景品計数装置２０は、景品５０を読み取り、真贋判定を行うとともに、読み取った景品５０を計数するために設けられている。ここで、景品計数装置２０は、景品５０が載置される景品載置部２１と、景品５０が景品載置部２１に載置された後、景品載置部２１を閉塞するための蓋部２２と、景品５０の計数を開始するための計数開始ボタン２３と、景品５０の計数を終了するための計数終了ボタン２４とにより構成されている。
【０８６７】
（室内用計数結果表示装置３０）
室内用計数結果表示装置３０は、ショップの室内であって、ショップの店員が視認可能な位置に設置される。ここで、室内用計数結果表示装置３０は、第１景品５１の計数結果を表示するための室内用第１景品表示部３１と、第２景品５２の計数結果を表示するための室内用第２景品表示部３２と、第３景品５３の計数結果を表示するための室内用第３景品表示部３３と、景品５０を計数した結果、交換可能となるポイントの値を表示するための室内用ポイント表示部３４により構成されている。
【０８６８】
（室外用計数結果表示装置４０）
室外用計数結果表示装置４０は、ショップの室外であって、景品５０をポイントに交換する遊技者が視認可能な位置に設置される。ここで、室外用計数結果表示装置４０は、第１景品５１の計数結果を表示するための室外用第１景品表示部４１と、第２景品５２の計数結果を表示するための室外用第２景品表示部４２と、第３景品５３の計数結果を表示するための室外用第３景品表示部４３と、景品５０を計数した結果、交換可能となるポイントの値を表示するための室外用ポイント表示部４４により構成されている。
【０８６９】
（ポイント交換装置１の第２変形例の利用方法）
次に、ポイント交換装置１の第２変形例の利用方法について説明を行う。
【０８７０】
まず、景品計数装置２０の景品載置部２１に景品５０を置く。次に、景品計数装置２０の蓋部２２により、景品載置部２１を閉塞する。そして、計数開始ボタン２３を操作することで、景品５０の計数が開始され、計数終了ボタン２４を操作することで、景品５０の計数が終了される。
【０８７１】
そして、景品計数装置２０による計数が終了すると、計数結果に係る情報が室内用計数結果表示装置３０と、室外用計数結果表示装置４０に送信され、室内用計数結果表示装置３０と、室外用計数結果表示装置４０に計数結果が表示される。
【０８７２】
そして、二次元コード読取部８に二次元コードを翳すことでポイントが付与される者を特定し、ポイントを付与することとなる。
【０８７３】
そして、ポイントの付与が完了すると、二次元コード読取部８は、室内用計数結果表示装置３０と、室外用計数結果表示装置４０に対してポイントの付与が完了した旨の情報を送信し、室内用計数結果表示装置３０と、室外用計数結果表示装置４０は、ポイントの付与が完了した旨の情報を受信した場合に、表示されている計数結果を非表示とする制御を行う。
【０８７４】
このように、ポイント交換装置１ではなく、ショップで従来から利用している景品計数装置２０や、室内用計数結果表示装置３０と、室外用計数結果表示装置４０を改変して利用することにより、景品５０とポイントの交換を安価で行うことができる。
【０８７５】
（ポイント交換装置１の第３変形例）
次に、図７９を用いて、ポイント交換装置１の第３変形例について説明を行う。
【０８７６】
ポイント交換装置１の第３変形例は、景品計数装置２０と、室内用計数結果表示装置３０と、タブレットＰＣ６０により構成されている。このため、タブレットＰＣ６０について説明を行う。
【０８７７】
（タブレットＰＣ６０）
タブレットＰＣ６０は、液晶表示装置とタッチパネルにより構成されており、ポイント交換装置１の液晶表示装置２に表示される内容を表示するために設けられている。
【０８７８】
（ポイント交換装置１の第３変形例の利用方法）
次に、ポイント交換装置１の第３変形例の利用方法について説明を行う。
【０８７９】
まず、景品計数装置２０の景品載置部２１に景品５０を置く。次に、景品計数装置２０の蓋部２２により、景品載置部２１を閉塞する。そして、計数開始ボタン２３を操作することで、景品５０の計数が開始され、計数終了ボタン２４を操作することで、景品５０の計数が終了される。
【０８８０】
そして、景品計数装置２０による計数が終了すると、計数結果に係る情報が室内用計数結果表示装置３０と、タブレットＰＣ６０に送信され、室内用計数結果表示装置３０と、タブレットＰＣ６０に計数結果が表示される。
【０８８１】
そして、タブレットＰＣ６０に、ステップＳ６−１８のポイント交換用二次元コード生成処理により生成された二次元コードが表示されることとなり、携帯端末Ｐにより二次元コードの読取を行う。
【０８８２】
そして、二次元コードの表示が完了すると、タブレットＰＣ６０は、室内用計数結果表示装置３０に対してポイントの付与が完了した旨の情報を送信し、室内用計数結果表示装置３０は、ポイントの付与が完了した旨の情報を受信した場合に、表示されている計数結果を非表示とする制御を行う。
【０８８３】
そして、タブレットＰＣ６０は、ポイントの付与が完了した旨の情報を送信した後に、トップメニュー画像をタブレットＰＣ６０の液晶表示装置に表示する制御を行う。
【０８８４】
このように、ポイント交換装置１ではなく、ショップで従来から利用している景品計数装置２０や、室内用計数結果表示装置３０を改変して利用することにより、景品５０とポイントの交換を安価で行うことができる。
【０８８５】
（ポイント交換装置１の第４変形例）
次に、図８０を用いて、ポイント交換装置１の第４変形例について説明を行う。
【０８８６】
ポイント交換装置１の第４変形例は、ポイント交換装置１と、景品計数装置２０と、室内用計数結果表示装置３０により構成されている。
【０８８７】
ここで、ポイント交換装置１の第４変形例は、景品投入部３が設けられていない点で、図３を用いて説明したポイント交換装置１と相違する。
【０８８８】
（ポイント交換装置１の第４変形例の利用方法）
次に、ポイント交換装置１の第４変形例の利用方法について説明を行う。
【０８８９】
まず、景品計数装置２０の景品載置部２１に景品５０を置く。次に、景品計数装置２０の蓋部２２により、景品載置部２１を閉塞する。そして、計数開始ボタン２３を操作することで、景品５０の計数が開始され、計数終了ボタン２４を操作することで、景品５０の計数が終了される。
【０８９０】
そして、景品計数装置２０による計数が終了すると、計数結果に係る情報がポイント交換装置１と、室内用計数結果表示装置３０に送信され、ポイント交換装置１と、室内用計数結果表示装置３０に計数結果が表示される。
【０８９１】
そして、ポイント交換装置１は、交換用レシート発行処理を行い、携帯端末Ｐによりレシートに印刷されている二次元コードを読み取ることで、ポイントが付与される。
【０８９２】
（変形例におけるポイント交換時のアニメーション）
次に、図８１を用いて、変形例におけるポイント交換時のアニメーションについて説明を行う。
【０８９３】
図８１（Ａ）については、図２２（Ａ）と同じであり、図８１（Ｂ）については、図２２（Ｂ）と同じであり、図８１（Ｄ）については、図２２（Ｃ）と同じであり、図８１（Ｅ）については、図２２（Ｄ）と同じであり、図８１（Ｇ）については、図２２（Ｅ）と同じであり、図８１（Ｈ）については、図２２（Ｆ）と同じであるため、説明を省略する。
【０８９４】
図８１（Ｃ）に示す通り、図８１（Ｂ）において、「１」枚の第１景品５１が景品投入部３に投入されてから、景品読取部１５により、投入された第１景品５１が贋物ではないと判定されるまでの間、景品５０の読取中であることを報知する画像が液晶表示装置２に表示される。
【０８９５】
なお、図８１（Ｄ）に示す通り、図８１（Ｃ）において、投入された第１景品５１が贋物ではないと判定された場合に、液晶表示装置２に表示されていた景品投入部３に景品５０の投入を促す画像が更新されることとなる。具体的には、液晶表示装置２に表示されている第１景品５１が投入された数を報知する領域が更新されることとなる。
【０８９６】
また、図８１（Ｆ）に示す通り、図８１（Ｅ）において、「交換」に対応する領域が操作されると、景品５０をポイントに交換するための二次元コードが液晶表示装置２に表示されることとなる。なお、図８１（Ｆ）において、二次元コードを読み取った後、「完了」に対応する領域が操作されると、トップメニュー画像が液晶表示装置２に表示されることとなる。
【０８９７】
また、図８１（Ｇ）に示す通り、図８１（Ｆ）において、「印刷」に対応する領域が操作されると、交換用レシート発行画像が液晶表示装置２に表示されることとなる。
【０８９８】
このように、ステップＳ６−１８のポイント交換用二次元コード生成処理により生成された二次元コードを液晶表示装置２に表示するか、レシートを発行するかを選択可能となっている。これにより、例えば、携帯端末Ｐの充電が切れている場合には、レシートを発行するという選択を行うことができる。一方で、携帯端末Ｐを所持している場合には、液晶表示装置２に表示されている二次元コードを読み取ることで直ちにポイントが付与されることとなる。
【０８９９】
（変形例における商品交換システムの概要）
次に、図８２を用いて、変形例における商品交換システムの概要について説明を行う。
【０９００】
変形例における商品交換システムは、問屋がカード会社を介して、ポイント協会に対してポイントの発行要求を行い、ポイント協会は、発行要求に応じて問屋にポイントを発行する。
【０９０１】
（問屋とカード会社）
図８２に示す通り、問屋は、ポイントの購入を行う際に、カード会社に対して決済情報を送信する。そして、図示はしないが、問屋は、カード会社に対してカードを利用した分の現金を支払う。
【０９０２】
（カード会社とポイント協会）
図８２に示す通り、カード会社は、問屋から決済情報を受信した後、ポイント協会に対して決済情報に応じた現金を支払う。
【０９０３】
（ポイント協会と問屋）
図８２に示す通り、ポイント協会は、カード会社から現金を受け取った後、問屋に対してポイントの発行を行う。
【０９０４】
このように、問屋と、ポイント協会の間にカード会社を介在することで、ポイントの発行を速やかに行うことができる。
【０９０５】
（その他の実施形態）
以下において、その他の実施形態について説明を行う。
【０９０６】
上述した実施形態において、景品５０をポイントに交換する際に、二次元コードが印刷されたレシートを発行することとなるが、二次元コードの読取期限を設けることとしてもよい。
【０９０７】
例えば、ポイント交換装置１により景品５０をポイントに交換する処理が行われる処理が行われる際に、ポイント管理ＤＢ４０２に二次元コードの読取期限に係る情報を記憶する。具体的には、ポイント管理ＤＢ４０２のポイント管理ＩＤ４０２ａの「０００００００１」の行のデータが記憶されるときに、併せて二次元コードの読取期限に係る情報を紐付けて記憶する。
【０９０８】
そして、二次元コードの読取期限が経過した場合には、携帯端末Ｐによりポイントに交換する処理を行うことができなくなる。例えば、二次元コードの読取期限が経過した際に、ポイント管理ＤＢ４０２に記憶されているポイント管理ＩＤ４０２ａの「０００００００１」の行のデータを削除する処理を行うことで、セキュリティコードが一致しないため、携帯端末Ｐによりポイントに交換する処理を行うことができなくなることとしてもよい。
【０９０９】
また、ポイントを電子マネー等の商品が付与される抽選に応募することが可能な構成を有していてもよい。この場合に、遊技者は、ポイントを商品と交換する際に、商品の応募手続を行う。そして、ポイント協会は、応募締切期限になったことや、応募総数が締切数になったこと等の応募締切条件が充足された場合に、抽選を行い、当選者に対して当選した商品を発送することとなる。
【０９１０】
なお、応募締切条件として、応募締切期限になったことを採用する場合においては、応募総数に応じて商品を決定することもできる。例えば、応募に必要なポイントに、応募総数を乗じた応募ポイント総数よりも、抽選に当選した場合に発送される商品に必要なポイント数の方が少ないこととすれば、ポイント協会は利益を得ることができる。
【０９１１】
また、ポイントを寄付することが可能な構成を有していてもよい。この場合に、遊技者は、ポイントを商品と交換する際に、寄付手続を行う。そして、ポイント協会は、遊技者により寄付手続がされた場合に、所定の団体に対して寄付手続を行うこととなる。
【０９１２】
なお、ポイントは、ポイント交換装置１から発行されるレシートに印刷されている二次元コードを携帯端末Ｐで読み取ることにより発行されることとなっているが、これに限定されることはなく、携帯端末Ｐを用いずに、ポイント交換装置１の操作を行うことによりポイントを発行することとしてもよい。これにより、携帯端末Ｐを所持していない遊技者であっても、景品５０とポイントを交換可能となる。
【０９１３】
また、ポイント交換装置１の近傍にタブレットＰＣや、携帯端末Ｐを設置しておくこととしてもよい。この場合においても、携帯端末Ｐを所持していない遊技者が、景品５０とポイントを交換可能となる。
【０９１４】
このように、本発明におけるポイント交換装置１によれば、遊技機を遊技することにより獲得される遊技媒体と交換された景品５０が景品投入部３に投入される。そして、景品読取部１５は、景品投入部３に投入された景品５０を読み取る。そして、ＣＰＵ１１は、景品読取部１５により景品５０が読み取られた場合に、ステップＳ６−１８のポイント交換用二次元コード生成処理や、ステップＳ６−２０の交換用レシート発行処理を行う。そして、遊技者は、携帯端末Ｐを用いて、二次元コードを読み取ることでポイントを獲得する。これにより、遊技店の店員が多忙とならずに、遊技店外の商品と交換することが可能な商品交換システムを提供することができる。
【０９１５】
また、本発明におけるポイント交換装置１によれば、景品投入部３により投入された景品５０は、ステップＳ６−４の真贋判定処理により真贋判定が行われる。これにより、真贋判定により本物であると判定された景品５０のみがポイントと交換可能となるので、景品５０の贋物によるポイント交換を防止することができる。
【０９１６】
なお、景品投入部３は、本発明の景品投入部を構成する。
【０９１７】
また、景品読取部１５は、本発明の景品読取部を構成する。
【０９１８】
また、ステップＳ６−１８のポイント交換用二次元コード生成処理や、ステップＳ６−２０の交換用レシート発行処理を行うＣＰＵ１１は、本発明のポイント発行処理部を構成する。
【０９１９】
なお、「遊技機」とは、遊技店に設置されるパチンコや、スロットマシンをいう。
【０９２０】
また、「遊技媒体」とは、遊技店に設置されるパチンコや、スロットマシンの遊技機を遊技するために必要な遊技玉や、遊技メダルをいう。
【０９２１】
また、「景品」とは、景品５０を例示して説明したが、これに限定されることはなく、他のものを適用してもよい。
【０９２２】
また、「商品」とは、景品５０とは異なるものであって、商品Ａ、商品Ｂ、商品Ｃ等を例示して説明したが、これに限定されることはなく、どのような商品を適用してもよい。
【０９２３】
また、「ポイント」は、商品と交換可能なものである。
【０９２４】
なお、ステップＳ６−４の真贋判定処理を行うＣＰＵ１１や、景品読取部１５は、本発明の真贋判定処理を構成する。
【０９２５】
なお、上記実施形態や変形例で示した事項は、あくまで一例に過ぎず、本発明の範囲を逸脱しない範囲で、適宜変更可能である。
【符号の説明】
【０９２６】
１            ポイント交換装置
２            液晶表示装置
２ａ          タッチパネルセンサ
３            景品投入部
３ａ          第１景品投入部
３ｂ          第２景品投入部
３ｃ          第３景品投入部
４            景品返却部
５            カメラ
６            スピーカ
６ａ          右スピーカ
６ｂ          左スピーカ
７            排紙口
８            二次元コード読取部
９            景品取出部
９ａ          扉部
９ｂ          鍵部
１０          制御基板
１１          ＣＰＵ
１２          ＲＯＭ
１３          ＲＡＭ
１４          Ｉ／Ｏポート
１５          景品読取部
１６          印刷部
１７          通信部
１８          電源部
２０          景品計数装置
２１          景品載置部
２２          蓋部
２３          計数開始ボタン
２４          計数終了ボタン
３０          室内用計数結果表示装置
３１          室内用第１景品表示部
３２          室内用第２景品表示部
３３          室内用第３景品表示部
３４          室内用ポイント表示部
４０          室外用計数結果表示装置
４１          室外用第１景品表示部
４２          室外用第２景品表示部
４３          室外用第３景品表示部
４４          室外用ポイント表示部
５０          景品
５１          第１景品
５１ａ        第１景品チップ
５２          第２景品
５２ａ        第２景品チップ
５３          第３景品
５３ａ        第３景品チップ
６０          タブレットＰＣ
１００        会員管理システム
１０１        会員管理サーバ
１０２        会員管理ＤＢ
１０２ａ      会員ＩＤ記憶領域
１０２ｂ      氏名記憶領域
１０２ｃ      住所記憶領域
１０２ｄ      端末識別情報記憶領域
１０２ｅ      電話番号記憶領域
１０２ｆ      メールアドレス記憶領域
１０２ｇ      パスワード記憶領域
１０２ｈ      年齢記憶領域
１０２ｉ      性別記憶領域
２００        購買管理システム
２０１        購買管理サーバ
２０２        購買管理ＤＢ
２０２ａ      購買ＩＤ記憶領域
２０２ｂ      購買日記憶領域
２０２ｃ      交換装置ＩＤ記憶領域
２０２ｄ      購買者記憶領域
２０２ｅ      購買商品記憶領域
２０２ｆ      発送予定日記憶領域
２０２ｇ      発送先記憶領域
２０２ｈ      購買会員電話番号記憶領域
３００        商品管理システム
３０１        商品管理サーバ
３０２        商品管理ＤＢ
３０２ａ      商品ＩＤ記憶領域
３０２ｂ      商品名記憶領域
３０２ｃ      商品説明記憶領域
３０２ｄ      カテゴリー記憶領域
３０２ｅ      画像データ記憶領域
３０２ｆ      在庫数記憶領域
３０２ｇ      必要ポイント記憶領域
３０２ｈ      消費期限記憶領域
３０２ｉ      仕入値記憶領域
３０２ｊ      仕入先記憶領域
４００        ポイント管理システム
４０１        ポイント管理サーバ
４０２        ポイント管理ＤＢ
４０２ａ      ポイントＩＤ記憶領域
４０２ｂ      更新日時記憶領域
４０２ｃ      ショップ記憶領域
４０２ｄ      ポイント管理ＤＢ用交換装置ＩＤ記憶領域
４０２ｅ      ポイント管理ＤＢ用会員ＩＤ記憶領域
４０２ｆ      会員氏名記憶領域
４０２ｇ      更新ポイント記憶領域
４０２ｈ      有効期限記憶領域
４０２ｉ      セキュリティコード記憶領域
５００        供託金管理システム
５０１        供託金管理サーバ
５０２        供託金ＤＢ
５０２ａ      供託金管理ＩＤ記憶領域
５０２ｂ      供託金更新日時記憶領域
５０２ｃ      供託金管理ＤＢ用ショップ記憶領域
５０２ｄ      供託金管理ＤＢ用交換装置ＩＤ記憶領域
５０２ｅ      供託金額記憶領域
５０２ｆ      交換ポイント記憶領域
６００        遊技店会員管理システム
６０１        遊技店会員管理サーバ
６０２        遊技店会員管理ＤＢ
６０２ａ      遊技店会員管理ＩＤ記憶領域
６０２ｂ      遊技店会員氏名記憶領域
６０２ｃ      会員住所記憶領域
６０２ｄ      会員電話番号記憶領域
６０２ｅ      会員メールアドレス記憶領域
６０２ｆ      会員パスワード記憶領域
６０２ｇ      会員年齢記憶領域
６０２ｈ      会員性別記憶領域
６０２ｉ      貯玉記憶領域
６０２ｊ      貯メダル記憶領域
６０２ｋ      来店回数記憶領域
７００        問屋用管理システム
７０１        問屋用管理サーバ
７０２        問屋用管理ＤＢ
７０２ａ      問屋用管理ＩＤ記憶領域
７０２ｂ      問屋用時刻記憶領域
７０２ｃ      問屋用ショップ記憶領域
７０２ｄ      問屋用交換ポイント数記憶領域
７０２ｅ      問屋用供託金残り金額記憶領域
８００        交換可能ポイント表示領域
９００        交換対象決定領域
Ｐ            携帯端末
【図１】
2019177027.tif 000003
【図２】
2019177027.tif 000004
【図３】
2019177027.tif 000005
【図４】
2019177027.tif 000006
【図５】
2019177027.tif 000007
【図６】
2019177027.tif 000008
【図７】
2019177027.tif 000009
【図８】
2019177027.tif 000010
【図９】
2019177027.tif 000011
【図１０】
2019177027.tif 000012
【図１１】
2019177027.tif 000013
【図１２】
2019177027.tif 000014
【図１３】
2019177027.tif 000015
【図１４】
2019177027.tif 000016
【図１５】
2019177027.tif 000017
【図１６】
2019177027.tif 000018
【図１７】
2019177027.tif 000019
【図１８】
2019177027.tif 000020
【図１９】
2019177027.tif 000021
【図２０】
2019177027.tif 000022
【図２１】
2019177027.tif 000023
【図２２】
2019177027.tif 000024
【図２３】
2019177027.tif 000025
【図２４】
2019177027.tif 000026
【図２５】
2019177027.tif 000027
【図２６】
2019177027.tif 000028
【図２７】
2019177027.tif 000029
【図２８】
2019177027.tif 000030
【図２９】
2019177027.tif 000031
【図３０】
2019177027.tif 000032
【図３１】
2019177027.tif 000033
【図３２】
2019177027.tif 000034
【図３３】
2019177027.tif 000035
【図３４】
2019177027.tif 000036
【図３５】
2019177027.tif 000037
【図３６】
2019177027.tif 000038
【図３７】
2019177027.tif 000039
【図３８】
2019177027.tif 000040
【図３９】
2019177027.tif 000041
【図４０】
2019177027.tif 000042
【図４１】
2019177027.tif 000043
【図４２】
2019177027.tif 000044
【図４３】
2019177027.tif 000045
【図４４】
2019177027.tif 000046
【図４５】
2019177027.tif 000047
【図４６】
2019177027.tif 000048
【図４７】
2019177027.tif 000049
【図４８】
2019177027.tif 000050
【図４９】
2019177027.tif 000051
【図５０】
2019177027.tif 000052
【図５１】
2019177027.tif 000053
【図５２】
2019177027.tif 000054
【図５３】
2019177027.tif 000055
【図５４】
2019177027.tif 000056
【図５５】
2019177027.tif 000057
【図５６】
2019177027.tif 000058
【図５７】
2019177027.tif 000059
【図５８】
2019177027.tif 000060
【図５９】
2019177027.tif 000061
【図６０】
2019177027.tif 000062
【図６１】
2019177027.tif 000063
【図６２】
2019177027.tif 000064
【図６３】
2019177027.tif 000065
【図６４】
2019177027.tif 000066
【図６５】
2019177027.tif 000067
【図６６】
2019177027.tif 000068
【図６７】
2019177027.tif 000069
【図６８】
2019177027.tif 000070
【図６９】
2019177027.tif 000071
【図７０】
2019177027.tif 000072
【図７１】
2019177027.tif 000073
【図７２】
2019177027.tif 000074
【図７３】
2019177027.tif 000075
【図７４】
2019177027.tif 000076
【図７５】
2019177027.tif 000077
【図７６】
2019177027.tif 000078
【図７７】
2019177027.tif 000079
【図７８】
2019177027.tif 000080
【図７９】
2019177027.tif 000081
【図８０】
2019177027.tif 000082
【図８１】
2019177027.tif 000083
【図８２】
2019177027.tif 000084